(57)【要約】【課題】効率的に通信を行なうこと。【解決手段】ハンドオーバコマンドにタイミングアドバンスコマンドが含まれる場合には、ハンドオーバコマンドに対するＲＲＣコネクション再設定コンプリートメッセージを含むＰＵＳＣＨの送信電力に用いられる第２の電力制御調整値の初期値を、ＳＲＳ送信電力に用いられる第１の電力制御調整値にセットし、前記第１の電力制御調整値に基づいて、前記ＰＵＳＣＨの送信電力をセットする送信部を備える。【選択図】図６
2019091960.tif 000002
【特許請求の範囲】
【請求項１】
基地局装置と通信する端末装置であって、
ハンドオーバコマンドおよび上りリンクグラントを受信する受信部と、
サウンディング参照信号（ＳＲＳ）および物理上りリンク共用チャネル（ＰＵＳＣＨ）を送信する送信部と、を備え、
前記送信部は、前記上りリンクグラントに含まれる送信電力制御コマンドに基づいて、前記ＳＲＳの送信電力に用いられる第１の電力制御調整値を算出し、
前記送信部は、
前記ハンドオーバコマンドにタイミングアドバンスコマンドが含まれる場合には、前記ハンドオーバコマンドに対するＲＲＣコネクション再設定コンプリートメッセージを含むＰＵＳＣＨの送信電力に用いられる第２の電力制御調整値の初期値を、前記ＳＲＳの前記第１の電力制御調整値にセットし、
前記第１の電力制御調整値に基づいて、前記ＰＵＳＣＨの送信電力をセットする
端末装置。
【請求項２】
前記送信部は、
前記ハンドオーバコマンドに前記ＰＵＳＣＨに関する第１のパラメータが含まれ、且つ、前記第１のパラメータの値が変更されている場合には、前記ＰＵＳＣＨの送信電力に用いられる前記第２の電力制御調整値の初期値を、所定の値にセットする
請求項１記載の端末装置。
【請求項３】
前記送信部は、
前記ハンドオーバコマンドに前記タイミングアドバンスコマンドが含まれていない場合には、前記第２の電力制御調整値を、所定の値にセットする
請求項１記載の端末装置。
【請求項４】
前記送信部は、
前記ハンドオーバコマンドに上りリンクグラントが含まれる場合には、前記第２の電力制御調整値の初期値を、前記上りリンクグラントに含まれる送信電力制御コマンドに基づいてセットする
請求項１記載の端末装置。
【請求項５】
前記送信部は、
前記ハンドオーバコマンドに上りリンクグラントが含まれていない場合には、前記第２の電力制御調整値の初期値を、所定の値にセットする
請求項１記載の端末装置。
【請求項６】
前記送信部は、
前記ハンドオーバコマンドに基づいてランダムアクセスプリアンブルを用いたハンドオーバが示された場合には、前記第２の電力制御調整値を、ランダムアクセスプリアンブルの送信電力に用いられた前記ランダムアクセスプリアンブルの送信回数とランプアップに関する第２のパラメータに基づいてセットする
請求項１記載の端末装置。
【請求項７】
前記受信部において前記ＰＵＳＣＨの送信電力のランプアップに関する第３のパラメータを、前記ハンドオーバコマンドを介して、受信した場合、且つ、前記ＰＵＳＣＨを送信してから所定の期間、前記ＰＵＳＣＨに対するＡＣＫまたはＮＡＣＫがなかった場合、
前記送信部は、
前記第３のパラメータと前記ＰＵＳＣＨの送信回数に基づいて、前記ＰＵＳＣＨの送信
電力を再セットし、前記ＰＵＳＣＨの再送信を行なう
請求項１記載の端末装置。
【請求項８】
前記送信部は、
前記受信部において前記ＰＵＳＣＨに対するＮＡＣＫを検出した場合、前記第３のパラメータおよび前記送信回数に基づくランプアップを行なわずに、前記ＰＵＳＣＨの再送信を行なう
請求項７記載の端末装置。
【請求項９】
基地局装置と通信する端末装置における方法であって、
ハンドオーバコマンドおよび上りリンクグラントを受信するステップと、
サウンディング参照信号（ＳＲＳ）を送信するステップと、
物理上りリンク共用チャネル（ＰＵＳＣＨ）を送信するステップと、
前記上りリンクグラントに含まれる送信電力制御コマンドに基づいて、前記ＳＲＳの送信電力に用いられる第１の電力制御調整値を算出するステップと、
前記ハンドオーバコマンドにタイミングアドバンスコマンドが含まれる場合には、前記ハンドオーバコマンドに対するＲＲＣコネクション再設定コンプリートメッセージを含むＰＵＳＣＨの送信電力に用いられる第２の電力制御調整値の初期値を、前記ＳＲＳの前記第１の電力制御調整値にセットするステップと、
前記第１の電力制御調整値に基づいて、前記ＰＵＳＣＨの送信電力をセットするステップと、を含む
方法。
【請求項１０】
前記ハンドオーバコマンドに前記ＰＵＳＣＨに関する第１のパラメータが含まれ、且つ、前記第１のパラメータの値が変更されている場合には、前記ＰＵＳＣＨの送信電力に用いられる前記第２の電力制御調整値の初期値を、所定の値にセットするステップを含む
請求項９記載の方法。
【発明の詳細な説明】
【技術分野】
【０００１】
本発明の実施形態は、効率的な通信を実現する端末装置および方法の技術に関する。
【背景技術】
【０００２】
標準化プロジェクトである３ＧＰＰ（3rd General Partnership Project）において、
ＯＦＤＭ（Orthogonal Frequency Division Multiplexing）通信方式やリソースブロックと呼ばれる所定の周波数・時間単位の柔軟なスケジューリングの採用によって、高速な通信を実現させたＥＵＴＲＡ（Evolved Universal Terrestrial Radio Access）の標準化が行なわれた。なお、ＥＵＴＲＡにおける標準化技術を採用した通信全般をＬＴＥ（Long Term Evolution）通信と称する場合もある。
【０００３】
また、３ＧＰＰでは、より高速なデータ伝送を実現し、ＥＵＴＲＡに対して上位互換性を持つＡ−ＥＵＴＲＡ（Advanced EUTRA）の検討を行なっている。ＥＵＴＲＡでは、基地局装置がほぼ同一のセル構成（セルサイズ）から成るネットワークを前提とした通信システムであったが、Ａ−ＥＵＴＲＡでは、異なる構成の基地局装置（セル）が同じエリアに混在しているネットワーク（異種無線ネットワーク、ヘテロジニアスネットワーク）を前提とした通信システムの検討が行なわれている。
【０００４】
さらに、ハンドオーバの遅延を低減するための技術検討が行なわれている（非特許文献１）。
【先行技術文献】
【非特許文献】
【０００５】
【非特許文献１】”3GPP TR 36.881 v.0.5.0 (2015-11)”, R2-157181, 4th Dec. 2015.
【発明の概要】
【発明が解決しようとする課題】
【０００６】
通信装置（端末装置および／または基地局装置）において、従来の送信電力制御または送信制御では効率的な通信を行なうことができない場合がある。
【０００７】
本発明は上記の点に鑑みてなされたものであり、その目的は、効率的に通信を行なうための、送信電力制御または送信制御を行なうことができる端末装置および方法を提供することである。
【課題を解決するための手段】
【０００８】
（１）上記の目的を達成するために、本発明は、以下のような手段を講じた。すなわち、本発明の一態様による端末装置は、基地局装置と通信する端末装置であって、ハンドオーバコマンドおよび上りリンクグラントを受信する受信部と、サウンディング参照信号（ＳＲＳ）および物理上りリンク共用チャネル（ＰＵＳＣＨ）を送信する送信部と、を備え、前記送信部は、前記上りリンクグラントに含まれる送信電力制御コマンドに基づいて、前記ＳＲＳの送信電力に用いられる第１の電力制御調整値を算出し、前記送信部は、前記ハンドオーバコマンドにタイミングアドバンスコマンドが含まれる場合には、前記ハンドオーバコマンドに対するＲＲＣコネクション再設定コンプリートメッセージを含むＰＵＳＣＨの送信電力に用いられる第２の電力制御調整値の初期値を、前記ＳＲＳの前記第１の電力制御調整値にセットし、前記第１の電力制御調整値に基づいて、前記ＰＵＳＣＨの送信電力をセットする。
【０００９】
（２）また、本発明の一態様による方法は、基地局装置と通信する端末装置における方法であって、ハンドオーバコマンドおよび上りリンクグラントを受信するステップと、サウンディング参照信号（ＳＲＳ）を送信するステップと、物理上りリンク共用チャネル（ＰＵＳＣＨ）を送信するステップと、前記上りリンクグラントに含まれる送信電力制御コマンドに基づいて、前記ＳＲＳの送信電力に用いられる第１の電力制御調整値を算出するステップと、前記ハンドオーバコマンドにタイミングアドバンスコマンドが含まれる場合には、前記ハンドオーバコマンドに対するＲＲＣコネクション再設定コンプリートメッセージを含むＰＵＳＣＨの送信電力に用いられる第２の電力制御調整値の初期値を、前記ＳＲＳの前記第１の電力制御調整値にセットするステップと、前記第１の電力制御調整値に基づいて、前記ＰＵＳＣＨの送信電力をセットするステップと、を含む。
【発明の効果】
【００１０】
この発明によれば、基地局装置と端末装置が通信する無線通信システムにおいて、伝送効率を向上させることができる。
【図面の簡単な説明】
【００１１】
【図１】第１の実施形態に係る下りリンクの無線フレーム構成の一例を示す図である。
【図２】第１の実施形態に係る上りリンクの無線フレーム構成の一例を示す図である。
【図３】第１の実施形態に係る下りリンクおよび／または上りリンクの無線フレーム構成の別の一例を示す図である。
【図４】第１の実施形態に係るハンドオーバプロシージャの一例を示すシーケンス図である。
【図５】第１の実施形態に係る基地局装置のブロック構成の一例を示す図である。
【図６】第１の実施形態に係る端末装置のブロック構成の一例を示す図である。
【発明を実施するための形態】
【００１２】
＜第１の実施形態＞
本発明の第１の実施形態について以下に説明する。基地局装置（基地局、ノードＢ、ｅＮＢ（EUTRAN NodeB、evolved NodeB））と端末装置（端末、移動局、ユーザ装置、ＵＥ
（User equipment））とが、セルにおいて通信する通信システムを用いて説明する。
【００１３】
本実施形態で使用される主な物理チャネルおよび物理信号について説明を行なう。チャネルとは信号の送信に用いられる媒体を意味し、物理チャネルとは信号の送信に用いられる物理的な媒体を意味する。本実施形態において、物理チャネルは、物理信号と同義的に使用されてもよい。物理チャネルは、ＬＴＥにおいて、今後追加、または、その構造やフォーマット形式が変更または追加される可能性があるが、変更または追加された場合でも本発明の各実施形態の説明には影響しない。
【００１４】
ＬＴＥでは、物理チャネルまたは物理信号のスケジューリングについて無線フレームを用いて管理している。１無線フレームの時間長は１０ミリ秒（ｍｓ）であり、１無線フレームは１０サブフレームで構成される。さらに、１サブフレームは２スロットで構成される。すなわち、１サブフレームの時間長は１ｍｓ、１スロットの時間長は０．５ｍｓである。また、物理チャネルが配置されるスケジューリングの最小単位としてリソースブロックを用いて管理している。リソースブロックとは、周波数軸を複数サブキャリア（例えば１２サブキャリア）の集合で構成される一定の周波数領域と、一定の送信時間間隔（ＴＴＩ、スロット、シンボル）で構成される領域で定義される。なお、１サブフレームは、１リソースブロックペアと称されてもよい。また、ＬＴＥでは、基本的に、１ＴＴＩは１サ
ブフレーム（１ｍｓ）として規定されてもよい。なお、ＴＴＩは、受信側では受信時間間隔として規定されてもよい。ＴＴＩは、物理チャネルや物理信号の送信単位または受信単位として定義されてもよい。つまり、物理チャネルや物理信号の時間長は、ＴＴＩの長さに基づいて規定されてもよい。
【００１５】
ＬＴＥの時間単位Ｔｓは、サブキャリア間隔（例えば、１５ｋＨｚ）とＦＦＴサイズ（例えば、２０４８）に基づいている。つまり、Ｔｓは、１／（１５０００×２０４８）秒である。１スロットの時間長は、１５３６０・Ｔｓ（つまり、０．５ｍｓ）である。１サブフレームの時間長は、３０７２０・Ｔｓ（つまり、１ｍｓ）である。１無線フレームの時間長は、３０７２００・Ｔｓ（つまり、１０ｍｓ）である。
【００１６】
ＬＴＥでは、複数のセル（セルに対応するコンポーネントキャリア）を用いて通信を行なうＣＡ（Carrier Aggregation）が規定されている。ＣＡでは、初期アクセスやＲＲＣ
接続を確立するセルをプライマリセル（ＰＣｅｌｌ）、プライマリセルを用いて追加／変更／削除／アクティベーション・デアクティベーションされるセカンダリセルがある。
【００１７】
ＬＴＥでは、複数のセル（セルに対応するコンポーネントキャリア）を用いて通信を行なうＤＣ（Dual Connectivity）が規定されている。ＤＣでは、２つの基地局装置（Ｍｅ
ＮＢ（Master eNB）、ＳｅＮＢ（Secondary eNB））のそれぞれに属しているセルでグル
ープを構成する。ＭｅＮＢに属し、プライマリセルを含むセルグループをＭＣＧ（Mater Cell Group）とし、ＳｅＮＢに属し、プライマリセカンダリセル（ＰＳＣｅｌｌ）を含むセルグループをＳＣＧ（Secondary Cell Group）と規定している。プライマリセカンダリセルは、複数のセルグループが設定された場合の、プライマリセルを含まないセルグループ、つまり、ＳＣＧにおいて、プライマリセルと同様の機能を有するセル（セカンダリセル、プライマリセル以外のサービングセル）のことである。
【００１８】
プライマリセルとプライマリセカンダリセルは、各ＣＧにおけるプライセルの役割を担っている。ここで、プライマリセルとは、ＰＵＣＣＨおよび／またはＰＵＣＣＨに相当する制御チャネルが送信および／または割り当て可能なセルのことであってもよいし、初期アクセス手順／ＲＲＣ接続手順／初期コネクション確立手順に関連するセルであってもよいし、Ｌ１シグナリングでのランダムアクセス手順に関するトリガをかけることのできるセルであってもよいし、無線リンクをモニタリングするセルであってもよいし、セミパーシステントスケジューリングがサポートされるセルであってもよいし、ＲＬＦを検出／判定するセルであってもよいし、常にアクティベーションであるセルであってもよい。なお、本実施形態では、プライマリセルおよび／またはプライマリセカンダリセルの機能を有しているセルのことをスペシャルセルと呼称する場合がある。ＬＲ（Latency Reduction
）セルに対して、プライマリセル／プライマリセカンダリセル／セカンダリセルはＬＴＥと同様に規定されてもよい。
【００１９】
ＬＴＥでは、様々なフレーム構造タイプ（ＦＳ）が規定されている。次に、ＬＴＥに係るフレーム構造タイプについて説明する。
【００２０】
フレーム構造タイプ１（ＦＳ１）は、ＦＤＤ（Frequency Division Duplex）に対して
適用される。つまり、ＦＳ１は、ＦＤＤがサポートされたセルオペレーションに対して適用される。ＦＳ１は、ＦＤ−ＦＤＤ（Full Duplex-FDD）とＨＤ−ＦＤＤ（Half Duplex-FDD）の両方に適用できる。ＦＤＤでは、下りリンク送信および上りリンク送信のそれぞれに対して、１０サブフレームが利用可能である。ＦＤＤにおいて、下りリンク送信と上りリンク送信は周波数領域で分けられている。つまり、下りリンク送信と上りリンク送信で異なるキャリア周波数が適用される。ＨＤ−ＦＤＤオペレーションにおいて、端末装置は、同時に送信および受信を行なうことができないが、ＦＤ−ＦＤＤオペレーションにおい
て、端末装置は、同時に送信および受信を行なうことができる。
【００２１】
さらに、ＨＤ−ＦＤＤには２つのタイプがある。タイプＡ・ＨＤ−ＦＤＤオペレーションに対しては、ガードピリオドは、同じ端末装置からの上りリンクサブフレームの直前の下りリンクサブフレームの最後尾部分（最後尾のシンボル）を受信しないことによって端末装置によって生成される。タイプＢ・ＨＤ−ＦＤＤオペレーションに対しては、ＨＤガードサブフレームとして参照された、ガードピリオドは、同じ端末装置からの上りリンクサブフレームの直前の下りリンクサブフレームを受信しないことによって、および、同じ端末装置からの上りリンクサブフレームの直後の下りリンクサブフレームを受信しないことによって端末装置によって生成される。つまり、ＨＤ−ＦＤＤオペレーションにおいて、端末装置が下りリンクサブフレームの受信処理を制御することによってガードピリオドを生成している。なお、シンボルは、ＯＦＤＭシンボルまたはＳＣ−ＦＤＭＡシンボルのいずれかを含んでもよい。
【００２２】
フレーム構造タイプ２（ＦＳ２）は、ＴＤＤ（Time Division Duplex）に対して適用される。つまり、ＦＳ２は、ＴＤＤがサポートされたセルオペレーションに対して適用される。各無線フレームは、２つのハーフフレームで構成される。各ハーフフレームは、５つのサブフレームで構成される。あるセルにおけるＵＬ−ＤＬ設定は、無線フレーム間で変更されてもよい。上りリンクまたは下りリンク送信におけるサブフレームの制御は、最新の無線フレームにおいて行なわれてもよい。端末装置は、最新の無線フレームにおけるＵＬ−ＤＬ設定を、ＰＤＣＣＨまたは上位層シグナリングを介して取得することができる。なお、ＵＬ−ＤＬ設定は、ＴＤＤにおける、上りリンクサブフレーム、下りリンクサブフレーム、スペシャルサブフレームの構成を示す。スペシャルサブフレームは、下りリンク送信が可能なＤｗＰＴＳ（Downlink Pilot Time Slot）、ガードピリオド（ＧＰ）、上りリンク送信が可能なＵｐＰＴＳ（Uplink Pilot Time Slot）から構成される。スペシャルサブフレームにおけるＤｗＰＴＳとＵｐＰＴＳの構成はテーブルで管理されており、端末装置は、上位層シグナリングを介して、その構成を取得することができる。なお、スペシャルサブフレームが下りリンクから上りリンクへのスイッチングポイントとなる。つまり、端末装置は、スイッチングポイントを境に、受信から送信へと遷移し、基地局装置は、送信から受信へと遷移する。スイッチングポイントは、５ｍｓ周期と１０ｍｓ周期とがある。スイッチングポイントが５ｍｓ周期の場合、スペシャルサブフレームは両方のハーフフレームに存在する。スイッチングポイントが１０ｍｓ周期の場合、スペシャルサブフレームは、第１のハーフフレームにのみ存在する。
【００２３】
また、ＴＤＤでは、各セルの通信量（トラフィック量）や干渉を考慮した、ｅＩＭＴＡ（TDD enhanced Interference Management and Traffic Adaptation）技術が適用可能で
ある。ｅＩＴＭＡは、下りリンクおよび／または上りリンクの通信量や干渉量を考慮して、ダイナミックに（Ｌ１レベル、または、Ｌ１シグナリングを用いて）ＴＤＤの設定を切り替えることによって、無線フレーム内（つまり、１０サブフレーム内）に占める、下りリンクサブフレームと上りリンクサブフレームの割合を変え、最適な通信を行なう技術である。
【００２４】
ＦＳ１とＦＳ２は、ＮＣＰ（Normal Cyclic Prefix）とＥＣＰ（Extended Cyclic Prefix）が適用される。なお、ＥＣＰは、ＮＣＰよりもＣＰ長が長い。
【００２５】
フレーム構造タイプ３（ＦＳ３）は、ＬＡＡ（Licensed Assisted Access）セカンダリセルオペレーションに対して適用される。また、ＦＳ３は、ＮＣＰのみが適用されてもよい。無線フレームに含まれる１０サブフレームは、下りリンク送信に利用される。端末装置は、規定されない限り、または、下りリンク送信がそのサブフレームで検出されない限り、いずれかの信号があるサブフレームに存在すると仮定せず、空のサブフレームとして
、そのサブフレームを処理する。下りリンク送信は１つまたは複数の連続するサブフレームを専有する。連続するサブフレームは、最初のサブフレームと最後のサブフレームを含む。最初のサブフレームは、そのサブフレームのいずれかのシンボルまたはスロット（例えば、ＯＦＤＭシンボル＃０または＃７）から始まる。また、最後のサブフレームは、フルサブフレーム（つまり、１４ＯＦＤＭシンボル）か、ＤｗＰＴＳ期間の１つに基づいて示されたＯＦＤＭシンボルの数だけ専有される。なお、連続するサブフレームのうち、あるサブフレームが最後のサブフレームであるかどうかは、ＤＣＩフォーマットに含まれるあるフィールドによって、端末装置に示される。そのフィールドは、さらに、そのフィールドを検出したサブフレームまたその次のサブフレームに用いられるＯＦＤＭシンボルの数が示されてもよい。また、ＦＳ３では、基地局装置は、下りリンク送信を行なう前に、ＬＢＴに関連するチャネルアクセス手順を行なう。
【００２６】
なお、ＦＳ３において、現在のところ、下りリンク送信のみをサポートしているが、将来的には、上りリンク送信もサポートしてもよい。その際、下りリンク送信のみをサポートしているＦＳ３をＦＳ３−１またはＦＳ３−Ａ、下りリンク送信および上りリンク送信をサポートしているＦＳ３をＦＳ３−２またはＦＳ３−Ｂとして規定されてもよい。
【００２７】
ＦＳ３をサポートしている端末装置および基地局装置は、免許不要の周波数帯で通信を行なってもよい。
【００２８】
ＬＡＡまたはＦＳ３のセルに対応するオペレーティングバンドは、ＥＵＴＲＡオペレーティングバンドのテーブルとともに管理されてもよい。例えば、ＥＵＴＲＡオペレーティングバンドのインデックスは、１〜４４で管理され、ＬＡＡ（またはＬＡＡの周波数）に対応するオペレーティングバンドのインデックスは、４６で管理されてもよい。例えば、インデックス４６では、下りリンクの周波数帯のみが規定されてもよい。また、一部のインデックスにおいては、上りリンクの周波数帯が予約または将来規定されるものとして予め確保されてもよい。また、対応するデュプレックスモードは、ＦＤＤやＴＤＤとは異なるデュプレックスモードであってもよいし、ＦＤＤやＴＤＤであってもよい。ＬＡＡオペレーションが可能な周波数は、５ＧＨｚ以上であることが好ましいが、５ＧＨｚ以下であってもよい。つまり、ＬＡＡに対応するオペレーティングバンドとして、対応付けられた周波数において、ＬＡＡオペレーションの通信が行なわれてもよい。
【００２９】
本発明において、時間領域は、時間長やシンボルの数で表されてもよい。また、周波数領域は、帯域幅やサブキャリアの数、周波数方向のリソースエレメントの数、リソースブロック数などで表されてもよい。
【００３０】
ＬＲセルでは、サブフレームのタイプや上位層の設定情報、Ｌ１シグナリングに含まれる制御情報に基づいて、ＴＴＩのサイズが変更可能であってもよい。
【００３１】
ＬＲセルでは、グラントが不要なアクセスが可能であってもよい。なお、グラントが不要なアクセスとは、ＰＤＳＣＨやＰＵＳＣＨ（下りリンクや上りリンクの共用チャネル／データチャネル）のスケジュールを指示する制御情報（ＤＣＩフォーマット、下りリンクグラント、上りリンクグラント）を用いないアクセスのことである。つまり、ＬＲセルでは、ＰＤＣＣＨ（下りリンクの制御チャネル）を用いた、ダイナミックなリソース割り当てや送信指示を行なわないアクセス方式が適用されてもよい。
【００３２】
ＬＲセルでは、端末装置は、端末装置の機能（性能、能力）および基地局装置からの設定に基づいて、下りリンクリソース（信号、チャネル）に対応するＨＡＲＱ−ＡＣＫ（Hybrid Automatic Repeat request-Acknowledgement/Negative acknowledgement）および／またはＣＳＩ（Channel State Information）フィードバックを、同じサブフレームにマ
ップされた上りリンクリソース（信号、チャネル）を用いて行なってもよい。なお、このサブフレームにおいて、あるサブフレームにおけるＣＳＩの測定結果に対するＣＳＩに関する参照リソースは、同じサブフレームのＣＲＳまたはＣＳＩ−ＲＳであってもよい。このようなサブフレームは、自己完結型のサブフレームと呼称されてもよい。
【００３３】
なお、自己完結型のサブフレームは、連続する１つ以上のサブフレームで構成されてもよい。つまり、自己完結型のサブフレームは、複数のサブフレームで構成されてもよいし、複数のサブフレームで構成される１つの送信バーストであってもよい。自己完結型のサブフレームを構成する最後尾のサブフレーム（最後尾を含む後方のサブフレーム）は、上りリンクサブフレームかスペシャルサブフレームであることが好ましい。つまり、この最後尾のサブフレームにおいて、上りリンク信号／チャネルが送信されることが好ましい。
【００３４】
自己完結型のサブフレームが、複数の下りリンクサブフレームと１つの上りリンクサブフレームまたはスペシャルサブフレームで構成される場合、その複数の下りリンクサブフレームのそれぞれに対するＨＡＲＱ−ＡＣＫ（Hybrid Automatic Repeat request-Acknowledgement/Negative acknowledgement）は、その１つの上りリンクサブフレームまたはスペシャルサブフレームのＵｐＰＴＳで送信されてもよい。
【００３５】
通信装置は、信号を受信（復調復号）できたか否かに基づいて、その信号に対するＡＣＫまたはＮＡＣＫを決定する。ＡＣＫは、通信装置において、信号を受信できたことを示し、ＮＡＣＫは、通信装置において、信号を受信できなかったことを示す。ＮＡＣＫがフィードバックされた通信装置は、ＮＡＣＫである信号の再送信を行なってもよい。端末装置は、基地局装置から送信された、ＰＵＳＣＨに対するＨＡＲＱ−ＡＣＫの内容に基づいて、ＰＵＳＣＨを再送信するか否かを決定する。基地局装置は、端末装置から送信された、ＰＤＳＣＨまたはＰＤＣＣＨ／ＥＰＤＣＣＨに対するＨＡＲＱ−ＡＣＫの内容に基づいて、ＰＤＳＣＨを再送信するか否かを決定する。端末装置が送信したＰＵＳＣＨに対するＡＣＫ／ＮＡＣＫは、ＰＤＣＣＨまたはＰＨＩＣＨを用いて端末装置にフィードバックされる。基地局装置が送信したＰＤＳＣＨまたはＰＤＣＣＨ／ＥＰＤＣＣＨに対するＡＣＫ／ＮＡＣＫは、ＰＵＣＣＨまたはＰＵＳＣＨを用いて基地局装置にフィードバックされる。
【００３６】
なお、本発明において、サブフレームは、基地局装置および／または端末装置の送信単位および／または受信単位を示している。
【００３７】
基地局装置は、ＣＣＣＨ（Common Control Channel）に対するＬＣＩＤ（Logical Channel ID）と端末装置の能力情報（性能情報、機能情報）に基づいて端末装置がＬＲ（Latency Reduction）デバイスであることを決定してもよい。
【００３８】
端末装置および／または基地局装置が、ＬＲに関する能力をサポートしている場合、受信信号および／または送信信号に用いられるＴＴＩの長さ（シンボル数）に基づいて、処理時間（処理遅延、レイテンシー）が決定されてもよい。つまり、ＬＲに関する能力をサポートしている端末装置および／または基地局装置の処理時間は、受信信号および／または送信信号に対するＴＴＩ長に基づいて可変であってもよい。
【００３９】
Ｓ１シグナリングがページングに対する端末無線能力情報を含んで拡張している。このページング固有の能力情報が基地局装置によってＭＭＥ（Mobility Management Entity）に提供されると、ＭＭＥからのページング要求がＬＲ端末に関することを基地局装置に指示するために、ＭＭＥはこの情報を用いられてもよい。識別子は、ＩＤ（Identity, Identifier）と称されてもよい。
【００４０】
端末装置の能力情報（UE radio access capability, UE EUTRA capability）は、基地
局装置（ＥＵＴＲＡＮ）が端末装置の能力情報が必要な時、接続モードの端末装置に対する手順を開始する。基地局装置は、端末装置の能力情報を問い合わせる。端末装置は、その問い合わせに応じて端末装置の能力情報を送信する。基地局装置は、その能力情報に対応しているか否かを判断し、対応している場合には、その能力情報に対応した設定情報を、上位層シグナリングなどを用いて端末装置へ送信する。端末装置は、能力情報に対応する設定情報が設定されたことによって、その機能に基づく送受信が可能であると判断する。
【００４１】
図１は、本実施形態に係る下りリンクの無線フレーム構成の一例を示す図である。下りリンクはＯＦＤＭアクセス方式が用いられる。下りリンクでは、ＰＤＣＣＨ（Physical Downlink Control Channel）、ＥＰＤＣＣＨ（Enhanced PDCCH）、ＰＤＳＣＨ（Physical Downlink Shared Channel）などが割り当てられる。下りリンクの無線フレームは、下り
リンクのリソースブロック（ＲＢ）ペアから構成されている。この下りリンクのＲＢペアは、下りリンクの無線リソースの割り当てなどの単位であり、予め決められた幅の周波数帯（ＲＢ帯域幅）および時間帯（２個のスロット＝１個のサブフレーム）からなる。１個の下りリンクのＲＢペアは、時間領域で連続する２個の下りリンクのＲＢ（ＲＢ帯域幅×スロット）から構成される。１個の下りリンクのＲＢは、周波数領域において１２個のサブキャリアから構成される。また、時間領域においては、通常のサイクリックプレフィックス（NCP: Normal CP）が付加される場合には７個、ＮＣＰよりも長いＣＰ長を有する拡張サイクリックプレフィックス（ECP: Extended CP）が付加される場合には６個のＯＦＤＭシンボルから構成される。周波数領域において１つのサブキャリア、時間領域において１つのＯＦＤＭシンボルにより規定される領域をリソースエレメント（ＲＥ）と称する。ＰＤＣＣＨ／ＥＰＤＣＣＨは、端末装置識別子、ＰＤＳＣＨのスケジューリング情報、ＰＵＳＣＨ（Physical Uplink Shared Channel）のスケジューリング情報、変調方式、符号化率、再送パラメータなどの下りリンク制御情報（ＤＣＩ）が送信される物理チャネルである。なお、ここでは１つのコンポーネントキャリア（ＣＣ）における下りリンクサブフレームを記載しているが、ＣＣ毎に下りリンクサブフレームが規定され、下りリンクサブフレームはＣＣ間でほぼ同期している。ここで、ＣＣ間でほぼ同期しているとは、基地局装置から複数のＣＣを用いて送信する場合、各ＣＣの送信タイミングの誤差が所定の範囲内に収まることである。
【００４２】
なお、ここでは図示していないが、下りリンクサブフレームには、ＳＳ（Synchronization Signal）やＰＢＣＨ（Physical Broadcast Channel）やＤＬＲＳ（Downlink Reference Signal）が配置されてもよい。ＤＬＲＳとしては、ＰＤＣＣＨと同じアンテナポート
（送信ポート）で送信されるＣＲＳ（Cell-specific Reference Signal）、チャネル状態情報（ＣＳＩ）の測定に用いられるＣＳＩ−ＲＳ（Channel State Information Reference Signal）、一部のＰＤＳＣＨと同じアンテナポートで送信されるＵＥＲＳ（UE-specific Reference Signal）、ＥＰＤＣＣＨと同じ送信ポートで送信されるＤＭＲＳ（Demodulation Reference Signal）などがある。また、ＣＲＳが配置されないキャリアであっても
よい。このとき一部のサブフレーム（例えば、無線フレーム中の１番目と６番目のサブフレーム）に、時間および／または周波数のトラッキング用の信号として、ＣＲＳの一部のアンテナポート（例えば、アンテナポート０だけ）あるいは全部のアンテナポートに対応する信号と同様の信号（拡張同期信号と呼称する）を挿入することができる。ここで、アンテナポートは送信ポートと称されてもよい。ここで、“物理チャネル／物理信号がアンテナポートで送信される”とは、アンテナポートに対応する無線リソースやレイヤを用いて物理チャネル／物理信号が送信されるという意味を含む。例えば、受信部は、アンテナポートに対応する無線リソースやレイヤから物理チャネルや物理信号を受信することを意味する。
【００４３】
図２は、本実施形態に係る上りリンクの無線フレーム構成の一例を示す図である。上りリンクはＳＣ−ＦＤＭＡ方式が用いられる。上りリンクでは、ＰＵＳＣＨ（Physical Uplink Shared Channel）、ＰＵＣＣＨ（Physical Uplink Control Channel）などが割り当
てられる。また、ＰＵＳＣＨやＰＵＣＣＨとともに、ＵＬＲＳ（Uplink Reference Signal）が割り当てられる。上りリンクの無線フレームは、上りリンクのＲＢペアから構成さ
れている。この上りリンクのＲＢペアは、上りリンクの無線リソースの割り当てなどの単位であり、予め決められた幅の周波数領域（ＲＢ帯域幅）および時間領域（２個のスロット＝１個のサブフレーム）からなる。１個の上りリンクのＲＢペアは、時間領域で連続する２個の上りリンクのＲＢ（ＲＢ帯域幅×スロット）から構成される。１個の上りリンクのＲＢは、周波数領域において１２個のサブキャリアから構成される。時間領域においては、通常のサイクリックプレフィックス（Normal CP: NCP）が付加される場合には７個、通常よりも長いサイクリックプレフィックス（Extended CP: ECP）が付加される場合には６個のＳＣ−ＦＤＭＡシンボルから構成される。なお、ここでは１つのＣＣにおける上りリンクサブフレームを記載しているが、ＣＣ毎に上りリンクサブフレームが規定されてもよい。
【００４４】
図１と図２は、異なる物理チャネル／物理信号は周波数分割多重（ＦＤＭ）および／または時分割多重（ＴＤＭ）されている例を示している。
【００４５】
図３は、本実施形態に係る下りリンクおよび／または上りリンクの無線フレーム構成の別の一例を示す図である。時間および／または周波数の同期や制御チャネル（制御信号）および／またはデータチャネル（データ信号、共用チャネル）の復調・復号、チャネル測定（ＲＲＭ、ＣＳＩ、チャネルサウンディング）に用いられるパイロットチャネル（図３のPilot）、ＨＡＲＱ−ＡＣＫやＣＳＩなどの制御情報を送信するために用いられる制御
チャネル（図３のControl）、ＲＲＣメッセージやユニキャスト情報など、ユーザデータ
を送信するために用いられるデータチャネルで構成される（図３のData）。パイロットチャネルは、ＬＴＥでは、ＰＳＳ／ＳＳＳやＤＬＲＳやＵＬＲＳ、ＰＲＡＣＨに相当してもよい。制御チャネルは、ＬＴＥでは、ＰＤＣＣＨやＰＵＣＣＨに相当してもよい。データ信号は、ＬＴＥでは、ＰＤＳＣＨやＰＵＳＣＨに相当してもよい。下りリンクはＯＦＤＭ方式が用いられ、上りリンクはＳＣ−ＦＤＭＡ方式が用いられてもよいし、下りリンクと上りリンクで同じ方式が用いられてもよい。なお、ここでは１つのＣＣの構成を記載しているが、ＣＣ毎に構成が規定されてもよい。サブキャリア帯域幅（サブキャリア間隔）は、オペレーティングバンドに関連して規定されてもよいし、基地局装置から上位層の信号を介して設定されてもよいし、端末装置がブラインド検出したパイロットチャネルのサブキャリア間隔に基づいて規定されてもよい。サブキャリア間隔が上位層の信号を介して設定される場合、サブキャリア間隔はセル毎に設定されてもよいし、物理チャネル／物理信号毎に設定されてもよい。なお、シンボル長は、サブキャリア間隔に基づいて、一意に規定されてもよいし、付加されるＣＰの長さと関連付けられて規定されてもよい。図３では、パイロットチャネルと制御チャネルとデータチャネルがＴＤＭされている場合を示しているが、図１や図２のように、異なる物理チャネル／物理信号はＦＤＭおよび／またはＴＤＭされてもよい。
【００４６】
本実施形態において、上位層の信号とは、ＭＩＢやＳＩＢなどのシステムインフォメーションであってもよいし、ＲＲＣシグナリングのような物理層よりも上位の層の信号／シグナリングのことであってもよい。
【００４７】
図３では、パイロットチャネルと制御チャネルは、時間領域において、１シンボルにマップされる例を示しているが、パイロットチャネルと制御チャネルは、１シンボルよりも多くのシンボルを用いてマップされてもよい。また、制御信号は、データ信号に含まれてもよい。制御チャネルとデータチャネルが共通の領域でマップ可能な場合は、共有チャネ
ルとして規定されてもよい。共用チャネルの中に、端末装置に係る制御信号がマップされたサーチスペースが含まれてもよい。そのサーチスペースを示す情報は、システムインフォメーションに含まれてもよいし、ＲＲＣメッセージに含まれてもよいし、所定の周波数ポジション（キャリア周波数、帯域幅の中の所定の周波数）で送信される制御チャネルによって示されてもよいし、パイロットチャネルによって規定される識別子によって示されてもよい。
【００４８】
また、図３において、パイロットチャネルには、複数の種類の信号／チャネルが個別に設定されてもよい。プリアンブルに相当するチャネル／信号や、同期チャネル／信号、復調参照チャネル／信号、チャネル測定のためのチャネル／信号、が個別に設定されてもよい。個別に設定されない場合は、共通のチャネル／信号として、種々の測定や復調・復号に用いられてもよい。
【００４９】
また、図３では、周波数領域において、帯域幅全体に、各チャネル／信号のリソースが割り当てている例を示しているが、一部の周波数（周波数リソース、帯域幅）にマップされてもよい。つまり、１つのコンポーネントキャリアに複数の端末装置がＦＤＭされるような構成であってもよい。
【００５０】
また、図３におけるパイロットチャネルは、用途に応じて、サブキャリア間隔や割り当て可能な周波数リソース（周波数領域）、割り当て可能なシンボルの数（時間領域）が変わってもよい。
【００５１】
また、図３におけるパイロットチャネルと制御チャネルの時間方向のポジションは、逆であってもよい。チャネル測定や同期に用いられるパイロットチャネルは、制御チャネルに含まれる送信要求に関する情報によって送信が制御されてもよい。
【００５２】
また、図３における復調および／または復号用のパイロットチャネルは、データチャネル領域の中にマップされてもよい。
【００５３】
また、図３におけるデータチャネルは、パイロットチャネルと制御チャネルを除くＴＴＩを埋めるようにマッピングされなくてもよい。つまり、データチャネルの時間方向のマッピングは、制御チャネルに含まれる制御情報に基づいて規定されてもよい。
【００５４】
次に、本実施形態に係る物理チャネルおよび物理信号について説明する。
【００５５】
物理チャネルおよび／または物理信号の設定に関するパラメータは上位層パラメータとして上位層シグナリングを介して端末装置に設定されてもよい。また、一部の物理チャネルおよび／または物理信号の設定に関するパラメータはＤＣＩフォーマットやグラントなど、Ｌ１シグナリング（物理層シグナリング、例えば、ＰＤＣＣＨ／ＥＰＤＣＣＨ）を介して端末装置に設定されてもよい。また、物理チャネルおよび／または物理信号の設定に関するパラメータはデフォルトの設定またはデフォルト値が端末装置に予め設定されてもよい。端末装置は、上位層シグナリングを用いて、それらの設定に関するパラメータが通知されると、デフォルト値を更新してもよい。また、対応する設定に応じて、その設定を通知するために用いられる上位層シグナリング／メッセージの種類は異なってもよい。例えば、上位層シグナリング／メッセージは、ＲＲＣメッセージや報知情報、システムインフォメーションなどが含まれてもよい。
【００５６】
同期信号は、ＰＳＳ（Primary Synchronization Signal）とＳＳＳ（Secondary Synchronization Signal）がある。ＰＳＳは３種類あり、ＳＳＳは周波数領域において、中心周波数またはＤＣサブキャリアを中心として、互い違いに配置される３１種類の符号から構
成される。端末装置において検出されたＰＳＳとＳＳＳの組み合わせによって、基地局装置を識別する５０４通りのセル識別子（物理セルＩＤ（ＰＣＩ））と、無線同期のためのフレームタイミングが示される。端末装置は、セルサーチによって受信した同期信号の物理セルＩＤを特定する。ＰＳＳ／ＳＳＳは、送信帯域幅（またはシステム帯域幅）の中心の６ＲＢｓ（つまり、７２ＲＥｓ、７２サブキャリア）を用いて割り当てられる。ただし、ＰＳＳ／ＳＳＳの系列が割り当てられない６ＲＢｓの両端の数サブキャリアについては、ＰＳＳ／ＳＳＳがマップされなくてもよい。つまり、端末装置は、ＰＳＳ／ＳＳＳの系列が割り当てられていないリソースについてもＰＳＳ／ＳＳＳのリソースとみなして処理を行なう。言い換えると、中心の６ＲＢｓにおいて、ＰＳＳ／ＳＳＳが送信されないリソースが存在してもよい。
【００５７】
ＬＲセルにおいては、周波数同期と時間同期に対する物理チャネル／物理信号は、個別の物理チャネル／物理信号として規定されてもよい。つまり、周波数同期の物理チャネルと時間同期の物理チャネルは、送信タイミング（または送信タイミングオフセット）および／または送信周期が個別に規定されてもよい。
【００５８】
ＰＢＣＨ（Physical Broadcast Channel）は、セル内の端末装置で共通に用いられる制御パラメータ（報知情報、システムインフォメーション（ＳＩ））を通知（設定）するために用いられる。ＰＤＣＣＨで報知情報が送信される無線リソースがセル内の端末装置に対して通知され、ＰＢＣＨで通知されない報知情報は、通知された無線リソースにおいて、ＰＤＳＣＨによって報知情報を通知するレイヤ３メッセージ（またはシステムインフォメーション）が送信される。ＢＣＨ（Broadcast Channel）がマッピングされたＰＢＣＨ
のＴＴＩ（繰り返しレート）は４０ｍｓである。
【００５９】
ＰＢＣＨは、送信帯域幅（またはシステム帯域幅）の中心の６ＲＢｓ（つまり、７２ＲＥｓ、７２サブキャリア）を用いて割り当てられる。また、ＰＢＣＨは、ＳＦＮ（システムフレーム番号、無線フレーム番号）ｍｏｄ４＝０を満たす無線フレームから始まる４つ連なる無線フレームで送信される。ＰＢＣＨのスクランブルシーケンスは、ＳＦＮ（無線フレーム番号）ｍｏｄ４＝０を満たす各無線フレームにおいて、ＰＣＩを用いて初期化される。ＰＢＣＨのアンテナポートの数は、ＣＲＳのアンテナポートの数と同じである。ＰＤＳＣＨは、ＰＢＣＨやＣＲＳと重複するリソースで送信されない。つまり、端末装置は、ＰＢＣＨやＣＲＳと同じリソースにＰＤＳＣＨがマップされていると期待しない。また、基地局装置は、ＰＢＣＨやＣＲＳと同じリソースにＰＤＳＣＨをマップして送信しない。
【００６０】
ＰＢＣＨは、システム制御情報（マスターインフォメーションブロック（ＭＩＢ））を報知するために用いられる。
【００６１】
ＭＩＢはＢＣＨで送信されるシステムインフォメーションを含んでいる。例えば、ＭＩＢに含まれるシステムインフォメーションには、下りリンク送信帯域幅やＰＨＩＣＨ設定、システムフレーム番号が含まれる。また、ＭＩＢには、１０ビットのスペアビット（ビット列）が含まれる。なお、下りリンク送信帯域幅は、モビリティ制御情報に含まれてもよい。モビリティ制御情報は、ＲＲＣコネクション再設定に関する情報に含まれてもよい。つまり、下りリンク送信帯域幅は、ＲＲＣメッセージ／上位層シグナリングを介して、設定されてもよい。また、ＲＲＣコネクション再設定に関する情報は、ＤＬ−ＤＣＣＨ（Downlink Dedicated Control Channel）メッセージに含まれてもよい。ＤＬ−ＤＣＣＨメッセージは、基地局装置から端末装置へ送信されるＲＲＣメッセージの１つである。
【００６２】
ＵＬ−ＤＣＣＨメッセージには、ＲＲＣコネクション再設定や、下りリンク情報転送、セキュリティモード、カウンタチェック、端末装置情報リクエスト、端末装置の能力情報
の問い合わせのいずれかのメッセージが含まれてもよい。ＤＬ−ＤＣＣＨメッセージは、上述のメッセージの１つが選択されてもよい。
【００６３】
ＵＬ−ＤＣＣＨメッセージには、測定レポートやＲＲＣコネクション再設定コンプリート、ＲＲＣコネクション確立コンプリート、上りリンク情報転送、セキュリティモードコンプリート、セキュリティモード応答、カウンタチェック応答、端末装置の能力情報のいずれかのメッセージが含まれてもよい。ＵＬ−ＤＣＣＨメッセージは、上述のメッセージの１つが選択されてもよい。
【００６４】
なお、本発明において、ビット列はビットマップと称されてもよい。ビット列は、１つ以上のビットで構成されてもよい。
【００６５】
ＭＩＢ以外で送信されるシステムインフォメーションは、システムインフォメーションブロック（ＳＩＢ）で送信される。システムインフォメーションメッセージ（ＳＩメッセージ）は、１つ以上のＳＩＢを伝送するために用いられる。ＳＩメッセージに含まれるすべてのＳＩＢは同じ周期で送信される。また、すべてのＳＩＢは、ＤＬ−ＳＣＨ（Downlink Shared Channel）で送信される。なお、ＤＬ−ＳＣＨは、ＤＬ−ＳＣＨデータやＤＬ
−ＳＣＨトランスポートブロックと称されてもよい。なお、本発明において、トランスポートブロックはトランスポートチャネルと同義である。
【００６６】
ＳＩメッセージがマップされたＤＬ−ＳＣＨが伝送されるＰＤＳＣＨのリソース割り当ては、ＳＩ−ＲＮＴＩでスクランブルされたＣＲＣを伴うＰＤＣＣＨを用いて示される。ＳＩ−ＲＮＴＩでスクランブルされたＣＲＣを伴うＰＤＣＣＨのサーチスペースは、ＣＳＳである。
【００６７】
ランダムアクセスレスポンスに関する情報がマップされたＤＬ−ＳＣＨが伝送されるＰＤＳＣＨのリソース割り当ては、ＲＡ−ＲＮＴＩでスクランブルされたＣＲＣを伴うＰＤＣＣＨを用いて示される。ＲＡ−ＲＮＴＩでスクランブルされたＣＲＣを伴うＰＤＣＣＨのサーチスペースは、ＣＳＳである。
【００６８】
ページングメッセージがマップされたＰＣＨが伝送されるＰＤＳＣＨのリソース割り当ては、Ｐ−ＲＮＴＩでスクランブルされたＣＲＣを伴うＰＤＣＣＨを用いて示される。Ｐ−ＲＮＴＩでスクランブルされたＣＲＣを伴うＰＤＣＣＨのサーチスペースは、ＣＳＳである。なお、ＰＣＨは、ＰＣＨデータやＰＣＨトランスポートブロックと称されてもよい。本発明において、ページングメッセージとＰＣＨは同義であってもよい。
【００６９】
ＳＩＢはタイプ毎に送信可能なシステムインフォメーションが異なる。つまり、タイプ毎に示される情報が異なる。
【００７０】
例えば、システムインフォメーションブロックタイプ１（ＳＩＢ１）は、端末装置があるセルにアクセスする際の推定（評価、測定）に関連する情報を含み、他のシステムインフォメーションのスケジューリングを定義する。例えば、ＳＩＢ１は、ＰＬＭＮ識別子リストやセル識別子、ＣＳＧ識別子などのセルアクセスに関連する情報やセル選択情報、最大電力値（P-Max）、周波数バンドインディケータ、ＳＩウインドウ長、ＳＩメッセージ
に対する送信周期、ＴＤＤ設定などを含んでいる。
【００７１】
ブロードキャストを介して、または、専用シグナリングを介して、ＳＩＢ１を受信すると、端末装置は、Ｔ３１１が起動している間のアイドルモードまたは接続モードであるとすれば、そして、端末装置がカテゴリー０端末であるとすれば、そして、カテゴリー０端末がセルへのアクセスを許可されていることを指示する情報（category0Allowed）がＳＩ
Ｂ１に含まれていないとすれば、セルへのアクセスが禁止されているとみなす。すなわち、カテゴリー０端末は、ＳＩＢ１において、カテゴリー０端末がセルへのアクセスを許可されていないとすれば、そのセルへアクセスすることはできない。
【００７２】
例えば、システムインフォメーションブロックタイプ２（ＳＩＢ２）は、すべての端末装置に対して共通である無線リソース設定情報を含んでいる。例えば、ＳＩＢ２は、上りリンクキャリア周波数や上りリンク帯域幅などの周波数情報や時間調整タイマーに関する情報などを含んでいる。また、ＳＩＢ２は、ＰＤＳＣＨやＰＲＡＣＨ、ＳＲＳ、上りリンクＣＰ長などの物理チャネル／物理信号の設定に関する情報などを含んでいる。また、ＳＩＢ２は、ＲＡＣＨやＢＣＣＨなど上位層のシグナリングの設定に関する情報を含んでいる。
【００７３】
例えば、システムインフォメーションブロックタイプ３（ＳＩＢ３）は、イントラ周波数、インター周波数、インターＲＡＴ（Radio Access Technology）のセル再選択に対し
て共通の情報（パラメータ、パラメータの値）を含んでいる。
【００７４】
ＬＴＥでは、２０タイプのＳＩＢが用意されているが、用途によって新たに追加／規定されてもよい。なお、ＬＲの機能をサポートしているＬＴＥ端末またはＬＴＥの機能とＬＲの機能の両方をサポートしている端末装置に対して、ＳＩＢＸ（Ｘは所定の値）を用いてＬＲに関する各設定（リソース割り当てや種々の識別子など）が行なわれてもよい。ＬＲに関する種々の設定（パラメータ、情報要素）は、既存のタイプのＳＩＢに含まれてもよいし、ＬＲのために追加されたＳＩＢに含まれてもよい。
【００７５】
ＳＩメッセージは、ＳＩＢ１以外のＳＩＢが含まれてもよい。
【００７６】
ＰＢＣＨは、４０ｍｓ間隔内の４サブフレームにおいて、符号化されたＢＣＨトランスポートブロックがマップされる。ＰＢＣＨの４０ｍｓタイミングはブラインド検出される。つまり、４０ｍｓタイミングを指示するための明示的なシグナリングはない。各サブフレームはセルフ復号が可能であると仮定される。つまり、ＢＣＨは、かなり良いチャネル状態と仮定され、１回の受信で復号されることができる。
【００７７】
ＭＩＢ（またはＰＢＣＨ）は、４０ｍｓ周期で、４０ｍｓ内で繰り返される固定のスケジュールを用いる。ＭＩＢの最初の送信はシステムフレーム番号（ＳＦＮ）を４で割った余りが０（ＳＦＮ  ｍｏｄ  ４＝０）となる無線フレームのサブフレーム＃０でスケジュールされ、他のすべての無線フレームのサブフレーム＃０で繰り返しがスケジュールされる。つまり、ＭＩＢに含まれる情報は、４０ｍｓ周期で更新されることがある。なお、ＳＦＮは、無線フレーム番号と同義である。
【００７８】
ＳＩＢ１は、８０ｍｓ周期で、８０ｍｓ内で繰り返される固定のスケジュールを用いる。ＳＩＢ１の最初の送信は、ＳＦＮを８で割った余りが０（ＳＦＮ  ｍｏｄ  ８＝０）となる無線フレームのサブフレーム＃５でスケジュールされ、ＳＦＮを２で割った余りが０（ＳＦＮ  ｍｏｄ  ２＝０）となる他のすべての無線フレームのサブフレーム＃５で繰り返しがスケジュールされる。
【００７９】
ＳＩメッセージは、ダイナミックスケジューリング（ＰＤＣＣＨスケジューリング、ＳＩ−ＲＮＴＩ（System Information Radio Network Temporary Identifier）がスクラン
ブルされたＣＲＣを伴うＰＤＣＣＨ）を用いて周期的に生じる時間領域ウインドウ（ＳＩウインドウ）内に送信される。各ＳＩメッセージはＳＩウインドウと関連付けられ、異なるＳＩメッセージのＳＩウインドウは重複しない。１つのＳＩウインドウ内において、対応するＳＩだけが送信される。ＳＩウインドウの長さは、すべてのＳＩメッセージに対し
て共通であり、設定可能である。ＳＩウインドウ内において、ＭＢＳＦＮ（Multimedia Broadcast multicast service Single Frequency Network）サブフレーム、ＴＤＤの上り
リンクサブフレーム、ＳＦＮを２で割った余りが０（ＳＦＮ  ｍｏｄ  ２＝０）となる無線フレームのサブフレーム＃５以外のサブフレームにおいて何度でも送信されることができる。端末装置は、ＰＤＣＣＨのＳＩ−ＲＮＴＩをデコードすることによって詳細な時間領域スケジューリング（および、周波数領域スケジューリングや使用されたトランスポートフォーマットなどの他の情報）を捕捉する。なお、ＳＩメッセージにはＳＩＢ１以外のＳＩＢが含まれる。
【００８０】
端末装置は、ＥＵＴＲＡＮによって報知されたＡＳおよびＮＡＳのシステムインフォメーションを捕捉するためにシステムインフォメーション捕捉手順を適用する。この手順は、アイドルモード（アイドル状態、ＲＲＣ＿ＩＤＬＥ）および接続モード（接続状態、ＲＲＣ＿ＣＯＮＮＥＣＴＥＤ）の端末装置に適用される。
【００８１】
端末装置は、必要なシステムインフォメーションの有効なバージョンを持つ必要がある。
【００８２】
アイドルモードであれば、関連するＲＡＴのサポートに依存するシステムインフォメーションブロックタイプ８（ＳＩＢ８）やＲＡＮ（Radio Access Network）がアシストするＷＬＡＮ（Wireless Local Area Network）インターワーキングのサポートに依存するシ
ステムインフォメーションブロックタイプ１７を介して、ＳＩＢ２だけでなく、ＭＩＢやＳＩＢ１も必要である。つまり、端末装置がサポートしている機能に応じて、必要なＳＩＢも異なる場合がある。
【００８３】
接続モードであるためには、端末装置は、ＭＩＢ、ＳＩＢ１、ＳＩＢ２、ＳＩＢ１７を受信する必要がある。
【００８４】
端末装置は、保持したシステムインフォメーションが有効であると確認してから３時間後にそのシステムインフォメーションを削除する。つまり、端末装置は、一度保持したシステムインフォメーションを永久に保持し続けるわけではない。端末装置は、所定の時間が経過すれば、保持したシステムインフォメーションを削除する。
【００８５】
端末装置は、ＳＩＢ１に含まれるシステムインフォメーションバリュータグが保持されたシステムインフォメーションの１つと異なるとすれば、システムインフォメーションブロックタイプ１０（ＳＩＢ１０）、システムインフォメーションブロックタイプ１１（ＳＩＢ１１）、システムインフォメーションブロックタイプ１２（ＳＩＢ１２）、システムインフォメーションブロックタイプ１４（ＳＩＢ１４）を除く、保持されたシステムインフォメーションを無効であるとみなす。
【００８６】
ＰＢＣＨは、周波数領域においては下りリンク帯域幅設定における中心の６ＲＢｓ（７２ＲＥｓ）に割り当てられ、時間領域においてはサブフレーム０（無線フレーム内の１番目のサブフレーム、サブフレームのインデクス０）のスロット１（サブフレーム内の２番目のスロット、スロットインデクス１）のインデクス（ＯＦＤＭシンボルのインデクス）０〜３に割り当てられる。なお、下りリンク帯域幅設定は、サブキャリアの数で表された、周波数領域におけるリソースブロックサイズの倍数で表される。また、下りリンク帯域幅設定は、あるセルで設定された下りリンク送信帯域幅である。つまり、ＰＢＣＨは、下りリンク送信帯域幅の中心の６ＲＢｓを用いて送信される。
【００８７】
ＰＢＣＨは、ＤＬＲＳに対してリザーブされたリソースを用いて送信されない。つまり、ＰＢＣＨは、ＤＬＲＳのリソースを避けてマッピングされる。ＰＢＣＨのマッピングは
、実際の設定に係らず、存在しているアンテナポート０〜３に対するＣＲＳを仮定して行なわれる。また、アンテナポート０〜３のＣＲＳのリソースエレメントは、ＰＤＳＣＨ送信に対して利用されない。
【００８８】
報知情報として、セル個別の識別子を示すセルグローバル識別子（ＣＧＩ）、ページングによる待ち受けエリアを管理するトラッキングエリア識別子（ＴＡＩ）、ランダムアクセス設定情報（送信タイミングタイマーなど）、当該セルにおける共通無線リソース設定情報、周辺セル情報、上りリンクアクセス制限情報などが通知される。
【００８９】
ＬＲセルのアクセスがＬＴＥセルを用いてアシストされる場合、ＬＲに関するシステム制御情報／システムインフォメーションは、ＬＴＥのセルを用いて送信されてもよい。つまり、端末装置は、ＬＴＥセルに対して接続モードになってから、上位層の信号（ＲＲＣメッセージおよび／またはシステムインフォメーション）を用いて、ＬＲセルに関するステム制御情報／システムインフォメーションを取得してもよい。アイドルモードにおいて、ＬＴＥセルで送信されるシステムインフォメーションに含まれる中から、ＬＲセルに関するシステムインフォメーションを検出してもよい。
【００９０】
ＬＲセルへのアクセスがスタンドアロンで行なわれる場合には、端末装置はアイドルモードの時点で、ＬＲに関するシステム制御情報／システムインフォメーションをＬＲセルから検出する。
【００９１】
ＬＲの上りリンクセルおよび上りリンクサブフレームにおいて、ＬＴＥのＰＵＣＣＨに対応する物理制御チャネル（物理制御チャネルに関するパラメータ）が設定される場合、ＬＲセルにおける下りリンク／上りリンク送信（受信）処理は、ＬＴＥセルとは独立に行なわれてもよい。
【００９２】
ＬＲセルにおいて、ＰＢＣＨに相当する報知チャネルは、ＬＴＥセルを用いて、アクセスがアシストされる場合には送信されなくてもよい。ＬＲセルがスタンドアロン型でオペレーション可能な場合には、ＰＢＣＨに相当する報知チャネルは、送信されてもよい。その際、報知チャネルのリソース配置は、所定の周波数領域に割り当てられた制御チャネルおよび／または共用チャネルに含まれる設定情報に基づいて、規定されてもよい。つまり、ＬＲセルにおける報知チャネルは、特定の周期で送信されなくてもよい。
【００９３】
ＬＴＥにおいて、ＤＬＲＳは、その用途によって複数のタイプに分類される。例えば、ＣＲＳは、セル毎に所定の電力で送信されるパイロット信号であり、所定の規則に基づいて周波数領域および時間領域で周期的に繰り返されるＤＬＲＳである。端末装置は、ＣＲＳを受信することでセル毎の受信品質（ＲＳＲＰ（Reference Signal Received Power）
、ＲＳＲＱ（Reference Signal Received Quality））を測定する。また、端末装置は、
ＣＲＳと同時に送信されるＰＤＣＣＨ、または、ＰＤＳＣＨの復調のための参照用の信号としてもＣＲＳを使用してもよい。ＣＲＳに使用される系列は、セル毎に識別可能な系列が用いられる。つまり、ＣＲＳに使用される系列は、セルＩＤに基づいて設定されてもよい。
【００９４】
また、ＤＬＲＳは、下りリンクの伝搬路変動の推定（チャネル推定）にも用いられる。伝搬路変動（チャネル状態）の推定に用いられるＤＬＲＳのことをＣＳＩ−ＲＳと称する。また、端末装置に対して個別に設定されるＤＬＲＳは、ＵＥＲＳ、ＤＭＲＳまたはＤｅｄｉｃａｔｅｄ  ＲＳと称され、ＥＰＤＣＣＨまたはＰＤＳＣＨを復調するときのチャネルの伝搬路補償処理のために参照される。ＤＭＲＳは、下りリンクと上りリンクの両方にそれぞれある。識別を容易にするため、本発明では、下りリンクに対するＤＭＲＳをＵＥＲＳまたはＤＬ  ＤＭＲＳと称し、上りリンクに対するＤＭＲＳを単にＤＭＲＳまたはＵ
Ｌ  ＤＭＲＳと称する。
【００９５】
ＣＳＩは、受信品質指標（ＣＱＩ）、プレコーディング行列指標（ＰＭＩ）、プレコーディングタイプ指標（ＰＴＩ）、ランク指標（ＲＩ）を含み、それぞれ、好適な変調方式および符号化率、好適なプレコーディング行列、好適なＰＭＩのタイプ、好適なランクを指定する（表現する）ために用いられることができる。なお、各Ｉｎｄｉｃａｔｏｒは、Ｉｎｄｉｃａｔｉｏｎと表記されてもよい。また、ＣＱＩおよびＰＭＩには、１つのセル内のすべてのリソースブロックを用いた送信を想定したワイドバンドＣＱＩおよびＰＭＩと、１つのセル内の一部の連続するリソースブロック（サブバンド）を用いた送信を想定したサブバンドＣＱＩおよびＰＭＩとに分類される。また、ＰＭＩは、１つのＰＭＩで１つの好適なプレコーディング行列を表現する通常のタイプのＰＭＩの他に、第１のＰＭＩと第２のＰＭＩの２種類のＰＭＩを用いて１つの好適なプレコーディング行列を表現するタイプのＰＭＩが存在する。なお、ＣＳＩは、ＰＵＣＣＨまたはＰＵＳＣＨを用いて報告される。端末装置は、ＣＳＩ−ＲＳに関するパラメータが設定されていない、または、ＣＳＩ−ＲＳを受信／測定する機能を有さない場合には、ＣＲＳに基づいて、ＣＳＩを測定してもよい。
【００９６】
ＣＳＩ−ＩＭ（Channel State Information - Interference Measurement）は、ゼロ電力のＣＳＩ−ＲＳリソースに基づいて行なわれる。ＣＳＩ−ＩＭに用いられるゼロ電力のＣＳＩ−ＲＳは、ＣＳＩを測定する場合とは異なり、接続している基地局装置（セル）からＣＳＩ−ＲＳは送信されない。つまり、端末装置は、ＣＳＩ−ＲＳがマップされていないリソースを用いて隣接セルの干渉電力や雑音電力（つまり、隣接セル（非サービングセル）に属する基地局装置および／または端末装置から送信される信号の電力や雑音電力）を測定する。ＣＳＩを測定する場合には、非ゼロ電力のＣＳＩ−ＲＳリソースを用いて行なわれる。ゼロ電力のＣＳＩ−ＲＳリソースと非ゼロ電力のＣＳＩ−ＲＳリソースは個別に上位層パラメータを用いて設定される。なお、リソースは、１リソースブロック内のどのリソースエレメントを用いて行なうかを示すインデックスと送信サブフレームおよび送信周期（測定サブフレームおよび測定周期）またはサブフレームパターンに基づいて設定される。なお、サブフレームパターンの場合、１６ビットのビット列が用いられることによってゼロ電力のＣＳＩ−ＲＳリソースが割り当てられるサブフレームが示される。ゼロ電力のＣＳＩ−ＲＳリソースが割り当てられるサブフレームに対して、“１”がセットされる。なお、端末装置は、ゼロ電力および非ゼロ電力のＣＳＩ−ＲＳリソースがＰＭＣＨ（Physical Multicast Channel）とあるサービングセルの同じサブフレームで設定されることを期待しない。なお、ゼロ電力のＣＳＩ−ＲＳリソースに関する設定は、ＣＳＩ−ＩＭ以外の用途として用いられるために設定されてもよい。
【００９７】
また、サブフレームパターンにおいて、ＦＳ１のサービングセルに対して、端末装置は、ＮＣＰに対して１６ビットの下位６ビットのうち、いずれか１つが“１”にセットされ、ＥＣＰに対して１６ビットの下位８ビットのうち、いずれか１つが“１”にセットされることを期待しない。また、ＦＳ２のサービングセルで４ＣＲＳポートに対して、端末装置は、ＮＣＰに対して１６ビットの下位６ビットのうち、いずれか１つが“１”にセットされ、ＥＣＰに対して１６ビットの下位８ビットのうち、いずれか１つが“１”にセットされることを期待しない。
【００９８】
ＤＳ（Discovery Signal(s)）は、ＤＳに関するパラメータが設定された周波数におい
て、時間周波数同期やセル識別、ＲＲＭ（Radio Resource Management）測定（イントラ
および／またはインター周波数測定）に用いられる。また、ＤＳは複数の信号から構成され、それらの信号が同じ周期で送信される。ＤＳは、ＰＳＳ／ＳＳＳ／ＣＲＳのリソースを用いて構成され、さらに、ＣＳＩ−ＲＳのリソースを用いて構成されてもよい。ＤＳにおいて、ＣＲＳやＣＳＩ−ＲＳがマップされるリソースを用いて、ＲＳＲＰやＲＳＲＱが
測定されてもよい。ＤＳを測定するタイミング（測定サブフレームおよび測定周期）は、ＤＭＴＣ（DS Measurement Timing Configuration）に含まれるパラメータに基づいて決
定される。ＤＳの測定周期は、４０ｍｓ、８０ｍｓ、１２０ｍｓと４０ｍｓの倍数で設定される。また、ＤＳの測定サブフレームは、測定周期（送信周期）と紐付いて、周期とは個別のパラメータとして設定されてもよい。また、測定サブフレームは、システムフレーム番号０のサブフレーム０に対するサブフレームのオフセットであってもよい。また、測定サブフレームは、測定周期内のサブフレーム０に対応するサブフレームとのサブフレームオフセットに基づいて設定されてもよい。なお、ＲＲＭ測定は、ＲＳＲＰ、ＲＳＲＱ、ＲＳＳＩの測定を少なくとも１つは含んでいる。なお、ＤＳは、ＤＲＳ（Discovery Reference Signal(s)）と称されてもよい。なお、ＤＭＴＣ（サブフレームオフセットおよび
周期の設定）に関するパラメータは、測定ＤＳ設定に含まれる。
【００９９】
端末装置は、ＤＭＴＣの設定により、ＤＳが送信される可能性のあるＤＳオケージョンの開始位置（サブフレームの開始位置）が分かる。ＤＳオケージョンの長さは、固定である（例えば、６サブフレーム）。ＤＳオケージョン内のサブフレームにおいて、実際にＤＳが送信されるサブフレームの期間は、ＤＳ継続期間（ＤＳオケージョン継続期間）として測定ＤＳ設定に設定される。ＤＳに含まれるＣＲＳはＤＳ継続期間内のすべてのサブフレームで送信されてもよい。さらに、測定ＤＳ設定に、ＣＳＩ−ＲＳに関するパラメータが含まれている場合には、端末装置は、ＣＳＩ−ＲＳＲＰを測定することができる。なお、測定ＤＳ設定は、測定オブジェクト設定に含まれてもよい。つまり、測定オブジェクト設定に、測定ＤＳ設定が含まれる場合には、端末装置は、ＤＳをＤＭＴＣに基づいて測定することができる。ＤＳ継続期間に基づいて、端末装置は、ＤＳオケージョンの先頭のサブフレームからＤＳのモニタリングを行なう。端末装置は、ＤＳに含まれるＰＳＳ／ＳＳＳを検出したサブフレームから継続期間に基づいて、対応するＤＳ（ＣＲＳおよびＣＳＩ−ＲＳ）をモニタする。
【０１００】
ＤＳに含まれるＣＲＳは継続期間内のすべてのサブフレームにマップされてもよい。
【０１０１】
ＤＳに含まれるＣＳＩ−ＲＳは０以上のリソースが設定されてもよい。ＤＳに含まれるＣＳＩ−ＲＳは、リスト化されて管理されてもよい。リストに含まれるＩＤとＣＳＩ−ＲＳのリソースの設定が紐付けられてもよい。つまり、１つのＤＳ（１つの継続期間）に含まれるＣＳＩ−ＲＳは複数であってもよい。
【０１０２】
ＤＳは、活性化／非活性化（オン／オフ）可能なセルを構成する基地局装置から（つまり、活性化／非活性化（オン／オフ）可能なセルの周波数を用いて）送信されてもよい。
【０１０３】
なお、本発明において、継続期間は、１つ以上の連続するサブフレームまたはシンボルであることと同義である。また、継続期間は、バーストと称されてもよい。つまり、バーストも１つ以上の連続するサブフレームまたはシンボルであることと同義である。継続期間に用いられる単位（dimension）は、設定されたパラメータに基づいて決定されてもよ
い。
【０１０４】
測定周期および測定サブフレームは、端末装置における測定に関するパラメータであるが、同時に、基地局装置における送信に関するパラメータでもある。また、端末装置における受信に関するパラメータは、同時に、基地局装置における送信に関するパラメータであってもよい。つまり、基地局装置は、端末装置に設定したパラメータに基づいて、対応する下りリンク信号を送信してもよい。また、端末装置における送信に関するパラメータは、基地局装置における受信または測定に関するパラメータであってもよい。つまり、基地局装置は、端末装置に設定したパラメータに基づいて、対応する上りリンク信号を受信してもよい。
【０１０５】
測定ＤＳ設定に含まれるＣＳＩ−ＲＳの設定には、測定されるＣＳＩ−ＲＳに紐付けられたＩＤ（測定ＣＳＩ−ＲＳのＩＤ）、系列生成に用いられる物理層セルＩＤおよびスクランブリングＩＤ、ＣＳＩ−ＲＳの時間周波数リソース（リソースエレメントのペア）を決定するリソース設定、ＳＳＳとのサブフレームオフセットを示すサブフレームオフセット、ＣＳＩ−ＲＳに個別で設定される電力オフセットがある。
【０１０６】
測定ＤＳ設定には、ＣＳＩ−ＲＳの設定に対応するＩＤの追加変更リストと削除リストが含まれる。端末装置は、追加変更リストにセットされた測定ＣＳＩ−ＲＳのＩＤと関連するＣＳＩ−ＲＳのリソースを測定する。また、端末装置は、削除リストにセットされた測定ＣＳＩ−ＲＳのＩＤと関連するＣＳＩ−ＲＳのリソースの測定をやめる。
【０１０７】
あるセル（周波数）に対するＤＳオケージョンは、フレーム構造タイプ１に対しては１から５の連続するサブフレームの継続期間を伴う周期と、フレーム構造タイプ２に対しては２から５の連続するサブフレームの継続期間を伴う周期から構成される。その周期および継続期間において、端末装置はＤＳの存在を仮定し、測定を行なう。
【０１０８】
ＤＳを構成する（またはＤＳオケージョンのサブフレームに含まれる）ＣＲＳは、その期間のすべての下りリンクサブフレームおよびスペシャルサブフレームのＤｗＰＴＳにおいて、アンテナポート０のリソースにマップされる。なお、「ＤＳを構成する」は、「ＤＳオケージョンのサブフレームに含まれる」と同義であってもよい。
【０１０９】
ＤＳに含まれるＰＳＳは、フレーム構造タイプ１に対しては、その期間の第１のサブフレームに、フレーム構造タイプ２に対しては、その期間の第２のサブフレームにマップされる。
【０１１０】
ＤＳに含まれるＳＳＳは、その期間の第１のサブフレームにマップされる。
【０１１１】
なお、ＤＳがＬＡＡ周波数に対する測定オブジェクトに含まれる場合、対応するＤＳのＰＳＳ／ＳＳＳのリソースは周波数方向にシフトされ、マップされてもよい。シフト量は、セルＩＤなどの所定のＩＤまたは上位層によって設定された値に基づいて決定されてもよい。また、ＤＳがＬＡＡ周波数に対する測定オブジェクトに含まれる場合、対応するＤＳのＰＳＳ／ＳＳＳのリソースおよび系列は、測定帯域幅に基づいて拡張されてもよい。
【０１１２】
ＤＳに含まれるＣＳＩ−ＲＳは、非ゼロ電力のリソースが、その期間の０以上のサブフレームにマップされる。
【０１１３】
端末装置は、ＤＭＴＣの周期毎に１つのＤＳオケージョンがあると仮定して、測定を行なってもよい。
【０１１４】
ＬＡＡ周波数においては、さらに、基地局装置および／または端末装置から初期信号と予約信号が送信されてもよい。
【０１１５】
初期信号は、データ信号（ＰＤＳＣＨやＰＵＳＣＨ）や制御信号（ＰＤＣＣＨやＰＵＣＣＨ）、参照信号（ＤＬＲＳやＵＬＲＳ）の送信開始位置を示すために用いられる信号である。初期信号はプリアンブルとも称される。つまり、端末装置または基地局装置は、初期信号を受信すれば、その後に続くデータ信号や制御信号を受信することができる。
【０１１６】
予約信号は、ＬＢＴを行ない、チャネルがクリアであると判断した場合に、他の基地局装置や端末装置に、割り込まれないように、そのチャネルを専有していることを示す、閾
値以上のエネルギーで信号を送信する。予約信号そのものにはデータをマップする必要はない。
【０１１７】
初期信号は、予約信号の役割を果たす場合がある。また、初期信号に制御情報をマップしてもよい。また、初期信号は、時間周波数の同期やセル識別に用いられてもよい。
【０１１８】
初期信号および／または予約信号は、ＡＧＣ（Auto Gain Control）の設定に用いられ
てもよい。
【０１１９】
端末装置は、基地局装置において、ＬＢＴが行なわれるか否かに基づいて、周期的にＤＳおよびＰＳＳ／ＳＳＳ／ＣＲＳ／ＣＳＩ−ＲＳ（ＤＳ以外の周期的に送信される信号）が送信されるか否かを判断してもよい。端末装置は、基地局装置において、ＬＢＴが行なわれる場合、ＤＳが周期的に送信されないと推定し、ＤＳの測定を行なう。
【０１２０】
基地局装置は、ＬＡＡ周波数において、ＤＳを送信する場合、ＤＳオケージョン内にデータ情報および／または制御情報をマップしてもよい。そのデータ情報および／または制御情報には、ＬＡＡセルに関する情報が含まれてもよい。例えば、そのデータ情報および／または制御情報には、ＬＡＡセルが属する周波数、セルＩＤ、負荷や混雑状況、干渉／送信電力、チャネルの専有時間や送信データに関するバッファの状況が含まれてもよい。
【０１２１】
ＬＡＡ周波数において、ＤＳが測定される場合、ＤＳに含まれる各信号に用いられるリソースは拡張されてもよい。例えば、ＣＲＳは、アンテナポート０だけでなく、アンテナポート２や３などに対応するリソースが用いられてもよい。また、ＣＳＩ−ＲＳも、アンテナポート１５だけでなく、アンテナポート１６や１７などに対応するリソースが用いられてもよい。
【０１２２】
ＬＲセルにおいて、上位層の信号（ＲＲＣシグナリング）またはシステムインフォメーションを用いて、端末装置にＤＳに関するリソースが設定された場合、Ｌ１シグナリング（ＰＤＣＣＨやＤＣＩフォーマットのあるフィールドに相当する制御情報）やＬ２シグナリング（ＭＡＣ  ＣＥに相当する制御情報）、つまり、下位層の信号（ＲＲＣ層より下の層の信号）を用いて、端末装置は、ＤＳを受信するか否かをダイナミックに指示されてもよい。
【０１２３】
ＬＲセルにおいて、復調／復号用のＲＳとＣＳＩ測定用のＲＳは、共通のリソースであってもよいし、個別に規定される場合は異なるリソースであってもよい。
【０１２４】
ＰＤＣＣＨは、各サブフレームの先頭からいくつかのＯＦＤＭシンボル（例えば、１〜４ＯＦＤＭシンボル）で送信される。ＥＰＤＣＣＨは、ＰＤＳＣＨが配置されるＯＦＤＭシンボルに配置されるＰＤＣＣＨである。ＥＰＤＣＣＨに関するパラメータは、上位層パラメータとしてＲＲＣメッセージ（上位層シグナリング）を介して設定されてもよい。ＰＤＣＣＨまたはＥＰＤＣＣＨは、端末装置に対して基地局装置のスケジューリングに従った無線リソース割り当て情報や、送信電力の増減の調整量を指示する情報、その他の制御情報を通知する目的で使用される。つまり、ＰＤＣＣＨ／ＥＰＤＣＣＨは、ＤＣＩ（または、少なくとも１つのＤＣＩで構成されたあるＤＣＩフォーマット）を送信するために使用される。本発明の各実施形態において、単にＰＤＣＣＨと記載した場合、特に明記がなければ、ＰＤＣＣＨとＥＰＤＣＣＨの両方の物理チャネルを意味する。
【０１２５】
ＰＤＣＣＨは、ＰＣＨ（Paging Channel）とＤＬ−ＳＣＨのリソース割り当ておよびＤＬ−ＳＣＨに関するＨＡＲＱ情報（ＤＬ  ＨＡＲＱ）を端末装置（ＵＥ）と中継局装置（ＲＮ）に通知するために用いられる。また、ＰＤＣＣＨは、上りリンクスケジューリング
グラントやサイドリンクスケジューリンググラントを送信するために用いられる。つまり、ＰＤＣＣＨは、ＰＣＨおよび／またはＤＬ−ＳＣＨのリソース割り当てを示すＤＣＩ（ＰＤＳＣＨに対するリソース割り当て）と、ＰＣＨおよび／またはＤＬ−ＳＣＨに対するＨＡＲＱ−ＡＣＫを示すＤＣＩを送信するために用いられる。端末装置は、それらのＤＣＩに基づいて、ＰＣＨまたはＤＬ−ＳＣＨがマップされたＰＤＳＣＨを検出する。
【０１２６】
ＰＣＨおよび／またはＤＬ−ＳＣＨのリソース割り当てを示すＤＣＩには、ＰＤＳＣＨのリソース配置に関する情報／仮想リソース配置に関する情報（リソースブロック割り当てに関する情報）やＰＤＳＣＨの復調に用いられるＵＥＲＳまたはＤＭＲＳのアンテナポートおよびレイヤの数に関する情報などが含まれてもよい。
【０１２７】
ＰＣＨおよび／またはＤＬ−ＳＣＨに対するＨＡＲＱ−ＡＣＫを示すＤＣＩには、変調符号化方式に関する情報、ＰＣＨまたはＤＬ−ＳＣＨトランスポートブロックの初送か再送を示す情報、サーキュラバッファにおけるスタートポイント（格納されたデータ（ＨＡＲＱソフトバッファ）の読み込み開始位置）を示す情報（Redundancy Version）、ＡＣＫの誤送信やＰＤＣＣＨの検出ミスなどのＨＡＲＱプロトコルエラーの可能性を考慮した、ＴＤＤのＨＡＲＱ−ＡＣＫ手順に用いられる、ＤＡＩ（Downlink Assignment Index）に
関する情報（ＰＵＳＣＨ（ＵＬ−ＳＣＨ）に対するＨＡＲＱ−ＡＣＫのサブフレームに関する情報、ＰＤＳＣＨ（ＰＣＨまたはＤＬ−ＳＣＨ）に対するＨＡＲＱ−ＡＣＫのサブフレームに関する情報）などが含まれてもよい。
【０１２８】
ＥＰＤＣＣＨは、ＤＬ−ＳＣＨのリソース割り当ておよびＤＬ−ＳＣＨに関するＨＡＲＱ情報を端末装置（ＵＥ）に通知するために用いられる。また、ＥＰＤＣＣＨは、上りリンクスケジューリンググラントやサイドリンクスケジューリンググラントを送信するために用いられる。
【０１２９】
ＰＤＣＣＨは、１つまたはいくつかの連続するＣＣＥ（Control Channel Element）を
集約して送信される。なお、１つのＣＣＥは、９つのリソースエレメントグループ（ＲＥＧ）に相当する。システムで利用可能なＣＣＥの数は、物理制御フォーマットインディケータチャネル（ＰＣＦＩＣＨ（Physical Control Format Indicator Channel）やＰＨＩ
ＣＨ（Physical HARQ Indicator Channel）を除いて決定される。ＰＤＣＣＨは、複数の
フォーマット（ＰＤＣＣＨフォーマット）をサポートしている。各ＰＤＣＣＨフォーマットは、ＣＣＥの数やＲＥＧの数、ＰＤＣＣＨビットの数が定義されている。１つのＲＥＧは、４ＲＥｓで構成される。つまり、１ＰＲＢで３ＲＥＧｓまで含めてもよい。ＰＤＣＣＨフォーマットは、ＤＣＩフォーマットのサイズなどに応じて決定される。
【０１３０】
複数のＰＤＣＣＨは、まとめて変調符号化処理された後、下りリンク送信帯域幅全体にマッピングされるため、端末装置は自装置宛のＰＤＣＣＨを検出するまでデコードし続ける。つまり、端末装置は、一部の周波数領域のみを受信して復調復号化処理をしてもＰＤＣＣＨを検出することはできない。端末装置は、下りリンク送信帯域幅全体にマッピングされたＰＤＣＣＨをすべて受信してからでないと、自装置宛のＰＤＣＣＨ（ＰＤＣＣＨ候補）を正しく検出することはできない。
【０１３１】
複数のＰＤＣＣＨは、１つのサブフレームで送信されてもよい。また、ＰＤＣＣＨは、ＰＢＣＨと同じセットのアンテナポートで送信される。ＥＰＤＣＣＨは、ＰＤＣＣＨとは異なるアンテナポートから送信される。
【０１３２】
端末装置は、下りリンクデータ（ＤＬ−ＳＣＨ）や上位層制御情報であるレイヤ２メッセージおよびレイヤ３メッセージ（ページング、ハンドオーバコマンドなど）を送受信する前に、自装置宛のＰＤＣＣＨを監視（モニタ）し、自装置宛のＰＤＣＣＨを受信するこ
とで、送信時には上りリンクグラント、受信時には下りリンクグラント（下りリンクアサインメント）と呼ばれる無線リソース割り当て情報をＰＤＣＣＨから取得する必要がある。なお、ＰＤＣＣＨは、上述したＯＦＤＭシンボルで送信される以外に、基地局装置から端末装置に対して個別に割り当てられるリソースブロックの領域で送信されるように構成することも可能である。
【０１３３】
ＤＣＩは、特定のフォーマットで送信される。上りリンクグラントと下りリンクグラントを示すフォーマットは異なるフォーマットで送信される。例えば、端末装置は、ＤＣＩフォーマット０から上りリンクグラントを取得し、ＤＣＩフォーマット１Ａから下りリンクグラントを取得することができる。また、ＰＵＳＣＨまたはＰＵＣＣＨに対する送信電力制御コマンドを示すＤＣＩのみを含むＤＣＩフォーマット（ＤＣＩフォーマット３／３Ａ）やＵＬ−ＤＬ設定を示すＤＣＩを含むＤＣＩフォーマット（ＤＣＩフォーマット１Ｃ）などがある。例えば、ＰＵＳＣＨやＰＤＳＣＨに対する無線リソース割り当て情報は、ＤＣＩの一種である。
【０１３４】
端末装置は、検出したＤＣＩ（検出したＤＣＩのフィールドにセットされた値）に基づいて、対応する上りリンク信号や下りリンク信号の種々のパラメータを設定し、送受信を行なうことができる。例えば、ＰＵＳＣＨのリソース割り当てに関するＤＣＩを検出した場合、端末装置は、そのＤＣＩに基づいて、ＰＵＳＣＨのリソース割り当てを行ない、送信することができる。また、ＰＵＳＣＨに対する送信電力制御コマンド（ＴＰＣコマンド）を検出した場合、端末装置は、そのＤＣＩに基づいて、ＰＵＳＣＨの送信電力の調整を行なうことができる。また、ＰＤＳＣＨのリソース割り当てに関するＤＣＩを検出した場合、端末装置は、そのＤＣＩに基づいて示されたリソースからＰＤＳＣＨを受信することができる。
【０１３５】
端末装置は、各種ＤＣＩ（種々のＤＣＩフォーマットに含まれるＤＣＩ）を特定のＲＮＴＩ（Radio Network Temporary Identifier）によってスクランブルされたＣＲＣ（Cyclic Redundancy Check）を伴うＰＤＣＣＨを復号することによって取得（判別）すること
ができる。どのＲＮＴＩによってスクランブルされたＣＲＣを伴うＰＤＣＣＨを復号するかは上位層によって設定される。
【０１３６】
端末装置は、あるＤＣＩに基づいて、ＰＵＳＣＨの再送信を行なってもよい。つまり、ＤＣＩには、ＰＵＳＣＨのＡＣＫ／ＮＡＣＫに対応するＤＣＩが含まれてもよい。
【０１３７】
どのＲＮＴＩによってスクランブルされるかによって、そのＰＤＣＣＨに対応するＤＬ−ＳＣＨまたはＰＣＨで送信される制御情報は異なる。例えば、Ｐ−ＲＮＴＩ（Paging RNTI）によってスクランブルされた場合は、そのＰＣＨでページングに関する情報が送信
される。また、ＳＩ−ＲＮＴＩ（System Information RNTI）によってスクランブルされ
た場合は、そのＤＬ−ＳＣＨを用いてシステムインフォメーションが送信されてもよい。
【０１３８】
また、ＤＣＩフォーマットは、特定のＲＮＴＩによって与えられたサーチスペース（ＣＳＳ（Common Search Space）、ＵＥＳＳ（UE-specific SS））にマップされる。また、
サーチスペースは、モニタするＰＤＣＣＨ候補のセットとして定義されている。つまり、本発明の各実施形態において、サーチスペースをモニタすることとＰＤＣＣＨをモニタすることは同義である。なお、ＰＣｅｌｌにおけるＣＳＳとＵＥＳＳは重複することがある。ＥＰＤＣＣＨにおいては、ＵＥＳＳのみ定義されている場合がある。
【０１３９】
ＣＲＣをスクランブルするＲＮＴＩには、ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩ、Ｍ−ＲＮＴＩ、Ｐ−ＲＮＴＩ、ＳＩ−ＲＮＴ
Ｉがある。
【０１４０】
ＲＡ−ＲＮＴＩ、Ｃ−ＲＮＴＩ、ＳＰＳ  Ｃ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを介して、基地局装置から端末装置に設定される。
【０１４１】
Ｍ−ＲＮＴＩ、Ｐ−ＲＮＴＩ、ＳＩ−ＲＮＴＩは１つの値に対応している。例えば、Ｐ−ＲＮＴＩは、ＰＣＨおよびＰＣＣＨに対応し、ページングとシステムインフォメーションの変更を通知するために用いられる。ＳＩ−ＲＮＴＩは、ＤＬ−ＳＣＨ、ＢＣＣＨに対応し、システムインフォメーションの報知に用いられる。ＲＡ−ＲＮＴＩは、ＤＬ−ＳＣＨに対応し、ランダムアクセスレスポンスに用いられる。
【０１４２】
ＲＡ−ＲＮＴＩ、Ｃ−ＲＮＴＩ、ＳＰＳ  Ｃ−ＲＮＴＩ、テンポラリーＣ−ＲＮＴＩ、ｅＩＭＴＡ−ＲＮＴＩ、ＴＰＣ−ＰＵＣＣＨ−ＲＮＴＩ、ＴＰＣ−ＰＵＳＣＨ−ＲＮＴＩは、上位層シグナリングを用いて設定される。
【０１４３】
Ｍ−ＲＮＴＩ、Ｐ−ＲＮＴＩ、ＳＩ−ＲＮＴＩは所定の値が定義されている。
【０１４４】
各ＲＮＴＩによってスクランブルされたＣＲＣを伴うＰＤＣＣＨは、ＲＮＴＩの値によって、対応するトランスポートチャネルや論理チャネルが異なる場合もある。つまり、ＲＮＴＩの値によって、示される情報が異なる場合もある。
【０１４５】
１つのＳＩ−ＲＮＴＩは、すべてのＳＩメッセージと同様にＳＩＢ１にアドレスするために用いられる。
【０１４６】
なお、ＬＲに対応するＲＮＴＩが規定されてもよい。また、ＦＳ４−１からＦＳ４−３に対応するＤＣＩフォーマットが規定されてもよい。ＬＲに対応するＤＣＩフォーマットのペイロードサイズは規定されてもよい。
【０１４７】
また、ＬＲセルの制御チャネルおよび／または共用チャネルを用いて、リソース割り当てやＭＣＳの方式を示す制御情報を送信する場合、関連するＲＮＴＩ、つまり、識別子を用いて、制御情報に関連する系列はスクランブルされてもよい。
【０１４８】
ＰＨＩＣＨは、上りリンク送信（例えば、ＰＵＳＣＨ）に対応するＨＡＲＱ−ＡＣＫ（ＡＣＫまたはＮＡＣＫ）を送信するために用いられる。端末装置は、ＰＨＩＣＨに含まれた内容に応じて、ＰＵＳＣＨの再送信を行なってもよい。
【０１４９】
ＰＣＦＩＣＨは、ＰＤＣＣＨに用いられるＯＦＤＭシンボルの数に関して端末装置と中継局装置に通知するために用いられる。また、ＰＣＦＩＣＨは、下りリンクサブフレームまたはスペシャルサブフレーム毎に送信される。
【０１５０】
ＰＤＳＣＨは、下りリンクデータ（ＤＬ−ＳＣＨデータ、ＤＬ−ＳＣＨトランスポートブロック）の他、ＰＣＨやＰＢＣＨで通知されない報知情報（システムインフォメーション）をレイヤ３メッセージとして端末装置に通知するために用いられる。ＰＤＳＣＨの無線リソース割り当て情報は、ＰＤＣＣＨを用いて示される。ＰＤＳＣＨはＰＤＣＣＨが送信されるＯＦＤＭシンボル以外のＯＦＤＭシンボルに配置されて送信される。すなわち、ＰＤＳＣＨとＰＤＣＣＨは１サブフレーム内で時分割多重（ＴＤＭ）されている。ただし、ＰＤＳＣＨとＥＰＤＣＣＨは１サブフレーム内で周波数分割多重（ＦＤＭ）されている。
【０１５１】
また、ＰＤＳＣＨはシステム制御情報を報知するために用いられてもよい。
【０１５２】
また、ＰＤＳＣＨはネットワークが端末装置の位置セルを知らない時のページングとして用いられてもよい。つまり、ＰＤＳＣＨはページング情報やシステムインフォメーション変更通知を送信するために用いられてもよい。
【０１５３】
また、ＰＤＳＣＨはネットワークとのＲＲＣ接続を持たない端末装置（アイドルモードの端末装置）に対して、端末装置とネットワーク間の制御情報を送信するために用いられてもよい。
【０１５４】
また、ＰＤＳＣＨはＲＲＣ接続を持つ端末装置（接続モードの端末装置）に対して、端末装置とネットワーク間の専用制御情報を送信するために用いられてもよい。
【０１５５】
ＰＤＳＣＨは、ＰＤＣＣＨに付加されたＲＮＴＩに対応するトランスポートブロックを送信するために用いられる。例えば、ＲＡ−ＲＮＴＩによってスクランブルされたＣＲＣを伴うＰＤＣＣＨによってリソース割り当てが示されたＰＤＳＣＨには、ランダムアクセスレスポンスに関するＤＬ−ＳＣＨがマップされている。また、Ｐ−ＲＮＴＩによってスクランブルされたＣＲＣを伴うＰＤＣＣＨによってリソース割り当てが示されたＰＤＳＣＨには、ページング情報に関するＰＣＨがマップされている。また、ＳＩ−ＲＮＴＩによってスクランブルされたＣＲＣを伴うＰＤＣＣＨによってリソース割り当てが示されたＰＤＳＣＨには、ＳＩＢと関連するＤＬ−ＳＣＨがマップされている。また、テンポラリーＣ−ＲＮＴＩによってスクランブルされたＣＲＣを伴うＰＤＣＣＨによってリソース割り当てが示されたＰＤＳＣＨには、ＲＲＣメッセージに関するＤＬ−ＳＣＨがマップされてもよい。
【０１５６】
ＰＵＣＣＨは、ＰＤＳＣＨで送信された下りリンクデータの受信確認応答（ＨＡＲＱ−ＡＣＫ；Ｈｙｂｒｉｄ  Ａｕｔｏｍａｔｉｃ  Ｒｅｐｅａｔ  ｒｅＱｕｅｓｔ−ＡｃｋｎｏｗｌｅｄｇｅｍｅｎｔあるいはＡＣＫ／ＮＡＣＫ（またはＡＣＫ／ＮＡＫ）；Ａｃｋｎｏｗｌｅｄｇｅｍｅｎｔ／Ｎｅｇａｔｉｖｅ  Ａｃｋｎｏｗｌｅｄｇｅｍｅｎｔ）や下りリンクのＣＳＩの報告、上りリンクの無線リソース割り当て要求（無線リソース要求、スケジューリングリクエスト（ＳＲ））を行なうために用いられる。つまり、ＰＵＣＣＨは、下りリンク送信に応えるＨＡＲＱ−ＡＣＫ／ＮＡＣＫやＳＲ、ＣＳＩ報告を送信するために用いられる。ＰＵＣＣＨは、送信するＨＡＲＱ−ＡＣＫやＣＳＩ、ＳＲなどの上りリンク制御情報（ＵＣＩ）の種類に応じて複数のフォーマットがサポートされている。ＰＵＣＣＨは、フォーマット毎にリソース割り当て方法や送信電力制御方法が定義されている。ＰＵＣＣＨは、１サブフレームの２つのスロットのそれぞれにおける１ＲＢを用いる。つまり、ＰＵＣＣＨは、フォーマットに因らず、１ＲＢで構成される。また、ＰＵＣＣＨは、スペシャルサブフレームのＵｐＰＴＳで送信されなくてもよい。
【０１５７】
ＰＵＣＣＨがＳＲＳサブフレームで送信される場合には、短縮フォーマットが適用されるＰＵＣＣＨフォーマット（例えば、フォーマット１、１ａ、１ｂ、３）では、ＳＲＳが割り当てられる可能性のある最後尾の１シンボルまたは２シンボル（そのサブフレームにおける２番目のスロットの最後尾の１シンボルまたは２シンボル）を空にする。
【０１５８】
ＰＵＣＣＨフォーマット１／１ａ／１ｂとＰＵＣＣＨフォーマット２／２ａ／２ｂは、同じＲＢで送信されてもよい。ＰＵＣＣＨフォーマット１／１ａ／１ｂとＰＵＣＣＨフォーマット２／２ａ／２ｂの送信に用いられるＲＢにおけるＰＵＣＣＨフォーマット１／１ａ／１ｂに対するサイクリックシフトは個別に設定されてもよい。
【０１５９】
ＰＵＳＣＨは、主に上りリンクデータ（ＵＬ−ＳＣＨデータ、ＵＬ−ＳＣＨトランスポ
ートブロック）と制御データを送信し、ＣＳＩやＡＣＫ／ＮＡＣＫ（ＨＡＲＱ−ＡＣＫ）、ＳＲなどの上りリンク制御情報（ＵＣＩ）を含めてもよい。また、上りリンクデータの他、上位層制御情報であるレイヤ２メッセージおよびレイヤ３メッセージを端末装置から基地局装置に通知するためにも使用される。また、下りリンクと同様にＰＵＳＣＨの無線リソース割り当て情報は、ＰＤＣＣＨ（ＤＣＩフォーマットを伴うＰＤＣＣＨ）で示される。ＰＵＳＣＨはＳＲＳサブフレームで送信される場合、ＰＵＳＣＨリソースがＳＲＳ帯域幅と重複するとすれば、ＳＲＳが割り当てられる可能性のある最後尾の１シンボルまたは２シンボル（そのサブフレームにおける２番目のスロットの最後尾の１シンボルまたは２シンボル）を空にする。
【０１６０】
ＵＬＲＳ（Uplink Reference Signal）は、基地局装置が、ＰＵＣＣＨおよび／または
ＰＵＳＣＨを復調するために使用するＤＭＲＳ（Demodulation Reference Signal）と、
基地局装置が、主に、上りリンクのチャネル状態または送信タイミングを推定／測定するために使用するＳＲＳ（Sounding Reference Signal, Sounding Reference Symbol）が含まれる。また、ＳＲＳには、ＳＲＳの設定に関する上位層パラメータが設定された時に、周期的に送信されるＰ−ＳＲＳ（Periodic SRS）と、基地局装置からＳＲＳリクエストを用いて送信が要求された時に送信されるＡ−ＳＲＳ（Aperiodic SRS）とがある。なお、
Ｐ−ＳＲＳはトリガタイプ０ＳＲＳ、Ａ−ＳＲＳはトリガタイプ１ＳＲＳと称される。
【０１６１】
ＳＲＳは、サブフレーム内の最後尾の１シンボルまたは２シンボルで割り当てられる。ＳＲＳが送信される可能性のあるサブフレームは、ＳＲＳサブフレームと称されてもよい。ＳＲＳサブフレームは、セル固有のサブフレーム設定と端末装置固有のサブフレーム設定に基づいて決定される。セル内のすべての端末装置は、セル固有のサブフレーム設定にセットされたサブフレームにおいて、ＰＵＳＣＨを送信する場合には、そのサブフレームの最後尾のシンボルにＰＵＳＣＨのリソースを割り当てない。ＰＵＣＣＨの場合、短縮フォーマットが適用されたとすれば、セル固有のサブフレーム設定に基づいてセットされたＳＲＳサブフレームにおいて、そのサブフレームの最後尾のシンボルにＰＵＣＣＨのリソースを割り当てない。ただし、ＰＵＣＣＨフォーマットによっては短縮フォーマットが適用されない場合もある。その場合は、ＰＵＣＣＨはノーマルフォーマットで（つまり、ＳＲＳシンボルにＰＵＣＣＨリソースを割り当てて）送信されてもよい。ＰＲＡＣＨの場合、ＰＲＡＣＨの送信が優先される。ＳＲＳシンボルがＰＲＡＣＨのガードタイム上にある場合には、ＳＲＳは送信されてもよい。なお、ＵＬＲＳは、上りリンクのパイロットチャネルやパイロット信号と称されてもよい。また、端末装置は、ＳＲＳの送信可能なシンボル領域（時間領域）の拡張が設定された場合には、上位層パラメータに基づいて、拡張された時間領域にＳＲＳを割り当て送信してもよい。
【０１６２】
Ｐ−ＳＲＳは、Ｐ−ＳＲＳに関する上位層パラメータが設定された場合に、設定された上位層パラメータに基づいて送信されるのに対して、Ａ−ＳＲＳは、Ａ−ＳＲＳに関する上位層パラメータが設定され、且つ、ＤＣＩフォーマットに含まれるＳＲＳ（Ａ−ＳＲＳ）の送信を要求するＳＲＳリクエストにセットされた値に基づいて、ＳＲＳリクエストを受信した下りリンクサブフレームから所定のサブフレーム後の直近のＳＲＳサブフレームにおいて、Ａ−ＳＲＳを送信するか否かが決定される。
【０１６３】
ＰＲＡＣＨ（Physical Random Access Channel）は、プリアンブル系列を通知（設定）するために使用されるチャネルであり、ガードタイムを有する。プリアンブル系列は、複数のシーケンスによって基地局装置へ情報を通知するように構成される。例えば、６４種類のシーケンスが用意されている場合、６ビットの情報を基地局装置へ示すことができる。ＰＲＡＣＨは、端末装置の基地局装置へのアクセス手段（初期アクセスなど）として用いられる。ＰＲＡＣＨは、ランダムアクセスプリアンブルを送信するために用いられる。
【０１６４】
端末装置は、ＳＲに対するＰＵＣＣＨ未設定時の上りリンクの無線リソース要求のため、または、上りリンク送信タイミングを基地局装置の受信タイミングウィンドウに合わせるために必要な送信タイミング調整情報（タイミングアドバンス（ＴＡ）コマンドとも呼ばれる）を基地局装置に要求するためなどにＰＲＡＣＨを用いる。また、基地局装置は、端末装置に対してＰＤＣＣＨを用いてランダムアクセス手順の開始を要求することもできる（ＰＤＣＣＨオーダーと称する）。ＴＡコマンドは、同じＴＡＧに属しているセル間で共通に用いられる。
【０１６５】
ＬＲセルにおいても、上記で示したような、同様の役割を果たす種々の物理チャネル／物理信号が規定されてもよい。また、上記の一部の物理チャネルおよび／または物理信号は、同じチャネルとして規定されてもよい。上記で示したような、同様の役割を果たす種々の物理チャネル／物理信号は、チャネルを用いて送信される／マッピングされる１つの情報／データとして規定されてもよい。
【０１６６】
次に、本実施形態に係るセルサーチについて説明する。
【０１６７】
ＬＴＥにおいて、セルサーチは、端末装置があるセルの時間周波数同期を行ない、且つ、そのセルのセルＩＤを検出するための手順である。ＥＵＴＲＡセルサーチは、７２サブキャリア以上に対応する拡大縮小可能な全送信帯域幅をサポートする。ＥＵＴＲＡセルサーチは下りリンクにおいて、ＰＳＳとＳＳＳに基づいて行なわれる。ＰＳＳとＳＳＳは各無線フレームの第１のサブフレームと第６のサブフレームの帯域幅の中心の７２サブキャリアを用いて送信される。隣接のセルサーチは初期セルサーチとして同じ下りリンク信号に基づいて行なわれる。
【０１６８】
ＬＲにおいて、スタンドアロン型で通信が行なわれる場合には、上記と同様のセルサーチが行なわれてもよい。
【０１６９】
次に、本実施形態に係る物理層の測定について説明する。
【０１７０】
ＬＴＥにおいて、物理層の測定は、イントラ周波数およびインター周波数のＥＵＴＲＡＮ内の測定（ＲＳＲＰ／ＲＳＲＱ）と、端末装置の受信送信の時間差、端末装置のポジショニングに用いられる参照信号時間差に関する測定（ＲＳＴＤ）と、ＲＡＴ間（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。なお、物理層の測定は、モビリティをサポートするために行なわれる。また、ＥＵＴＲＡＮ測定には、アイドルモードの端末装置によって行なわれる測定や接続モードの端末装置によって行なわれる測定がある。端末装置は、適切な測定ギャップにおいてＥＵＴＲＡＮ測定を行ない、ＥＵＴＲＡＮ測定をしたセルに同期している。なお、これらの測定は、端末装置で行なわれるため、端末装置の測定と称されてもよい。
【０１７１】
端末装置は、ＥＵＴＲＡＮ内の測定に対して、少なくとも２つの物理量（ＲＳＲＰ、ＲＳＲＱ）がサポートされてもよい。さらに、端末装置は、ＲＳＳＩに関する物理量がサポートされてもよい。端末装置は、上位層パラメータとして設定された物理量に関するパラメータに基づいて対応する測定を行なってもよい。
【０１７２】
物理層の測定は、モビリティをサポートするために行なわれる。例えば、イントラ周波数およびインター周波数のＥＵＴＲＡＮ内の測定（ＲＳＲＰ／ＲＳＲＱ）と、端末装置の受信と送信間の時間差、端末装置のポジショニングに用いられる参照信号時間差に関する測定（ＲＳＴＤ）と、インターＲＡＴ（ＥＵＴＲＡＮ−ＧＥＲＡＮ／ＵＴＲＡＮ）に関する測定と、システム間（ＥＵＴＲＡＮ−非３ＧＰＰ  ＲＡＴ）に関する測定などがある。
例えば、物理層の測定は、イントラおよびインター周波数ハンドオーバに対する測定やインターＲＡＴハンドオーバに対する測定、タイミング測定、ＲＲＭに対する測定、ポジショニングがサポートされていればポジショニングに関する測定が含まれる。なお、インターＲＡＴハンドオーバに対する測定は、ＧＳＭ（登録商標），ＵＴＲＡ  ＦＤＤ，ＵＴＲＡ  ＴＤＤ，ＣＤＭＡ２０００，１ｘＲＴＴ，ＣＤＭＡ２０００  ＨＲＰＤ，ＩＥＥＥ８０２．１１へのハンドオーバのサポートにおいて定義されている。また、ＥＵＴＲＡＮ測定は、モビリティをサポートするために用いられる。また、ＥＵＴＲＡＮ測定には、アイドルモードの端末装置によって行なわれる測定や接続モードの端末装置によって行なわれる測定がある。例えば、ＲＳＲＰやＲＳＲＱは、イントラおよびインター周波数のそれぞれに対してどちらのモードの端末装置であっても測定されてもよい。端末装置は、適切な測定ギャップにおいてＥＵＴＲＡＮ測定を行ない、ＥＵＴＲＡＮ測定をしたセルに同期している。
【０１７３】
物理層の測定は、無線特性が端末装置および基地局装置によって測定され、ネットワークの上位層に報告されることを含んでいる。
【０１７４】
ＲＳＲＰは、測定オブジェクト設定において設定されたキャリア周波数および測定帯域幅（測定周波数帯域幅）内の、ＣＲＳを伝送するリソースエレメントの電力の線形平均値として規定される。ＲＳＲＰの決定に対して、ＣＲＳがマップされるリソースＲ０が用いられる。端末装置が、Ｒ１が利用可能であることが正確に検出できれば、ＲＳＲＰを決定するためにＲ０に加え、Ｒ１を用いてもよい。なお、Ｒ０はＣＲＳのアンテナポート０のリソース（リソースエレメント）を示し、Ｒ１はＣＲＳのアンテナポート１のリソース（リソースエレメント）を示す。リソースエレメント毎の電力は、ＣＰを除くシンボルの有用な部分間で受信されたエネルギーから決定されてもよい。
【０１７５】
なお、リソースおよび無線リソースは、リソースエレメントと同義であってもよいし、リソースブロックと同義であってもよいし、サブフレーム／スロット内および帯域幅内のリソースエレメントおよび／またはリソースブロックであってもよい。
【０１７６】
ＲＳＲＰは、上位層がＤＳに基づく測定を指示すれば、端末装置は、設定されたＤＳオケージョン内のサブフレーム（ＤＳオケージョンを構成するサブフレーム内）におけるＲＳＲＰを測定する。端末装置は、他のサブフレーム（つまり、ＤＳオケージョン以外のサブフレーム）において、ＣＲＳがあることを正確に検出できるとすれば、端末装置はＲＳＲＰを決定するために、それらのサブフレームにおけるＣＲＳのリソースエレメントを用いてもよい。つまり、ＤＳ内のＣＲＳを用いてＲＳＲＰの測定が指示されたとすれば、端末装置は、ＤＳ内（ＤＳオケージョン内）とＤＳ外（ＤＳオケージョン外）のサブフレームにマップされたＣＲＳのリソースを用いて、ＲＳＲＰを測定してもよい。
【０１７７】
なお、ＲＳＲＰに対する参照ポイントは、端末装置のアンテナコネクタが好ましい。受信ダイバーシティが端末装置によって使用されるとすれば、報告された値は、個別のダイバーシティブランチのいずれかに対応するＲＳＲＰよりも低くはならない。また、ＲＳＲＰの測定に用いられる、測定帯域幅および測定周期内のリソースエレメントの数は、必要な測定精度を満たせば、端末装置によって決定されてもよい。また、リソースエレメント毎の電力は、ＣＰを除くシンボルの有効な部分で受信されたエネルギーから決定される。なお、ＲＳＲＰの単位は、ｄＢｍまたはＷ（またはｍＷ）である。
【０１７８】
ＲＳＲＱは、ＲＳＳＩの測定帯域幅に相当するリソースブロックの数における、ＲＳＲＰとＲＳＳＩの電力比である。なお、ＲＳＲＰとＲＳＳＩの測定帯域幅は、同じセットのリソースブロックから構成される。なお、ＲＳＲＱの算出に用いられるＲＳＳＩとヒストグラムまたは測定報告されるＲＳＳＩは、個別に測定されてもよい。
【０１７９】
ＲＳＳＩは、測定帯域幅および測定サブフレームの特定のＯＦＤＭシンボルにおいて得られ、線形平均された総受信電力を含んでいる。測定帯域幅は、すべてのソースから端末装置によるリソースブロックの数Ｎである。また、すべてのソースは、共有チャネルのサービングセルおよび非サービングセル、隣接チャネル干渉、熱雑音などを含んでもよい。つまり、ＲＳＳＩは、干渉電力や雑音電力を含んで測定されてもよい。
【０１８０】
ＲＳＳＩは、上位層による指示がなければ、測定サブフレームのアンテナポート０に対する参照シンボルを含むＯＦＤＭシンボルから測定される。上位層がＲＳＲＱ測定をすべてのＯＦＤＭシンボルを用いて行なうことを指示すれば、ＲＳＳＩは測定サブフレームのＤＬ部分（下りリンクサブフレームおよびＤｗＰＴＳ）のすべてのＯＦＤＭシンボルから測定される。上位層がＲＳＲＱ測定を特定のＯＦＤＭシンボルを用いて行なうことを指示すれば、ＲＳＳＩは指示されたサブフレームのＤＬ部分（下りリンクサブフレームおよびＤｗＰＴＳ）のすべてのＯＦＤＭシンボルから測定される。つまり、ＲＳＳＩ測定に用いられるＯＦＤＭシンボルは、上位層からの指示／設定に基づいて、決定される。
【０１８１】
上位層がＤＳに基づく測定を指示すれば、ＲＳＲＱは設定されたＤＳオケージョン内のサブフレームのＤＬ部分のすべてのＯＦＤＭシンボルから測定される。ＲＳＲＱに対する参照ポイントは、端末装置のアンテナコネクタである。受信ダイバーシティが端末装置によって使用されるとすれば、報告された値は、個別のダイバーシティブランチのいずれに対応するＲＳＲＱよりも低くはならない。なお、ＲＳＲＱの単位は、ｄＢである。
【０１８２】
ＲＳＲＰは、ＣＳＩ−ＲＳのリソースを用いて行なわれる場合、ＣＳＩ−ＲＳＲＰと称されてもよい。なお、ＣＳＩ−ＲＳＲＰは、設定されたＤＳオケージョン内のサブフレームの測定帯域幅内のＣＳＩ−ＲＳを伝送するリソースエレメントの電力における線形平均値として定義される。ＣＳＩ−ＲＳＲＰの決定に対して、ＣＳＩ−ＲＳがマップされるリソースＲ１５（アンテナポート１５のリソース）が用いられる。つまり、端末装置は、ＣＳＩ−ＲＳＲＰを測定する場合、Ｒ１５がマップされるリソースにおける電力を測定し、線形平均を行なう。また、ＣＳＩ−ＲＳＲＰの参照ポイントは、端末装置のアンテナコネクタである。受信ダイバーシティが端末装置によって使わされるとすれば、報告される値は、個別のダイバーシティブランチのいずれに対応するＣＳＩ−ＲＳＲＰよりも低い値にはならない。ＣＳＩ−ＲＳＲＰを決定するために用いられる、測定周期内と測定帯域幅内のリソースエレメントの数は、対応する測定精度を満たせば、端末装置の実装であってもよい。つまり、端末装置は、測定精度を満たすように、測定周期内と測定帯域幅内のリソースエレメントを選択し、測定してもよい。
【０１８３】
物理層（第１層）における測定結果を上位層へ出力する場合、周波数方向（１サブフレーム／１スロット内の測定帯域幅内（または１リソースブロック毎）の周波数リソース）の平均および／またはサブフレーム／スロット内（１サブフレーム／１スロット内の測定帯域幅内における時間リソース）における時間平均など、物理層においてフィルタリングされてもよい。物理層（第１層）におけるフィルタリングを第１層フィルタリングと称する。例えば、物理層におけるフィルタリングには、複数の入力値の平均、重み付けの平均、チャネル特定に追従した平均などが適用されてもよい。さらに、物理層でフィルタリングされた測定結果を上位層（第３層、ＲＲＣ層）において、さらに、フィルタリングされてもよい。上位層（第３層）におけるフィルタリングを第３層フィルタリングと称する。第３層フィルタリングは、物理層から入力された各測定結果をフィルタ係数に基づいて、算出される。フィルタ係数は、上位層パラメータとして設定される。フィルタ係数は、ＲＳＲＰ、ＲＳＲＱ、ＣＳＩ−ＲＳＲＰのそれぞれに対応して設定されてもよい。フィルタ係数は、物理量設定のパラメータの１つとして設定されてもよい。端末装置においてＲＳＳＩ測定に関する上位層パラメータが設定されるとすれば、ＲＳＳＩに関するフィルタ係
数が設定されてもよい。また、ＲＳＳＩに関するフィルタ係数は、物理量設定のパラメータの１つとして設定されてもよい。なお、フィルタ係数は、フィルタリング係数と称されてもよい。
【０１８４】
ＬＡＡセルにおいて、ＬＢＴ（Listen Before Talk）を行なってから、通信を開始することがある。ＬＢＴとは、基地局装置および／または端末装置がＬＡＡセルに対応する周波数において送信（通信）を行なう前に、干渉電力（干渉信号、他の端末装置／基地局装置からの信号、受信電力、受信信号、雑音電力、雑音信号）などのエネルギー（または信号）を検出し、そのエネルギーの値（信号の電力値）が所定の閾値を超えるか否かに基づいて、その周波数がアイドル状態（空いている状態（クリア状態）、混雑していない状態、他の信号に専有されていない状態、他の信号が存在していない状態）であるかビジー状態（空いていない状態、混雑している状態、他の信号に専有されている状態、他の信号が存在している状態）であるかを判断（識別、検出）する。ＬＢＴに基づいて、その周波数がアイドル状態であると判断した場合には、ＬＡＡセルに属する基地局装置または端末装置は、所定のタイミングで信号を送信することができる。また、ＬＢＴに基づいて、その周波数がビジー状態であると判断すれば、ＬＡＡセルに属する基地局装置または端末装置は、所定のタイミングで信号を送信しない。なお、ＬＢＴに関する測定をＣＣＡ（Clear Channel Assessment）と称してもよい。つまり、本発明において、ＬＢＴとＣＣＡは同義であってもよい。
【０１８５】
次に、ＣＣＡの一例を示す。
【０１８６】
第１のＣＣＡは、ある測定期間（ＬＢＴおよび／またはＣＣＡを行なう期間）において、検出したエネルギーの値と所定の閾値を比較することでそのチャネル（周波数またはセル）がクリアか否かを判断する。第１のＣＣＡは、ＥＤ（Energy Detection）型ＣＣＡと称されてもよい。
【０１８７】
第２のＣＣＡは、ある測定期間において、所定の変調方式や系列生成方法が適用された信号が検出されたか否かに基づいてそのチャネルがクリアか否かを判断する。第２のＣＣＡは、ＣＳ（Carrier Sense）型ＣＣＡと称されてもよい。
【０１８８】
第３のＣＣＡは、ある測定期間において、所定の変調方式や系列生成方法（所定の符号化変調方式）が適用された信号が検出され、且つ、検出された信号のエネルギーの値が所定の閾値を超えるか否かに基づいてそのチャネルがクリアか否かを判断する。第３のＣＣＡはハイブリッド型ＣＣＡと称されてもよい。
【０１８９】
ＬＡＡセルに属する端末装置および／または基地局装置は、ある測定期間において、ＬＡＡに関する信号を検出した場合には、そのチャネルがクリアであると判断し、信号の送信を行なってもよい。
【０１９０】
上記の第１のＣＣＡから第３のＣＣＡとは別に、最初の１度だけＣＣＡチェックを行なうＩＣＣＡ（Initial CCA, LBT category 2, single sensing, Frame-based equipment（FBE））と所定の回数のＣＣＡチェックを行なうＥＣＣＡ（Extended CCA, LBT category 3 or 4, multiple sensing, Load based equipment（LBE））がある。ＩＣＣＡとＥＣＣ
Ａは、第１のＣＣＡから第３のＣＣＡのいずれかと組み合わせて用いられてもよい。ＩＣＣＡとＥＣＣＡは、ＣＣＡチェックを行なう期間（つまり、測定期間）を示し、第１のＣＣＡから第３のＣＣＡは、チャネルがクリアか否かを判断するための基準（つまり、閾値、受信電力（エネルギー）値）を示す。ＩＣＣＡとＥＣＣＡはそれぞれ、個別に測定期間が設定／規定されてもよい。ＩＣＣＡは１つの測定期間から構成され、ＥＣＣＡは複数の測定期間から構成される。１つの測定期間を１つの測定スロットと称してもよい。例えば
、ＩＣＣＡの測定スロットの長さ（サイズ）は３４マイクロ秒であってもよい。また、ＥＣＣＡの測定スロットの長さは９マイクロ秒であってもよい。また、そのチャネル（周波数、セル）において、ビジー状態からアイドル状態に遷移した後にＣＣＡチェックを行なう期間をｄｅｆｅｒ期間と称されてもよい。その期間の長さは３４マイクロ秒であってもよい。端末装置がＣＣＡ（ＬＢＴ）を行なう場合には、基地局装置から上位層シグナリングを介してどのＣＣＡを用いるかが設定されてもよい。ＣＣＡチェックを行なう期間（ＣＣＡチェック期間）を、ＬＡＡ衝突窓と称されてもよい。衝突窓のサイズは、ＥＣＣＡスロットで定義されてもよい。また、衝突窓のサイズは、ＸとＹのＥＣＣＡスロットの間で、バックオフによって変更されてもよい。また、バックオフの値は、動的または準静的に変更されてもよい。つまり、バックオフの値は、ＤＣＩフォーマット内の１つのフィールドとして設定されてもよいし、上位層パラメータとして設定されてもよい。
【０１９１】
ＣＣＡチェックを行なう期間は、ＬＡＡ衝突窓と称されてもよい。衝突窓のサイズは、ＥＣＣＡスロットで定義されてもよい。また、衝突窓のサイズは、ＸとＹのＥＣＣＡスロットの間で、バックオフによって変更されてもよい。また、バックオフの値は、動的または準静的に変更されてもよい。つまり、バックオフの値は、ＤＣＩフォーマット内の１つのフィールドとして設定されてもよいし、上位層パラメータとして設定されてもよい。
【０１９２】
ＬＲのあるセルに対してＬＢＴに関するパラメータが設定された場合には、端末装置および／または基地局装置は、ＬＢＴに基づくチャネルアクセス手順を行なってから送信を行なう。
【０１９３】
次に、本実施形態に係る上りリンク送信電力制御方法について説明する。
【０１９４】
まず、本実施形態に係るハンドオーバプロシージャについて説明する。図４は、本実施形態に係るハンドオーバプロシージャの一例を示すシーケンス図である。
【０１９５】
（ステップＳ００１）ソース基地局装置は、端末装置に対して、測定プロシージャに必要なパラメータを設定する。つまり、ソース基地局装置は、端末装置に対する測定制御を行なう。測定プロシージャに必要なパラメータには、ＲＲＭ（Radio Resource Management）測定に関するパラメータ（測定設定に関するパラメータ）が含まれてもよいし、測定
対象のセルのリストが含まれてもよい。セルのリストには、ターゲット基地局装置が管理するセルが含まれてもよい。なお、異なる周波数帯のセルの測定を指示する場合には、ソース基地局装置は、端末装置に測定ギャップに関するパラメータを設定してもよい。ここで、ソース基地局装置は、端末装置とのＲＲＣコネクションが確立されたセルを管理する基地局装置である。ターゲット基地局装置は、端末装置がハンドオーバ先のターゲットとなるセル（ターゲットセル）を管理する基地局装置である。測定プロシージャに必要なパラメータは、端末装置にＲＲＣシグナリングされてもよい。測定プロシージャに必要なパラメータは、ＲＲＣコネクション再設定に含まれてもよい。なお、これらのパラメータは、ＤＬ−ＤＣＣＨメッセージとして基地局装置から端末装置へ送信されてもよい。
【０１９６】
また、ＲＲＣコネクション再設定には、測定設定に関する情報の他に、モビリティ制御情報、専用の無線リソース設定が含まれてもよい。モビリティ制御情報には、ターゲットセルに対するＰＣＩ（Physical layer Cell Identity）や、ターゲットセルのキャリア周波数とキャリア帯域幅、セル内で共有の無線リソース設定、端末装置毎に専用のランダムアクセスチャネル設定、端末装置の識別子が含まれてもよい。
【０１９７】
（ステップＳ００２）端末装置は、測定結果をソース基地局装置にレポートする。なお、端末装置は、ソース基地局装置から提供されたリストに含まれないセルを測定し、その測定結果をソース基地局装置にレポートしてもよい。また、リストに含まれないセルには
、ターゲット基地局装置が管理するセルが含まれてもよい。
【０１９８】
（ステップＳ００３）ソース基地局装置は、ＳＲＳの設定に関する情報を含んだ上位層の信号（ＲＲＣシグナリング、ＲＲＣコネクション再設定）を端末装置に送信してもよい。ＳＲＳの設定に関する情報は、ステップＳ００１において送信されてもよい。その場合、ステップＳ００３はスキップされてもよい。
【０１９９】
（ステップＳ００４）ソース基地局装置とターゲット基地局装置は、バックホールリンクであるＸ２インターフェースを介して、端末装置に設定されたＳＲＳの設定に関する情報を共有する。ターゲット基地局装置は、ＳＲＳの設定に基づいて、端末装置との通信状態／状況や上りリンクタイミングを測定する。
【０２００】
（ステップＳ００５）ステップＳ００３において、ＲＲＣコネクション再設定が送信された場合、端末装置は、ソース基地局装置に対して、ソース基地局装置から送信された上位層パラメータを設定／更新したことを示すＲＲＣコネクション再設定コンプリートメッセージを送信する。Ｓ００３がスキップされている場合には、Ｓ００５もスキップされてもよい。
【０２０１】
（ステップＳ００６）端末装置は、ＳＲＳの設定に関するパラメータに基づいて、所定のセルにおいて、ＳＲＳを送信する。ソース基地局装置とターゲット基地局装置は、共有したＳＲＳの設定に基づいて、端末装置から送信されたＳＲＳを測定し、端末装置と基地局装置間の通信状態や上りリンクタイミングを評価する。ソース基地局装置またはターゲット基地局装置は、ＳＲＳがソース基地局装置およびターゲット基地局装置において適切な測定が行なえる電力になるまで、ＴＰＣコマンドを用いて、端末装置に対してＳＲＳの送信電力制御を行なってもよい。
【０２０２】
（ステップＳ００７）ソース基地局装置は、測定レポートとＲＲＭに関する情報に基づいて、ターゲット基地局装置またはターゲット基地局装置が管理するセルにハンドオーバするか否かを決定する。また、ソース基地局装置は、ターゲット基地局装置において評価されたＳＲＳに基づく通信状態や上りリンクタイミングに基づいて、ターゲット基地局装置を決定してもよい。なお、ターゲット基地局装置は、１つよりも多くてもよい。なお、ＲＲＭに関する情報は、ステップＳ００１で示した測定プロシージャに必要なパラメータであってもよい。
【０２０３】
（ステップＳ００８）ソース基地局装置は、ハンドオーバをする場合、ハンドオーバ先のターゲット基地局装置に対してハンドオーバリクエストメッセージを送信する。
【０２０４】
（ステップＳ００９）ターゲット基地局装置は、自装置において管理しているセルの中からＳＲＳの測定結果、および、ハンドオーバリクエストメッセージに少なくとも基づいてターゲットセルを選択する。
【０２０５】
（ステップＳ０１０）ターゲット基地局装置は、ターゲットセルを選択した場合、ソース基地局装置に対して、ハンドオーバリクエストに対するＡＣＫを送信する。ターゲット基地局装置は、ターゲットセルを選択できなかった場合、ハンドオーバリクエストに対するＮＡＣＫを送信する。
【０２０６】
（ステップＳ０１１）ターゲット基地局装置は、ハンドオーバコマンド（ＨＯコマンド）を、ソース基地局装置を経由して、端末装置に送信する。なお、ＨＯコマンドには、ターゲットセルへのＲＲＣコネクションに必要な種々の上位層パラメータが含まれてもよい。上位層パラメータには、満了した場合にハンドオーバの失敗を示すタイマーであるＴ３
０４や、ターゲットセルにおける端末装置に付与されるＣ−ＲＮＴＩ、ターゲットセルに関する種々の設定情報、ターゲット基地局装置において測定されたＴＡ（Timing Advance）値が含まれてもよい。ターゲットセルに関する種々の設定情報には、ＰＣＩ（Physical
layer Cell Identity）や、中心周波数であるキャリア周波数に関連するパラメータ、ＭＡＣ層の設定に関するパラメータ、無線フレーム番号に関するパラメータが含まれてもよい。
【０２０７】
（ステップＳ０１２）端末装置は、ＨＯコマンドを受信した場合、ターゲットセルに対する種々の設定に関するパラメータに基づいて、ターゲットセルの下りリンク同期を行なう。端末装置は、同期信号（ＰＳＳ、ＳＳＳ）、ＣＲＳ、ＰＢＣＨを用いて、下りリンクの同期に必要な情報（例えば、ＰＣＩ）を取得してもよい。
【０２０８】
（ステップＳ０１３）端末装置は、ＨＯコマンドに含まれる、ＴＡコマンドと上りリンクグラントに基づいて、ＲＲＣコネクション再設定コンプリートメッセージを含むＰＵＳＣＨを送信する。端末装置は、所定の期間、ターゲット基地局装置からの応答がなければ、ＲＲＣコネクション再設定コンプリートメッセージを含むＰＵＳＣＨの再送信を行なってもよい。ＨＯコマンドに含まれる上りリンクグラントに基づいて、ＰＵＳＣＨのリソース割り当ておよび電力調整が行なわれてもよい。なお、ＨＯコマンドには、ＴＡコマンドまたは上りリンクグラントのいずれか一方だけが含まれてもよい。ＨＯコマンドに、ＴＡコマンドと上りリンクグラントの両方が含まれない場合、または、ＨＯコマンドに基づいてランダムアクセスプリアンブルを用いたハンドオーバ手順が示された場合、端末装置は、ランダムアクセスプリアンブルを用いたハンドオーバ手順を行なってもよい。ランダムアクセスプリアンブルを用いたハンドオーバ手順が行なわれる場合、ＲＲＣコネクション再設定コンプリートメッセージを含むＰＵＳＣＨの送信電力に用いられる電力制御調整値の初期値は、ランダムアクセスプリアンブルの送信回数およびランプアップに関するパラメータに基づいてセットされてもよい、つまり、所定の値にセットされてもよい。
【０２０９】
ターゲット基地局装置は、ＰＵＳＣＨの受信に失敗した場合、ＮＡＣＫに対応する情報を含む物理チャネル（ＰＨＩＣＨ、ＰＤＣＣＨ、ＰＤＳＣＨ）を端末装置に送信してもよい。端末装置は、ＮＡＣＫに対応する情報を含む物理チャネル（ＰＨＩＣＨ、ＰＤＣＣＨ、ＰＤＳＣＨ）を受信したとすれば、対応するＰＵＳＣＨの再送信を行なってもよい。
【０２１０】
端末装置は、ＲＲＣコネクション再設定コンプリートメッセージを含むＰＵＳＣＨの再送信の回数が所定の数（最大送信回数）を超える場合、または、所定の期間、ＲＲＣコネクション再設定コンプリートメッセージを含むＰＵＳＣＨに対するＡＣＫを検出できなかった場合、ターゲットセルに対するハンドオーバに失敗したと認識してもよい。なお、再送信の回数には、初送が含まれてもよい。
【０２１１】
次に、本実施形態に係るＳＲＳの送信電力制御について説明する。
【０２１２】
あるサービングセルｃのあるサブフレームｉにおけるＳＲＳの送信電力は、少なくとも、ＰＵＳＣＨの送信電力に係る共有パラメータ（PO_NOMINAL_PUSCH）と専用パラメータ（PO_UE_PUSCH）、ＳＲＳの送信電力固有の専用パラメータ（PSRS_OFFSET）、サブフレームｉのＰＵＳＣＨ送信に対する送信電力制御コマンド（ＴＰＣコマンド）に基づく電力制御調整値、ＳＲＳの送信帯域幅（リソースブロック数、リソースエレメント数）、下りリンク参照信号に基づくパスロス値（PL）および伝搬路補償係数（α）に基づいてセットされる。なお、ＳＲＳの送信電力は、端末装置において算出される最大出力電力を超えないように制御される。共有パラメータは、セル内の端末装置間で、共通に設定されるパラメータであり、専用パラメータはセル内の端末装置固有に設定されるパラメータである。
【０２１３】
ＰＵＳＣＨの送信電力に係る共有パラメータと専用パラメータ、ＳＲＳの送信電力固有の専用パラメータ、サブフレームｉのＰＵＳＣＨ送信に対するＴＰＣコマンドに基づく電力制御調整値、ＳＲＳの送信帯域幅（リソースエレメント数）、下りリンク参照信号に基づくパスロス値および伝搬路補償係数は、複数のセルが設定される場合、セル毎に設定されてもよい。さらに、ＳＲＳの送信電力固有の専用パラメータは、トリガタイプ毎に設定されてもよい。さらに、ＰＵＳＣＨの送信電力に係る共有パラメータと専用パラメータ、ＰＵＳＣＨに対するＴＰＣコマンドに基づく電力制御調整値は、上りリンク電力制御に関して、複数のサブフレームセットが設定される場合、サブフレームセット毎に設定されてもよい。
【０２１４】
次に、本実施形態に係るＲＲＣコネクション再設定コンプリートメッセージを含むＰＵＳＣＨの送信電力制御について説明する。
【０２１５】
ＲＲＣコネクション再設定コンプリートメッセージに含まれる上位層パラメータにおいて、ＰＵＳＣＨの送信電力に係る専用パラメータが含まれる場合、および、ＰＵＳＣＨの送信電力に係る専用パラメータの値が変更された場合、端末装置は、ＰＵＳＣＨ送信に対するＴＰＣコマンドに基づく電力制御調整値のアキュムレーションをリセットする。この場合、ＨＯコマンドに含まれる上りリンクグラントには、ＰＵＳＣＨに対するＴＰＣコマンドが含まれなくてもよい。また、この場合、ＨＯコマンドに含まれる上りリンクグラントにＰＵＳＣＨに対するＴＰＣコマンドが含まれても、０ｄＢにセットされてもよい。なお、ＲＲＣコネクション再設定コンプリートメッセージは、ＲＲＣコネクション再設定を受信した時だけでなく、ＲＲＣコネクション設定（初期設定、初期コネクション確立時の設定）を受信した時も送信されてよい。
【０２１６】
なお、例外処理として、ＨＯコマンドにＰＵＳＣＨの送信電力に係る専用パラメータが含まれているが、その値に変更がない場合には、ＳＲＳの送信電力のセッティングに用いられたＴＰＣコマンドに基づく電力制御調整値を、ＲＲＣコネクション再設定コンプリートメッセージを含むＰＵＳＣＨの送信電力に対して引き継ぐか否かは、ＨＯコマンドに含まれる上位層パラメータに基づいて決定されてもよい。端末装置は、電力制御調整値を引き継がなくてもよいことが示された場合、ＰＵＳＣＨに対するＴＰＣコマンドに基づく電力制御調整値のアキュムレーションをリセットしてもよい。この場合、ＨＯコマンドに含まれる上りリンクグラントには、ＰＵＳＣＨに対するＴＰＣコマンドが含まれなくてもよい。なお、引き継ぐか否かを示す上位層パラメータが、ＨＯコマンドに含まれない場合、端末装置は、ＰＵＳＣＨに対するＴＰＣコマンドに基づく電力制御調整値のアキュムレーションをリセットしてもよい。
【０２１７】
ターゲット基地局装置において、測定されたＳＲＳの送信電力のセッティングに用いられたＰＵＳＣＨに対するＴＰＣコマンドに基づく電力制御調整値が、ＲＲＣコネクション再設定コンプリートメッセージを含むＰＵＳＣＨの送信電力に対して引き継がれる場合、ＨＯコマンドに含まれる上りリンクグラントには、ＰＵＳＣＨに対するＴＰＣコマンドが含まれてもよい。ターゲット基地局装置は、そのＴＰＣコマンドを用いて、ＲＲＣコネクション再設定コンプリートメッセージを含むＰＵＳＣＨの送信電力を調整してもよい。
【０２１８】
なお、リセットされた電力制御調整値の初期値は、０または上位層シグナリングによって設定された値（つまり、所定の値）が適用されてもよい。
【０２１９】
端末装置は、ＲＲＣコネクション再設定コンプリートメッセージを含むＰＵＳＣＨをターゲット基地局装置に送信する場合、所定の期間内に、そのＰＵＳＣＨに対するＡＣＫ／ＮＡＣＫを検出できなかったとすれば、ＰＵＳＣＨの送信電力をランプアップして、そのＰＵＳＣＨの再送信を行なってもよい。ＲＲＣコネクション再設定コンプリートメッセー
ジを含むＰＵＳＣＨに対するＡＣＫ／ＮＡＣＫは、ＰＨＩＣＨまたはＰＤＣＣＨを用いて通知されてもよい。ここで、ＰＵＳＣＨの送信電力のランプアップとは、送信回数に基づいて、送信電力を増加していくことである。増加の幅（増加量）は、所定のパラメータに基づいてもよいし、予め規定されてもよい。
【０２２０】
ＰＵＳＣＨの送信電力のランプアップに用いられる上位層パラメータは、ＨＯコマンドに含まれてもよいし、ＰＲＡＣＨの送信電力のランプアップに用いられる上位層パラメータを適用してもよい。また、ＰＵＳＣＨの送信電力のランプアップに用いられる上位層パラメータは、モビリティ制御情報に含まれてもよいし、ＲＲＣコネクション再設定に含まれてもよいし、上りリンク電力制御に関する設定に含まれてもよい。
【０２２１】
ＰＵＳＣＨの送信電力のランプアップに用いられる上位層パラメータは、ＨＯコマンドに含まれてもよいし、ＰＲＡＣＨの送信電力のランプアップに用いられる上位層パラメータを適用してもよい。どのパラメータを用いるかは、予め規定されてもよい。
【０２２２】
送信回数または再送信の回数に基づいてランプアップされたＰＵＳＣＨの送信電力が、端末装置において設定された最大出力電力を超えるとすれば、端末装置は、以降の再送信において、ＰＵＳＣＨの送信電力のランプアップを行なわなくてもよい。
【０２２３】
端末装置は、所定の期間内にＲＲＣコネクション再設定コンプリートメッセージを含むＰＵＳＣＨに対するＡＣＫ／ＮＡＣＫをＰＤＣＣＨから検出した場合、そのＰＤＣＣＨにＴＰＣコマンドが含まれるとすれば、端末装置は、そのＴＰＣコマンドを用いてＰＵＳＣＨの送信電力の電力調整を行なってもよい。
【０２２４】
端末装置は、所定の期間内にＲＲＣコネクション再設定コンプリートメッセージを含むＰＵＳＣＨに対するＮＡＣＫをＰＨＩＣＨから検出した場合、電力補正を行なわずに、そのＰＵＳＣＨの再送信を行なってもよいし、ＨＯコマンドに含まれる上位層パラメータに基づいてランプアップするか否かが決定されてもよいし、ＮＡＣＫを示す情報を含むＤＣＩフォーマットに含まれたＰＵＳＣＨに対するＴＰＣコマンドに基づいて電力調整が行なわれてもよい。
【０２２５】
端末装置は、所定の期間内にＲＲＣコネクション再設定コンプリートメッセージを含むＰＵＳＣＨに対するＡＣＫを検出できない場合、ターゲットセルに対してハンドオーバ失敗と認識する。ハンドオーバ失敗と認識した端末装置は、ランダムアクセスによるハンドオーバ手順を行なってもよい。つまり、端末装置は、上述したハンドオーバ手順（図４に記載のハンドオーバ手順）において失敗したと認識した場合、ランダムアクセスプリアンブル（つまり、ＰＲＡＣＨ）を用いたハンドオーバ手順に遷移してもよい。
【０２２６】
端末装置は、ランダムアクセスプリアンブルを用いたハンドオーバ手順に遷移する場合、ランダムアクセスプリアンブルの送信電力の初期値を、ハンドオーバ失敗直前のＰＵＳＣＨの送信電力にセットしてもよい。
【０２２７】
また、端末装置は、ランダムアクセスプリアンブルを用いたハンドオーバ手順に遷移する場合、ランダムアクセスプリアンブル（ＰＲＡＣＨ）の送信電力に用いられるランダムアクセスプリアンブルの送信回数の初期値を、ＰＵＳＣＨの再送信の回数にセットしてもよい。つまり、端末装置は、ＰＲＡＣＨの送信電力を、ＰＵＳＣＨの再送信の回数に基づいてセットしてもよい。
【０２２８】
また、端末装置は、上述のハンドオーバ手順におけるＰＵＳＣＨの送信電力制御と、ランダムアクセスプリアンブルを用いたハンドオーバ手順におけるＰＲＡＣＨの送信電力制
御を個別に行なってもよい。つまり、ＰＵＳＣＨの送信電力に用いられる種々のパラメータと、ＰＲＡＣＨの送信電力に用いられる種々のパラメータは、個別に設定されてもよい。
【０２２９】
図４に記載のハンドオーバ手順を第１のハンドオーバ手順、第１のハンドオーバ手順が失敗し手から行なう、ランダムアクセスプリアンブルを用いたハンドオーバ手順を第２のハンドオーバ手順とすると、第２のハンドオーバ手順を行なうか否かは、ＨＯコマンドに含まれる上位層パラメータに基づいて決定されてもよい。また、第１のハンドオーバ手順で用いられた電力制御に関するパラメータを第２のハンドオーバ手順における電力制御に関するパラメータに引き継ぐか否かも、ＨＯコマンドに含まれる上位層パラメータに基づいて決定されてもよい。
【０２３０】
上りリンクに対して、複数のサブフレームセットが設定される場合、各サブフレームセットは、ソース基地局装置やターゲット基地局装置に対応付けられてもよい。例えば、サブフレームセット１は、ソース基地局装置に対応付けられ、サブフレームセット２は、ターゲット基地局装置に対応付けられてもよい。例えば、ターゲット基地局装置に対応するサブフレームセット１における上りリンクの送信電力は、ソース基地局装置に対応するサブフレームセット２における上りリンクの送信電力とは個別に制御されてもよい。１つのサブフレームは、同時に複数のサブフレームセットに属さない。サブフレームセットが３セット以上設定される場合には、２つ以上のターゲット基地局装置のそれぞれに対応するサブフレームセットが設定されてもよい。１つのセルに対して、複数のサブフレームセットが設定されることによって、複数のセルを設定しなくても、異なる基地局装置に対応する上りリンクの送信電力制御を行なうことができる。
【０２３１】
サブフレームセットとターゲット基地局装置が対応付けられる場合、ＨＯコマンドにどのターゲット基地局装置に対応する電力制御調整値を用いるかどうかを示す情報が含まれてもよい。つまり、サブフレームセットとターゲット基地局装置が対応付けられる場合、サブフレームセットに対応する電力制御調整値を、ＲＲＣコネクション再設定コンプリートメッセージを含むＰＵＳＣＨの送信電力に用いる電力制御調整値の初期値として引き継ぐか否かは、ＨＯコマンドまたは上位層の設定に含まれる所定の上位層パラメータに基づいて決定されてもよい。例えば、サブフレームセット１における上りリンクの電力制御調整値は、サブフレームセット２における上りリンクの電力制御調整値とは個別に制御されてもよい。
【０２３２】
ＨＯコマンドに、１つ、または、複数のサブフレームセットを示す上位層のパラメータが含まれてもよい。
【０２３３】
ターゲット基地局装置に対応付するサブフレームセット１における上りリンクの送信タイミングは、ソース基地局装置に対応するサブフレームセット２における上りリンクの送信タイミングとは個別に制御されてもよい。ターゲット基地局装置に対応するサブフレームセット２に属するサブフレームにおける第１の上りリンクの送信が、ソース基地局装置に対応するサブフレームセット２に属するサブフレームにおける第２の上りリンクの送信とオーバーラップする場合、当該第１の上りリンクの送信、および、当該第２の上りリンクの送信のうち、当該オーバーラップした部分において何れか一方の上りリンク送信を行なわなくてもよい。
【０２３４】
当該何れか一方の上りリンク送信は、（ｉ）ターゲット基地局装置に対応する第１の上りリンクの送信、（ｉｉ）ソース基地局装置に対応する第２の上りリンクの送信、（ｉｉｉ）第１の上りリンクの送信、および、第２の上りリンクの送信のうち、送信が先に開始される上りリンク送信、または、（ｉｖ）第１の上りリンクの送信、および、第２の上り
リンクの送信のうち、送信が後に開始される上りリンク送信であってもよい。
【０２３５】
ターゲット基地局装置に対応するサブフレームセット１における上りリンクの送信タイミングは、ソース基地局装置に対応するサブフレームセット２における上りリンクの送信タイミングに基づいて与えられてもよい。ソース基地局装置に対応するサブフレームセット２における上りリンクの送信タイミングは、ターゲット基地局装置に対応付するサブフレームセット１における上りリンクの送信タイミングに基づいて与えられてもよい。
【０２３６】
基地局装置によって制御される各周波数の通信可能範囲（通信エリア）はセルとしてみなされる。このとき、基地局装置がカバーする通信エリアは周波数毎にそれぞれ異なる広さ、異なる形状であっても良い。また、カバーするエリアが周波数毎に異なっていてもよい。基地局装置の種別やセル半径の大きさが異なるセルが、同一の周波数および／または異なる周波数のエリアに混在して一つの通信システムを形成している無線ネットワークのことを、ヘテロジニアスネットワークと称する。
【０２３７】
端末装置は電源を入れた直後など（例えば、起動時）、いずれのネットワークとも非接続状態である。このような非接続状態をアイドルモード（ＲＲＣアイドル）と称する。アイドルモードの端末装置は通信を行なうために、いずれかのネットワークと接続する必要がある。つまり、端末装置は、接続モード（ＲＲＣ接続）になる必要がある。ここで、ネットワークは、ネットワークに属する基地局装置やアクセスポイント、ネットワークサーバ、モデムなどを含んでもよい。
【０２３８】
そこで、アイドルモードの端末装置は、通信を行なうために、ＰＬＭＮ（Public Land Mobile Network）選択、セル選択／再選択、位置登録、ＣＳＧ（Closed Subscriber Group）セルの手動選択などを行なう。
【０２３９】
端末装置が電源を入れられた時、ＰＬＭＮは非アクセス層（ＮＡＳ）によって選択される。選択されたＰＬＭＮに対して、関連する無線アクセス技術（ＲＡＴ）がセットされる。ＮＡＳは、利用可能であれば、アクセス層（ＡＳ）がセル選択／再選択に使用するのに、相当するＰＬＭＮのリストを提供する。
【０２４０】
セル選択において、端末装置は、選択されたＰＬＭＮの適切なセルを探索し、利用可能なサービスが提供されるセル（サービングセル）を選択する。さらに、端末装置はその制御チャネルに周波数を合わせる。このような選択を“セルにキャンプする”と称する。
【０２４１】
端末装置は、必要であれば、ＮＡＳ登録手順を用いて、選択されたＰＬＭＮが登録されたＰＬＭＮとなる位置登録成功の結果として、選択されたセルのトラッキングエリアにおける、その存在（選択されたセルに関する情報やトラッキングエリアに関する情報）を登録する。
【０２４２】
端末装置は、より適切なセルを見つけた場合、セル再選択基準に応じて、そのセルを再選択し、キャンプする。新しいセルが端末装置登録したトラッキングエリアに属していないとすれば、新しいセルに対する位置登録が行なわれる。
【０２４３】
必要であれば、端末装置は、一定時間毎により優先度の高いＰＬＭＮを探索し、他のＰＬＭＮがＮＡＳによって選択されたとすれば、適切なセルを探索する。
【０２４４】
利用可能なＣＳＧの探索が手動ＣＳＧ選択をサポートするためにＮＡＳによってトリガされてもよい。
【０２４５】
端末装置は登録されたＰＬＭＮのカバレッジの範囲から外れたとすれば、新しいＰＬＭＮを自動で選択する（自動モード）か、どのＰＬＭＮが利用可能であるかを手動で選択する（手動モード）かのいずれかをユーザが設定できるようにしてもよい。ただし、登録を必要としないサービスを受ける場合には、端末装置は、このような登録を行なわなくてもよい。
【０２４６】
端末装置がキャンプする適切なセルを見つけることができなかったとすれば、もしくは、位置登録が失敗したとすれば、ＰＬＭＮ識別子に係らず、セルにキャンプしようとし、“制限されたサービス”状態に入る。ここで制限されたサービスとは、条件を満たすセルにおける緊急通話やＥＴＷＳ、ＣＭＡＳなどである。それに対して、ノーマルサービスは、適切なセルにおける公共利用に対して行なわれる。また、オペレータ特有のサービスなどもある。
【０２４７】
ＮＡＳが、ＰＳＭ（Power Saving Mode）が開始することを指示する時、アクセス層（
ＡＳ）設定は維持され、すべての作動しているタイマーは作動し続けるが、端末装置はアイドルモードタスク（例えば、ＰＬＭＮ選択やセル選択／再選択など）を行なう必要はない。端末装置がＰＳＭで、あるタイマーが満了したら、ＰＳＭが終了したときの最後の処理を行なうか、直ちに対応する処理を行なうかは端末装置の実装次第である。ＮＡＳがＰＳＭの終了を指示した時、端末装置はすべてのアイドルモードタスクを行なう。
【０２４８】
端末装置は、セルの中を通信エリアとみなして動作する。端末装置が、あるセルから別のセルへ移動するときは、非接続時（ＲＲＣアイドル、アイドルモード、非通信中）はセル選択／再選択手順、接続時（ＲＲＣ接続、接続モード、通信中）はハンドオーバ手順によって別の適切なセルへ移動する。適切なセルとは、一般的に端末装置のアクセスが基地局装置から指定される情報に基づいて禁止されていないと判断したセルであって、かつ、下りリンクの受信品質が所定の条件を満足するセルのことを示す。
【０２４９】
ＰＬＭＮ選択において、端末装置では、ＮＡＳからの要求、または、自発的に、ＮＡＳへ利用可能なＰＬＭＮを報告する。ＰＬＭＮ選択中は、優先順位におけるＰＬＭＮ識別子のリストに基づいて、自動または手動のいずれかで特定のＰＬＭＮが選択されるかもしれない。ＰＬＭＮ識別子のリストにおける各ＰＬＭＮは‘ＰＬＭＮ識別子’で識別される。報知チャネルにおけるシステムインフォメーションにおいて、端末装置は、あるセルにおける１つまたは複数の‘ＰＬＭＮ識別子’を受信することができる。ＮＡＳによって行なわれたＰＬＭＮ選択の結果は選択したＰＬＭＮの識別子で示されてもよい。
【０２５０】
ＮＡＳの要求に基づいて、ＡＳは利用可能なＰＬＭＮの探索を行ない、それらをＮＡＳへ報告する。
【０２５１】
ＥＵＴＲＡの場合、端末装置は、利用可能なＰＬＭＮを見つけるために、端末装置の能力情報に応じたＥＵＴＲＡオペレーティングバンド内のすべてのＲＦチャネルをスキャンする。各キャリア（コンポーネントキャリア）において、端末装置は最も強いセルを探索し、そのセルが属しているＰＬＭＮを見つけるために、そのシステムインフォメーションを読み取る。端末装置は、その最も強いセルにおいて、１つまたはいくつかのＰＬＭＮ識別子を読み取ることができるとすれば、各発見されたＰＬＭＮはより質の高いＰＬＭＮとしてＮＡＳへ報告される。なお、より質の高いＰＬＭＮの基準は、ＥＵＴＲＡセルに対して測定されたＲＳＲＰの値が所定の値（例えば、−１１０ｄＢｍ）以上であることである。なお、最も強いセルとは、例えば、ＲＳＲＰやＲＳＲＱなどの測定値が最もよい（最も高い）値を示すセルのことである。つまり、最も強いセルとは、その端末装置における通信に対して最適なセルのことである。
【０２５２】
発見されたＰＬＭＮが、基準は満たしていないが、読み取れるとすれば、ＲＳＲＰの値とともにＰＬＭＮ識別子はＮＡＳへ報告される。ＮＡＳへ報告された測定値は１つのセルで発見された各ＰＬＭＮに対して同じである。
【０２５３】
ＰＬＭＮの探索は、ＮＡＳの要求によって止められるかもしれない。端末装置は、保持していた情報（例えば、受信測定制御情報要素からのキャリア周波数やセルパラメータに関する情報など）を用いることによってＰＬＭＮ探索を最適化するかもしれない。
【０２５４】
端末装置は、ＰＬＭＮを選択するとすぐに、キャンプするためのＰＬＭＮの適切なセルを選択するためにセル選択手順が行なわれる。
【０２５５】
ＰＬＭＮ選択の一部として、ＣＳＧ−ＩＤがＮＡＳによって提供されたとすれば、端末装置は、キャンプするために、提供されたＣＳＧ−ＩＤに属する、許容可能なセルまたは適切なセルを探索する。端末装置が提供されたＣＳＧ−ＩＤのセルにキャンプできない時、ＡＳはＮＡＳにその情報を提供する。
【０２５６】
セル選択／再選択において、端末装置は、セル選択／再選択に対する測定を行なう。
【０２５７】
ＮＡＳは、例えば、選択されたＰＬＭＮに関連するＲＡＴを指示することによって、または、禁止登録エリアのリストや相当するＰＬＭＮのリストを保持することによって、セル選択が行なわれたＲＡＴを制御することができる。端末装置は、アイドルモード測定およびセル選択基準に基づいて適切なセルを選択する。
【０２５８】
セル選択処理を加速するために、いくつかのＲＡＴに対して保持した情報は端末装置において利用されてもよい。
【０２５９】
セルにキャンプされた場合、端末装置はセル再選択基準に応じて、よりよいセルを探索する。よりよいセルが発見されたとすれば、そのセルが選択される。セルの変更はＲＡＴの変更を意味することもある。ここで、よりよいセルとは、通信するのにより適したセルのことである。例えば、よりよいセルとは、通信品質がよりよい（例えば、セル間で比較したときにＲＳＲＰやＲＳＲＱの測定値が好結果である）セルのことである。
【０２６０】
セル選択／再選択が受信したＮＡＳに関するシステム情報において変更されたとすれば、ＮＡＳは情報を提供される。
【０２６１】
ノーマルサービスにおいて、端末装置は適切なセルにキャンプし、そのセルの制御チャネルに波長を合わせる。そうすることによって、端末装置は、ＰＬＭＮからのシステムインフォメーションを受信することができる。また、端末装置は、ＰＬＭＮから、トラッキングエリア情報などの登録エリア情報を受信することができる。また、端末装置は、他のＡＳとＮＡＳ情報を受信することができる。登録したとすれば、ＰＬＭＮからページングおよび通知メッセージを受信することができる。また、端末装置は、接続モードへの遷移を開始することができる。
【０２６２】
端末装置は、２つのセル選択手順のうちの１つを用いる。初期セル選択は、ＲＦチャネルがＥＵＴＲＡキャリアであるという予備知識（保持情報）を必要としない。端末装置は、適切なセルを見つけるために端末装置の能力情報に応じたＥＵＴＲＡオペレーティングバンドにおけるすべてのＲＦチャネルをスキャンする。各キャリア周波数において、端末装置は最も強いセルに対する探索だけ必要である。適切なセルが発見されるとすぐに、このセルが選択される。
【０２６３】
保持情報セル選択は、予め受信した測定制御情報要素から、または、予め検出されたセルからの、保持された、キャリア周波数の情報と任意でさらにセルパラメータに関する情報を必要とする。端末装置は適切なセルを見つけるとすぐに、そのセルを選択する。適切なセルが見つからないとすれば、初期セル選択手順が開始される。
【０２６４】
標準セル選択に加え、ＣＳＧの手動選択が上位層からの要求に応じて端末装置によってサポートされる。
【０２６５】
異なるＥＵＴＲＡＮ周波数もしくはＲＡＴ間周波数の明確な優先事項がシステムインフォメーション（例えば、ＲＲＣ接続解放メッセージ）で、もしくは、ＲＡＴ間セルの（再）選択でもう一方のＲＡＴから引き継ぐことによって、端末装置に提供されるかもしれない。システムインフォメーションの場合、ＥＵＴＲＡＮ周波数もしくはＲＡＴ間周波数は優先事項を提供することなしにリスト化される。
【０２６６】
専用シグナリングで優先事項が提供されたとすれば、端末装置は、システムインフォメーションで提供された優先事項をすべて無視する。端末装置がいずれかのセルにキャンプされた状態であるならば、端末装置は、現在のセル（現在接続しているセル）からのシステムインフォメーションによって提供された優先事項を適用するだけである。そして、特に規定がなければ、端末装置は、専用シグナリングやＲＲＣ接続削除メッセージによって提供された優先事項を保持する。
【０２６７】
アイドルモードの端末装置は、ＰＳＳ／ＳＳＳから、セルの時間・周波数の同期を行ない、ＰＳＳ／ＳＳＳを復号することによってそのセルのセルＩＤを取得することができる。そのセルＩＤからＣＲＳの周波数位置を推定し、ＲＳＲＰ／ＲＳＲＱ測定を行なうことができる。
【０２６８】
なお、ＥＵＴＲＡＮ測定には、接続モードの端末装置によって行なわれる測定がある。端末装置は、適切な測定ギャップにおいてＥＵＴＲＡＮ測定を行ない、ＥＵＴＲＡＮ測定をしたセルに同期している。ＥＵＴＲＡＮ測定は、イントラ周波数ＲＳＲＰ／ＲＳＲＱ、インター周波数ＲＳＲＰ／ＲＳＲＱ、端末装置の受信送信の時間差、端末装置のポジショニングに用いられる参照信号時間差（ＲＳＴＤ）、ＲＡＴ間（ＥＵＴＲＡＮ−ＧＥＲＡＮ／ＵＴＲＡＮ）測定、システム間（ＥＵＴＲＡＮ−非３ＧＰＰ  ＲＡＴ）測定などがある。ＥＵＴＲＡＮ測定は、物理層測定として定義されている。ＥＵＴＲＡＮ測定は、モビリティをサポートするために用いられる。
【０２６９】
アイドルモードおよび接続モードの端末装置は、セルサーチを行なうことによって、セルとの時間および周波数同期を捕捉し、そのセルのＰＣＩを検出する。ＥＵＴＲＡセルサーチは、６リソースブロック以上に対応する拡張可能な送信帯域幅をサポートする。
【０２７０】
セルサーチを行なうために、下りリンクにおいて、ＰＳＳ／ＳＳＳおよび／またはＰＳＳ／ＳＳＳに相当する同期信号が送信される。つまり、端末装置は、ＰＳＳ／ＳＳＳおよび／またはＰＳＳ／ＳＳＳに相当する同期信号を用いてセルサーチを行なう。端末装置は、アンテナポート０〜３とサービングセルのＰＳＳ／ＳＳＳおよび／またはＰＳＳ／ＳＳＳに相当する同期信号がドップラーシフトおよび平均遅延に対してＱＣＬ（Quasi Co-Location）されたと仮定する。
【０２７１】
周辺セルサーチは初期セルサーチと同じ下りリンク信号に基づいて行なわれている。
【０２７２】
ＲＳＲＰ測定は、ＣＲＳまたは設定されたＤＳ（Discovery Signal）のＣＳＩ−ＲＳに相当する参照信号／パイロット信号に基づいて行なわれる。
【０２７３】
通常のキャンプ状態である端末装置が現在の周波数に対する以外の個別の優先事項を有する時、端末装置は、現在の周波数をより優先度の低い周波数である（つまり、８つのネットワーク設定値よりも低い）とみなす。
【０２７４】
端末装置が適切なＣＳＧセルにキャンプしている間、現在の周波数に割り当てられた何か他の優先値に係らず、端末装置は常に現在の周波数を最も優先度の高い周波数である（つまり、８つのネットワーク設定値よりも高い）とみなす。
【０２７５】
端末装置がＲＲＣ接続状態に入る時、または、専用の優先事項の任意の有効性時間に関するタイマー（Ｔ３２０）が満了する時、または、ＰＬＭＮ選択がＮＡＳによる要求に応じて行なわれる時、端末装置は、専用シグナリングによって提供された優先事項を削除する。
【０２７６】
端末装置は、システムインフォメーションで与えられた、および、端末装置が提供された優先度を有するＥＵＴＲＡＮ周波数もしくはＲＡＴ間周波数に対して、セル再選択推定を行なうだけである。
【０２７７】
端末装置は、セル再選択の候補として、ブラックリスト化されたセルを考慮しない。
【０２７８】
端末装置は、専用シグナリングによって提供された優先事項および継続有効性時間を引き継ぐ。
【０２７９】
端末装置が手動のＣＳＧ選択をサポートしている場合、ＮＡＳの要求に応じて、ＡＳは利用可能なＣＳＧを見つけるために、その能力情報に応じたＥＵＴＲＡオペレーティングバンド内のすべてのＲＦチャネルをスキャンする。各キャリアにおいて、端末装置は、少なくとも最も強いセルを探索し、そのシステムインフォメーションを読み取り、ＮＡＳにＰＬＭＮと“ＨＮＢ（Home Node B）ネーム”（報知されるとすれば）とともに利用可能
なＣＳＧ−ＩＤを報告する。
【０２８０】
ＮＡＳがＣＳＧを選択し、ＡＳにこの選択を提供したとすれば、端末装置は、キャンプするために選択されたＣＳＧに属する条件を満たすセルまたは適切なセルを探索する。
【０２８１】
標準セル再選択に加え、端末装置は、ＰＬＭＮ識別子に関連した少なくとも１つのＣＳＧ−ＩＤが端末装置のＣＳＧホワイトリストに含まれている時に、少なくとも以前訪れた（アクセスしたことがある）ＣＳＧメンバーセルを検出するために、特性要求条件に応じて非サービング周波数、ＲＡＴ間周波数における自律探索機能を用いてもよい。セルを探索するために、端末装置はさらにサービング周波数における自律探索機能を用いてもよい。端末装置のＣＳＧホワイトリストが空になっているとすれば、端末装置はＣＳＧセルに対する自律探索機能を無効にする。ここで、端末装置の実装毎の自律探索機能はＣＳＧメンバーセルを探索するための時間と場所を決定する。
【０２８２】
端末装置は、異なる周波数において、１つ以上の適切なＣＳＧセルを検出するとすれば、その関連したＣＳＧセルがその周波数において最も順位の高いセルであるとすれば、端末装置が現在キャンプしているセルの周波数優先度に係らず、検出したセルの１つを再選択する。
【０２８３】
端末装置は、同じ周波数において適切なＣＳＧセルを検出すると、標準セル再選択ルールに基づいて、このセルを再選択する。
【０２８４】
端末装置は、他のＲＡＴにおいて、１つ以上のＣＳＧセルを検出すると、端末装置は特定のルールに基づいて、それらのうちの１つを再選択する。
【０２８５】
適切なＣＳＧセルにキャンプしている間、端末装置は標準セル再選択を適用する。
【０２８６】
非サービング周波数において適切なＣＳＧセルを探索するために、端末装置は自律探索機能を用いるかもしれない。端末装置は、非サービング周波数においてＣＳＧセルを検出すると、端末装置はそれがその周波数における最も順位の高いセルであるとすれば、検出したＣＳＧセルを再選択するかもしれない。
【０２８７】
端末装置は、他のＲＡＴにおいて１つ以上のＣＳＧセルを検出すると、特定のルールに基づいて許可されているとすれば、端末装置は、それらのうちの１つを再選択するかもしれない。
【０２８８】
標準セル再選択ルールに加え、端末装置は、ＣＳＧ−ＩＤと関連するＰＬＭＮ識別子が特性要求条件に応じたＣＳＧホワイトリストにある少なくとも以前訪れたハイブリッドセルを検出するために自律探索機能を用いる。端末装置は、ハイブリッドセルのＣＳＧ−ＩＤと関連するＰＬＭＮ識別子がＣＳＧホワイトリストにあるとすれば、検出したハイブリッドセルをＣＳＧセルとして扱い、それ以外は標準セルとして扱う。
【０２８９】
正常なキャンプ状態である時、端末装置は、以下のタスク（Ｂ１）〜（Ｂ４）を行なう。
【０２９０】
（Ｂ１）端末装置は、システムインフォメーションで送信された情報に応じて、そのセルの指示されたページングチャネルを選択し、モニタする。
【０２９１】
（Ｂ２）端末装置は、関連するシステムインフォメーションをモニタする。
【０２９２】
（Ｂ３）端末装置は、セル再選択推定手順に対して必要な測定を行なう。
【０２９３】
（Ｂ４）端末装置は、端末装置内部のトリガおよび／またはセル再選択推定手順に対して用いられたＢＣＣＨ（Broadcast Control Channel）の情報が変更された時、セル再選
択推定手順を実行する。
【０２９４】
接続モードからアイドルモードへ遷移すると、端末装置は、リダイレクトしたキャリアに関する情報（redirectedCarrierInfo）がＲＲＣ接続解放メッセージに含まれていると
すれば、その情報に応じて適切なセルへキャンプしようと試みる。端末装置は、適切なセルを見つけることができなければ、指示されたＲＡＴのいずれかの適切なセルにキャンプすることを許可される。ＲＲＣ接続解放メッセージがリダイレクトしたキャリアに関する情報を含んでいないとすれば、端末装置は、ＥＵＴＲＡキャリアにおいて適切なセルを選択しようと試みる。適切なセルが見つけられなければ、端末装置は、キャンプするための適切なセルを見つけるために、保持情報セル選択手順を用いてセル選択を開始する。
【０２９５】
端末装置がいずれかのセルにキャンプした状態から接続モードに移行した後、アイドルモードに再調整されると、端末装置は、リダイレクトしたキャリアに関する情報がＲＲＣ接続解放メッセージに含まれているとすれば、リダイレクトしたキャリアに関する情報に応じて許容可能なセルにキャンプしようと試みる。ＲＲＣ接続解放メッセージがリダイレクトしたキャリアに関する情報を含んでいないとすれば、端末装置は、ＥＵＴＲＡキャリアにおいて許容可能なセルを選択しようと試みる。許容可能なセルを見つけられなければ、端末装置はいずれかのセル選択状態において、いずれかのＰＬＭＮの許容可能なセルを
探索し続ける。いずれかのセル選択状態において、いずれかのセルにキャンプしていない端末装置は、許容可能なセルを見つけるまでこの状態を継続する。
【０２９６】
いずれかのセルにキャンプした状態であれば、端末装置は、以下のタスク（Ｃ１）〜（Ｃ６）を行なう。
【０２９７】
（Ｃ１）端末装置は、システムインフォメーションで送信された情報に応じて、そのセルの指示されたページングチャネルを選択し、モニタする。
【０２９８】
（Ｃ２）端末装置は、関連するシステムインフォメーションをモニタする。
【０２９９】
（Ｃ３）端末装置は、セル再選択推定手順に対して必要な測定を行なう。
【０３００】
（Ｃ４）端末装置は、端末装置内部のトリガおよび／またはセル再選択推定手順に対して用いられたＢＣＣＨ（Broadcast Control Channel）の情報が変更された時、セル再選
択推定手順を実行する。
【０３０１】
（Ｃ５）端末装置は、定期的に端末装置によってサポートされたすべてのＲＡＴのすべての周波数を試みて適切なセルを見つける。適切なセルが見つかれば、端末装置は正常にキャンプした状態に移行する。
【０３０２】
（Ｃ６）端末装置が音声サービスをサポートし、現在のセルがシステムインフォメーションで指示された緊急通話をサポートしていないとすれば、且つ、適切なセルが見つからなければ、端末装置は、現在のセルからのシステムインフォメーションで提供された優先事項に係らず、サポートされたＲＡＴの許容可能なセルに対してセル選択／再選択を行なう。
【０３０３】
端末装置は、ＩＭＳ（IP Multimedia Subsystem）緊急通話を開始できないセルへのキ
ャンプを防ぐために周波数内のＥＵＴＲＡＮセルへ再選択を行なわないことを許可する。
【０３０４】
端末装置は、ＰＬＭＮ選択およびセル選択を行なった後、セルにキャンプすることによって、端末装置の状態（ＲＲＣアイドル（アイドルモード）、ＲＲＣ接続（接続モード））に係らず、ＭＩＢやＳＩＢ１などのシステムインフォメーションやページング情報を受信できるようになる。ランダムアクセスを行なうことによって、ＲＲＣ接続要求を送信することができる。
【０３０５】
アイドルモードの端末装置におけるランダムアクセス手順は、上位層（Ｌ２／Ｌ３）がランダムアクセスプリアンブル送信を指示する。物理層（Ｌ１）はその指示に基づいてランダムアクセスプリアンブルを送信する。Ｌ１において、ＡＣＫであれば、つまり、基地局装置からランダムアクセスレスポンスを受信する。Ｌ２／Ｌ３がＬ１からその指示を受けたとすれば、Ｌ２／Ｌ３はＲＲＣ接続要求を送信することをＬ１へ指示する。端末装置は、基地局装置（キャンプしているセル、ＥＵＴＲＡＮ、ＰＬＭＮ）に対してＲＲＣ接続要求（ＲＲＣ接続要求に関連するＲＲＣメッセージがマップされたＵＬ−ＳＣＨに対応するＰＵＳＣＨ）を送信する。基地局装置は、それを受信すると、ＲＲＣ接続セットアップ（ＲＲＣ接続セットアップに関連するＲＲＣメッセージがマップされたＤＬ−ＳＣＨに関連するＰＤＣＣＨに相当する制御信号およびＰＤＳＣＨに相当するデータ信号）を端末装置に送信する。端末装置は、Ｌ２／Ｌ３でＲＲＣ接続セットアップを受信すると、接続モードに入る。端末装置のＬ２／Ｌ３は、ＲＲＣ接続セットアップ完了の送信をＬ１に指示すると、その手順は終了する。Ｌ１は、基地局装置に、ＲＲＣ接続セットアップ完了（ＲＲＣ接続セットアップ完了に関連するＲＲＣメッセージがマップされたＵＬ−ＳＣＨに対
応するＰＵＳＣＨ）を送信する。
【０３０６】
なお、ＬＲセルにおいて、スタンドアロン型で通信が可能な場合には、アイドルモードの端末装置は、上記に相当するランダムアクセス手順を行なってから接続モードに遷移してもよい。
【０３０７】
アイドルモードの端末装置は、電力消費を低減するために、ＤＲＸ（Discontinuous Reception）を用いてページングメッセージの受信を行なってもよい。ここで、ＰＯ（Paging Occasion）はページングメッセージにアドレスするＰＤＣＣＨに相当する制御信号が送信されたＰ−ＲＮＴＩがあるサブフレームである。ＰＦ（Paging Frame）は１つまたは複数のＰＯを含む無線フレームである。ＤＲＸが用いられている時、端末装置は、ＤＲＸサイクル毎に１つのＰＯをモニタする必要がある。ＰＯとＰＦは、システムインフォメーションで提供されるＤＲＸパラメータを用いて決定される。ＤＲＸパラメータの値がシステムインフォメーションにおいて変更されている時は、端末装置において保持されたＤＲＸパラメータは局所的に更新される。端末装置がＩＭＳＩ（International Mobile Subscriber Identity）を持っていないとすれば、ＵＳＩＭ（Universal Subscriber Identity Module）のない緊急通話を行なう時、端末装置はＰＦにおいてデフォルト識別子（ＵＥ＿ＩＤ＝０）とｉ＿ｓを用いる。つまり、ＰＣＨ（ページング情報）は、所定の無線フレームの所定のサブフレームにおけるＰＤＣＣＨを用いて通知される。
【０３０８】
セルにキャンプしている端末装置は、ＰＳＳ／ＳＳＳに相当する同期信号から時間周波数同期を捕捉し、ＰＣＩを取得する。それからその端末装置は、ＰＢＣＨに相当する報知信号からＭＩＢに相当する報知情報を検出し、キャリア周波数および下りリンク送信帯域幅、ＳＦＮ、ＰＨＩＣＨ設定などを取得する。端末装置は、ＭＩＢを取得することによって、下りリンク送信帯域幅全体にマップされたＰＤＣＣＨに相当する制御信号をモニタすることができる。端末装置は、受信したＰＤＣＣＨがＳＩ−ＲＮＴＩでスクランブルされたＣＲＣを伴う場合には、そのＰＤＣＣＨに対応するＰＤＳＣＨからＳＩＢ１などのＳＩメッセージを取得する。これらのＳＩメッセージを取得することによって、物理チャネル／物理信号の設定に関する情報やセル選択に関する情報などを取得することができる。さらに端末装置は、受信したＰＤＣＣＨがＰ−ＲＮＴＩでスクランブルされたＣＲＣを伴う場合には、そのＰＤＣＣＨに対応するＰＤＳＣＨからＰＣＨを検出し、ページング情報を取得することができる。端末装置は、アイドルモードから接続モードに遷移する場合には、ランダムアクセス手順による初期アクセスを行なう。初期アクセスを行なうによって、基地局装置は、端末装置の情報を取得することができる。初期アクセスが完了すると、端末装置と基地局装置はＲＲＣ接続確立を行なうことができる。ＲＲＣ接続が確立すれば、端末装置は、接続モードに遷移する。また、端末装置は、ＰＤＣＣＨをモニタできるようになると、ＰＤＣＣＨを用いて、定期的に、同期内にあるか同期外れになっているか確認する。同期外れと判断した場合には、端末装置は上位層へその旨を通知する。上位層は、その通知を受けて、そのセルに対してＲＬＦ（Radio Link Failure）が発生したと判断する。
【０３０９】
端末装置と基地局装置は、ＣＡによって複数の異なる周波数バンド（周波数帯）の周波数（コンポーネントキャリア、または、周波数帯域）を集約（アグリゲート）して一つの周波数（周波数帯域）のように扱う技術を適用してもよい。コンポーネントキャリアには、上りリンク（上りリンクセル）に対応する上りリンクコンポーネントキャリアと、下りリンク（下りリンクセル）に対応する下りリンクコンポーネントキャリアとがある。本発明の各実施形態において、周波数と周波数帯域は同義的に使用され得る。
【０３１０】
例えば、ＣＡによって周波数帯域幅が２０ＭＨｚのコンポーネントキャリアを５つ集約した場合、ＣＡを可能な能力を持つ端末装置はこれらを１００ＭＨｚの周波数帯域幅とみ
なして送受信を行なってもよい。なお、集約するコンポーネントキャリアは連続した周波数であっても、すべてまたは一部が不連続となる周波数であってもよい。例えば、使用可能な周波数バンドが８００ＭＨｚ帯、２ＧＨｚ帯、３．５ＧＨｚ帯である場合、あるコンポーネントキャリアが８００ＭＨｚ帯、別のコンポーネントキャリアが２ＧＨｚ帯、さらに別のコンポーネントキャリアが３．５ＧＨｚ帯で送信されていてもよい。端末装置および／または基地局装置は、それらのオペレーティングバンドに属するコンポーネントキャリア（セルに相当するコンポーネントキャリア）を用いて同時に、送信および／または受信を行なってもよい。
【０３１１】
また、同一周波数帯の連続または不連続の複数のコンポーネントキャリアを集約することも可能である。各コンポーネントキャリアの周波数帯域幅は端末装置の受信可能周波数帯域幅（例えば２０ＭＨｚ）よりも狭い周波数帯域幅（例えば５ＭＨｚや１０ＭＨｚ）であっても良く、集約する周波数帯域幅が各々異なっていてもよい。ＮＸの機能を有する端末装置および／または基地局装置は、ＬＴＥセルと後方互換性を持つセルと、後方互換性を持たないセルの両方をサポートしてもよい。
【０３１２】
また、ＬＲの機能を有する端末装置および／または基地局装置は、ＬＴＥと後方互換性のない複数のコンポーネントキャリア（キャリアタイプ、セル）を集約してもよい。なお、基地局装置が端末装置に割り当てる（設定する、追加する）上りリンクコンポーネントキャリアの数は、下りリンクコンポーネントキャリアの数と同じか少なくてもよい。
【０３１３】
無線リソース要求のための上りリンク制御チャネルの設定が行われる上りリンクコンポーネントキャリアと、当該上りリンクコンポーネントキャリアとセル固有接続される下りリンクコンポーネントキャリアから構成されるセルは、ＰＣｅｌｌと称される。また、ＰＣｅｌｌ以外のコンポーネントキャリアから構成されるセルは、ＳＣｅｌｌと称される。端末装置は、ＰＣｅｌｌでページングメッセージの受信、報知情報の更新の検出、初期アクセス手順、セキュリティ情報の設定などを行なう一方、ＳＣｅｌｌではこれらを行なわなくてもよい。
【０３１４】
ＰＣｅｌｌは活性化（Activation）および不活性化（Deactivation）の制御の対象外であるが（つまり必ず活性化しているとみなされる）、ＳＣｅｌｌは活性化および不活性化という状態（state）を持ち、これらの状態の変更は、基地局装置から明示的に指定され
るほか、コンポーネントキャリア毎に端末装置に設定されるタイマーに基づいて状態が変更される。ＰＣｅｌｌとＳＣｅｌｌとを合わせてサービングセル（在圏セル）と称する。
【０３１５】
ＬＴＥセルとＬＲセルの両方をサポートしている端末装置および／または基地局装置は、ＬＴＥセルとＬＲセルの両方を用いて通信を行なう場合、ＬＴＥセルに関するセルグループとＬＲセルに関するセルグループを構成してもよい。つまり、ＬＴＥセルに関するセルグループとＬＲセルに関するセルグループのそれぞれにおいて、ＰＣｅｌｌに相当するセルが含まれてもよい。
【０３１６】
なお、ＣＡは、複数のコンポーネントキャリア（周波数帯域）を用いた複数のセルによる通信であり、セル・アグリゲーションとも称される。なお、端末装置は、周波数毎に中継局装置（またはリピーター）を介して基地局装置と無線接続（ＲＲＣ接続）されてもよい。すなわち、本実施形態の基地局装置は、中継局装置に置き換えられてもよい。
【０３１７】
基地局装置は端末装置が該基地局装置で通信可能なエリアであるセルを周波数毎に管理する。１つの基地局装置が複数のセルを管理していてもよい。セルは、端末装置と通信可能なエリアの大きさ（セルサイズ）に応じて複数の種別に分類される。例えば、セルは、マクロセルとスモールセルに分類される。さらに、スモールセルは、そのエリアの大きさ
に応じて、フェムトセル、ピコセル、ナノセルに分類される。また、端末装置がある基地局装置と通信可能であるとき、その基地局装置のセルのうち、端末装置との通信に使用されるように設定されているセルはサービングセルであり、その他の通信に使用されないセルは周辺セルと称される。
【０３１８】
言い換えると、ＣＡにおいて、設定された複数のサービングセルは、１つのＰＣｅｌｌと１つまたは複数のＳＣｅｌｌとを含む。
【０３１９】
ＰＣｅｌｌは、初期コネクション確立手順（RRC Connection establishment procedure）が行なわれたサービングセル、コネクション再確立手順（RRC Connection reestablishment procedure）を開始したサービングセル、または、ハンドオーバ手順においてＰＣｅｌｌと指示されたセルである。ＰＣｅｌｌは、プライマリ周波数でオペレーションする。コネクションが（再）確立された時点、または、その後に、ＳＣｅｌｌが設定されてもよい。ＳＣｅｌｌは、セカンダリ周波数でオペレーションする。なお、コネクションは、ＲＲＣコネクションと称されてもよい。ＣＡをサポートしている端末装置に対して、１つのＰＣｅｌｌと１つ以上のＳＣｅｌｌで集約されてもよい。
【０３２０】
端末装置は、１つよりも多いサービングセルが設定されるか、セカンダリセルグループが設定されるとすれば、各サービングセルに対して、少なくとも所定の数のトランスポートブロックに対して、トランスポートブロックのコードブロックのデコーディング失敗に応じて、少なくとも所定の範囲に相当する受信したソフトチャネルビットを保持する。
【０３２１】
ＬＡＡ端末は、２つ以上の無線アクセス技術（ＲＡＴ）に対応する機能をサポートしてもよい。
【０３２２】
ＬＡＡ端末は、２つ以上のオペレーティングバンドをサポートする。つまり、ＬＡＡ端末は、ＣＡに関する機能をサポートしている。
【０３２３】
また、ＬＡＡ端末は、ＴＤＤ（Time Division Duplex）やＨＤ−ＦＤＤ（Half Duplex Frequency Division Duplex）をサポートしてもよい。また、ＬＡＡ端末は、ＦＤ−ＦＤ
Ｄ（Full Duplex FDD）をサポートしてもよい。ＬＡＡ端末は、どのデュプレックスモー
ド／フレーム構造タイプをサポートしているかを、能力情報などの上位層シグナリングを介して示してもよい。
【０３２４】
また、ＬＡＡ端末は、カテゴリーＸ（Ｘは所定の値）のＬＴＥ端末であってもよい。つまり、ＬＡＡ端末は、１つのＴＴＩで送信／受信可能なトランスポートブロックの最大ビット数が拡張されてもよい。ＬＴＥでは、１ＴＴＩは１サブフレームに相当する。
【０３２５】
なお、本発明の各実施形態において、ＴＴＩとサブフレームは個別に定義されてもよい。
【０３２６】
また、ＬＡＡ端末は、複数のデュプレックスモード／フレーム構造タイプをサポートしてもよい。
【０３２７】
フレーム構造タイプ１は、ＦＤ−ＦＤＤとＨＤ−ＦＤＤの両方に対して適用できる。ＦＤＤでは、各１０ｍｓ間隔で、下りリンク送信と上りリンク送信のそれぞれに対して１０サブフレームずつ利用できる。また、上りリンク送信と下りリンク送信は、周波数領域で分けられる。ＨＤ−ＦＤＤオペレーションにおいて、端末装置は、同時に送信と受信はできないが、ＦＤ−ＦＤＤオペレーションにおいてはその制限がない。
【０３２８】
周波数ホッピングや使用周波数が変更された際の、再チューニング時間（チューニングに必要な時間（サブフレーム数またはシンボル数））は上位層シグナリングによって設定されてもよい。
【０３２９】
例えば、ＬＡＡ端末において、サポートする下りリンク送信モード（ＰＤＳＣＨ送信モード）の数は削減されてもよい。つまり、基地局装置は、ＬＡＡ端末から能力情報として、下りリンク送信モードの数、または、そのＬＡＡ端末がサポートしている下りリンク送信モードが示された場合には、その能力情報に基づいて、下りリンク送信モードを設定する。なお、ＬＡＡ端末は、自身がサポートしてない下りリンク送信モードに対するパラメータが設定された場合、その設定を無視してもよい。つまり、ＬＡＡ端末は、サポートしていない下りリンク送信モードに対する処理を行なわなくてもよい。ここで、下りリンク送信モードは、設定された下りリンク送信モードやＲＮＴＩの種類、ＤＣＩフォーマット、サーチスペースに基づいて、ＰＤＣＣＨ／ＥＰＤＣＣＨに対応するＰＤＳＣＨの送信方式を示すために用いられる。端末装置は、それらの情報に基づいて、ＰＤＳＣＨが、アンテナポート０で送信されるのか、送信ダイバーシティで送信されるのか、複数のアンテナポートで送信されるのか、などが分かる。端末装置は、それらの情報に基づいて、受信処理を適切に行なうことができる。同じ種類のＤＣＩフォーマットからＰＤＳＣＨのリソース割り当てに関するＤＣＩを検出しても、下りリンク送信モードやＲＮＴＩの種類が異なる場合には、そのＰＤＳＣＨは、同じ送信方式で送信されるとは限らない。
【０３３０】
端末装置が、ＰＵＣＣＨとＰＵＳＣＨの同時送信に関する機能をサポートしている場合、且つ、ＰＵＳＣＨの繰り返し送信および／またはＰＵＣＣＨの繰り返し送信に関する機能をサポートしている場合には、ＰＵＳＣＨの送信が生じたタイミングまたはＰＵＣＣＨの送信が生じたタイミングにおいて、ＰＵＣＣＨとＰＵＳＣＨは、所定の回数、繰り返し送信が行なわれてもよい。つまり、同じタイミング（つまり、同じサブフレーム）でＰＵＣＣＨとＰＵＳＣＨの同時送信を行なってもよい。
【０３３１】
このような場合において、ＰＵＣＣＨには、ＣＳＩレポートやＨＡＲＱ−ＡＣＫ、ＳＲが含まれてもよい。
【０３３２】
ＰＣｅｌｌでは、すべての信号が送受信可能であるが、ＳＣｅｌｌでは、送受信できない信号があってもよい。例えば、ＰＵＣＣＨは、ＰＣｅｌｌでのみ送信される。また、ＰＲＡＣＨは、セル間で、複数のＴＡＧ（Timing Advance Group）が設定されない限り、ＰＣｅｌｌでのみ送信される。また、ＰＢＣＨは、ＰＣｅｌｌでのみ送信される。また、ＭＩＢは、ＰＣｅｌｌでのみ送信される。しかし、端末装置に、ＳＣｅｌｌでＰＵＣＣＨやＭＩＢを送信する機能がサポートされている場合には、基地局装置は、その端末装置に対して、ＰＵＣＣＨやＭＩＢをＳＣｅｌｌ（ＳＣｅｌｌに対応する周波数）で送信することを指示してもよい。つまり、端末装置がその機能をサポートしている場合には、基地局装置は、その端末装置に対して、ＰＵＣＣＨやＭＩＢをＳＣｅｌｌで送信するためのパラメータを設定してもよい。
【０３３３】
ＰＣｅｌｌでは、ＲＬＦ（Radio Link Failure）が検出される。ＳＣｅｌｌでは、ＲＬＦが検出される条件を満たしてもＲＬＦが検出されたと認識しない。ＰＣｅｌｌの下位層において、ＲＬＦの条件を満たした場合、ＰＣｅｌｌの下位層は、ＰＣｅｌｌの上位層へＲＬＦの条件が満たされたことを通知する。ＰＣｅｌｌでは、ＳＰＳ（Semi-Persistent Scheduling）やＤＲＸ（Discontinuous Transmission）を行なってもよい。ＳＣｅｌｌでは、ＰＣｅｌｌと同じＤＲＸを行なってもよい。ＳＣｅｌｌにおいて、ＭＡＣの設定に関する情報／パラメータは、基本的に、同じセルグループのＰＣｅｌｌと共有している。一部のパラメータ（例えば、ｓＴＡＧ−Ｉｄ）は、ＳＣｅｌｌ毎に設定されてもよい。一部のタイマーやカウンタが、ＰＣｅｌｌに対してのみ適用されてもよい。ＳＣｅｌｌに対し
てのみ、適用されるタイマーやカウンタが設定されてもよい。
【０３３４】
図５は、本実施形態に係る基地局装置２のブロック構成の一例を示す概略図である。基地局装置２は、上位層（上位層制御情報通知部）５０１、制御部（基地局制御部）５０２、コードワード生成部５０３、下りリンクサブフレーム生成部５０４、ＯＦＤＭ信号送信部（下りリンク送信部）５０６、送信アンテナ（基地局送信アンテナ）５０７、受信アンテナ（基地局受信アンテナ）５０８、ＳＣ−ＦＤＭＡ信号受信部（チャネル状態測定部および／またはＣＳＩ受信部）５０９、上りリンクサブフレーム処理部５１０を有する。下りリンクサブフレーム生成部５０４は、下りリンク参照信号生成部５０５を有する。また、上りリンクサブフレーム処理部５１０は、上りリンク制御情報抽出部（ＣＳＩ取得部／ＨＡＲＱ−ＡＣＫ取得部／ＳＲ取得部）５１１を有する。なお、ＳＣ−ＦＤＭＡ信号受信部５０９は、受信信号やＣＣＡ、干渉雑音電力の測定部も兼ねている。なお、ＳＣ−ＦＤＭＡ信号受信部は、端末装置がＯＦＤＭ信号の送信をサポートしている場合には、ＯＦＤＭ信号受信部であってもよいし、ＯＦＤＭ信号受信部を含んでもよい。なお、下りリンクサブフレーム生成部は、下りリンクＴＴＩ生成部であってもよいし、下りリンクＴＴＩ生成部を含んでもよい。下りリンクＴＴＩ生成部は、下りリンクＴＴＩを構成する物理チャネルおよび／または物理信号の生成部であってもよい。なお、上りリンクについても同様であってもよい。
【０３３５】
図６は、本実施形態に係る端末装置１のブロック構成の一例を示す概略図である。端末装置１は、受信アンテナ（端末受信アンテナ）６０１、ＯＦＤＭ信号受信部（下りリンク受信部）６０２、下りリンクサブフレーム処理部６０３、トランスポートブロック抽出部（データ抽出部）６０５、制御部（端末制御部）６０６、上位層（上位層制御情報取得部）６０７、チャネル状態測定部（ＣＳＩ生成部）６０８、上りリンクサブフレーム生成部６０９、ＳＣ−ＦＤＭＡ信号送信部（ＵＣＩ送信部）６１１および６１２、送信アンテナ（端末送信アンテナ）６１３および６１４を有する。下りリンクサブフレーム処理部６０３は、下りリンク参照信号抽出部６０４を有する。また、上りリンクサブフレーム生成部６０９は、上りリンク制御情報生成部（ＵＣＩ生成部）６１０を有する。なお、ＯＦＤＭ信号受信部６０２は、受信信号やＣＣＡ、干渉雑音電力の測定部も兼ねている。つまり、ＯＦＤＭ信号受信部６０２において、ＲＲＭ測定が行なわれてもよい。端末装置がＯＦＤＭ信号の送信をサポートしている場合には、ＳＣ−ＦＤＭＡ信号送信部は、ＯＦＤＭ信号送信部であってもよいし、ＯＦＤＭ信号送信部を含んでもよい。なお、上りリンクサブフレーム生成部は、上りリンクＴＴＩ生成部であってもよいし、下りリンクＴＴＩ生成部を含んでもよい。また、端末装置は、上りリンク信号の送信電力を制御／セットするための電力制御部を含んでもよい。
【０３３６】
図５と図６のそれぞれにおいて、上位層は、ＭＡＣ（Medium Access Control）層やＲ
ＬＣ（Radio Link Control）層、ＰＤＣＰ（Packet Data Convergence Protocol）層、ＲＲＣ（Radio Resource Control）層を含んでもよい。
【０３３７】
ＲＬＣ層は、上位層へＴＭ（Transparent Mode）データ伝送、ＵＭ（Unacknowledged Mode）データ伝送、上位層のＰＤＵ（Packet Data Unit）の伝送が成功したことを示すイ
ンディケーションを含むＡＭ（Acknowledged Mode）データ伝送を行なう。また、下位層
へはデータ伝送と、送信機会において送信されたＲＬＣ  ＰＤＵの全サイズとともに、送信機会の通知を行なう。
【０３３８】
ＲＬＣ層は、上位層ＰＤＵの伝送に関する機能、（ＡＭデータ伝送に対してだけ）ＡＲＱ（Automatic Repeat reQuest）を介したエラー補正に関する機能、（ＵＭとＡＭデータ伝送に対してだけ）ＲＬＣ  ＳＤＵ（Service Data Unit）の結合／分割／再構築に関す
る機能、（ＡＭデータ伝送に対して）ＲＬＣデータＰＤＵの再分割に関する機能、（ＡＭ
データ伝送に対してだけ）ＲＬＣデータＰＤＵの並び替えに関する機能、（ＵＭとＡＭデータ伝送に対してだけ）重複検出に関する機能、（ＵＭとＡＭデータ伝送に対してだけ）ＲＬＣ  ＳＤＵの破棄に関する機能、ＲＬＣの再確立に関する機能、（ＡＭデータ伝送に対してだけ）プロトコルエラー検出に関する機能をサポートしている。
【０３３９】
まず、図５および図６を用いて、下りリンクデータの送受信の流れについて説明する。基地局装置２において、制御部５０２は、下りリンクにおける変調方式および符号化率などを示すＭＣＳ（Modulation and Coding Scheme）、データ送信に用いるＲＢを示す下りリンクリソース割り当て、ＨＡＲＱの制御に用いる情報（リダンダンシーバージョン、ＨＡＲＱプロセス番号、ＮＤＩ（New Data Indicator））を保持し、これらに基づいてコードワード生成部５０３や下りリンクサブフレーム生成部５０４を制御する。上位層５０１から送られてくる下りリンクデータ（下りリンクトランスポートブロック、ＤＬ−ＳＣＨデータ、ＤＬ−ＳＣＨトランスポートブロックとも称す）は、コードワード生成部５０３において、制御部５０２の制御の下で、誤り訂正符号化やレートマッチング処理などの処理が施され、コードワードが生成される。１つのセルにおける１つのサブフレームにおいて、最大２つのコードワードが同時に送信される。下りリンクサブフレーム生成部５０４では、制御部５０２の指示により、下りリンクサブフレームが生成される。まず、コードワード生成部５０３において生成されたコードワードは、ＰＳＫ（Phase Shift Keying）変調やＱＡＭ（Quadrature Amplitude Modulation）変調などの変調処理により、変調シ
ンボル系列に変換される。また、変調シンボル系列は、一部のＲＢ内のＲＥにマッピングされ、プレコーディング処理によりアンテナポート毎の下りリンクサブフレームが生成される。このとき、上位層５０１から送られてくる送信データ系列は、上位層における制御情報（例えば専用（個別）ＲＲＣ（Radio Resource Control）シグナリング）である上位層制御情報を含む。また、下りリンク参照信号生成部５０５では、下りリンク参照信号が生成される。下りリンクサブフレーム生成部５０４は、制御部５０２の指示により、下りリンク参照信号を下りリンクサブフレーム内のＲＥにマッピングする。下りリンクサブフレーム生成部５０４で生成された下りリンクサブフレームは、ＯＦＤＭ信号送信部５０６においてＯＦＤＭ信号に変調され、送信アンテナ５０７を介して送信される。なお、ここではＯＦＤＭ信号送信部５０６と送信アンテナ５０７を一つずつ有する構成を例示しているが、複数のアンテナポートを用いて下りリンクサブフレームを送信する場合は、ＯＦＤＭ信号送信部５０６と送信アンテナ５０７とを複数有する構成であってもよい。また、下りリンクサブフレーム生成部５０４は、ＰＤＣＣＨやＥＰＤＣＣＨまたはＰＤＣＣＨやＥＰＤＣＣＨに相当する制御チャネル／共用チャネルなどの物理層の下りリンク制御チャネルを生成して下りリンクサブフレーム内のＲＥにマッピングする能力も有することができる。複数の基地局装置は、それぞれ個別の下りリンクサブフレームを送信する。
【０３４０】
端末装置１では、受信アンテナ６０１を介して、ＯＦＤＭ信号受信部６０２においてＯＦＤＭ信号が受信され、ＯＦＤＭ復調処理が施される。
【０３４１】
下りリンクサブフレーム処理部６０３は、まずＰＤＣＣＨやＥＰＤＣＣＨまたはＰＤＣＣＨやＥＰＤＣＣＨに相当する制御チャネルなどの物理層の下りリンク制御チャネルを検出する。より具体的には、下りリンクサブフレーム処理部６０３は、ＰＤＣＣＨやＥＰＤＣＣＨまたはＰＤＣＣＨやＥＰＤＣＣＨに相当する制御チャネル／共用チャネルが割り当てられる領域においてＰＤＣＣＨやＥＰＤＣＣＨまたはＰＤＣＣＨやＥＰＤＣＣＨに相当する制御チャネルが送信されたものとして復号し、予め付加されているＣＲＣ（Cyclic Redundancy Check）ビットを確認する（ブラインド復号）。すなわち、下りリンクサブフ
レーム処理部６０３は、ＰＤＣＣＨやＥＰＤＣＣＨまたはＰＤＣＣＨやＥＰＤＣＣＨに相当する制御チャネル／共用チャネルをモニタリングする。ＣＲＣビットが予め基地局装置から割り当てられたＩＤ（Ｃ−ＲＮＴＩ（Cell-Radio Network Temporary Identifier）
、ＳＰＳ−Ｃ−ＲＮＴＩ（Semi-Persistent Scheduling-C-RNTI）など１つの端末に対し
て１つ割り当てられる端末固有識別子（UEID）、あるいはＴｅｍｐｏｒａｌｙ  Ｃ−ＲＮＴＩ）と一致する場合、下りリンクサブフレーム処理部６０３は、ＰＤＣＣＨあるいはＥＰＤＣＣＨまたはＰＤＣＣＨやＥＰＤＣＣＨに相当する制御チャネル／共用チャネルを検出できたものと認識し、検出したＰＤＣＣＨあるいはＥＰＤＣＣＨまたはＰＤＣＣＨやＥＰＤＣＣＨに相当する制御チャネルに含まれる制御情報を用いてＰＤＳＣＨまたはＰＤＳＣＨに相当するデータチャネル／共用チャネルを取り出す。
【０３４２】
制御部６０６は、制御情報に基づく下りリンクにおける変調方式および符号化率などを示すＭＣＳ、下りリンクデータ送信に用いるＲＢを示す下りリンクリソース割り当て、ＨＡＲＱの制御に用いる情報を保持し、これらに基づいて下りリンクサブフレーム処理部６０３やトランスポートブロック抽出部６０５などを制御する。より具体的には、制御部６０６は、下りリンクサブフレーム生成部５０４におけるＲＥマッピング処理や変調処理に対応するＲＥデマッピング処理や復調処理などを行なうように制御する。受信した下りリンクサブフレームから取り出されたＰＤＳＣＨは、トランスポートブロック抽出部６０５に送られる。また、下りリンクサブフレーム処理部６０３内の下りリンク参照信号抽出部６０４は、下りリンクサブフレームからＤＬＲＳを取り出す。
【０３４３】
トランスポートブロック抽出部６０５では、コードワード生成部５０３におけるレートマッチング処理、誤り訂正符号化に対応するレートマッチング処理、誤り訂正復号化などが施され、トランスポートブロックが抽出され、上位層６０７に送られる。トランスポートブロックには、上位層制御情報が含まれており、上位層６０７は上位層制御情報に基づいて制御部６０６に必要な物理層パラメータを知らせる。なお、複数の基地局装置２は、それぞれ個別の下りリンクサブフレームを送信しており、端末装置１ではこれらを受信するため、上述の処理を複数の基地局装置２毎の下りリンクサブフレームに対して、それぞれ行うようにしてもよい。このとき、端末装置１は複数の下りリンクサブフレームが複数の基地局装置２から送信されていると認識してもよいし、認識しなくてもよい。認識しない場合、端末装置１は、単に複数のセルにおいて複数の下りリンクサブフレームが送信されていると認識するだけでもよい。また、トランスポートブロック抽出部６０５では、トランスポートブロックが正しく検出できたか否かを判定し、判定結果は制御部６０６に送られる。
【０３４４】
ここで、トランスポートブロック抽出部６０５には、バッファ部（ソフトバッファ部）を含んでもよい。バッファ部において、抽出したトランスポートブロックの情報を一時的に記憶することができる。例えば、トランスポートブロック抽出部６０５は、同じトランスポートブロック（再送されたトランスポートブロック）を受信した場合、このトランスポートブロックに対するデータの復号が成功していないとすれば、バッファ部に一時的に記憶したこのトランスポートブロックに対するデータと新たに受信したデータを結合（合成）し、結合したデータを復号しようと試みる。バッファ部は、一時的に記憶したデータが必要なくなれば、もしくは、所定の条件を満たせば、そのデータをフラッシュする。フラッシュするデータの条件は、データに対応するトランスポートブロックの種類によって異なる。バッファ部は、データの種類毎に、用意されてもよい。例えば、バッファ部として、メッセージ３バッファやＨＡＲＱバッファが用意されてもよいし、Ｌ１／Ｌ２／Ｌ３などレイヤ毎に用意されてもよい。なお、情報／データをフラッシュするとは、情報やデータが格納されたバッファをフラッシュすることを含む。
【０３４５】
次に、上りリンク信号の送受信の流れについて説明する。端末装置１では制御部６０６の指示の下で、下りリンク参照信号抽出部６０４で抽出された下りリンク参照信号がチャネル状態測定部６０８に送られ、チャネル状態測定部６０８においてチャネル状態および／または干渉が測定され、さらに測定されたチャネル状態および／または干渉に基づいて、ＣＳＩが算出される。また、制御部６０６は、トランスポートブロックが正しく検出で
きたか否かの判定結果に基づいて、上りリンク制御情報生成部６１０にＨＡＲＱ−ＡＣＫ（ＤＴＸ（未送信）、ＡＣＫ（検出成功）またはＮＡＣＫ（検出失敗））の生成および下りリンクサブフレームへのマッピングを指示する。端末装置１は、これらの処理を複数のセル毎の下りリンクサブフレームに対して、それぞれ行う。上りリンク制御情報生成部６１０では、算出されたＣＳＩおよび／またはＨＡＲＱ−ＡＣＫを含むＰＵＣＣＨまたはＰＵＣＣＨに相当する制御チャネル／共用チャネルが生成される。上りリンクサブフレーム生成部６０９では、上位層６０７から送られる上りリンクデータを含むＰＵＳＣＨまたはＰＵＳＣＨに相当するデータチャネル／共用チャネルと、上りリンク制御情報生成部６１０において生成されるＰＵＣＣＨまたは制御チャネルとが上りリンクサブフレーム内のＲＢにマッピングされ、上りリンクサブフレームが生成される。
【０３４６】
受信アンテナ５０８を介して、ＳＣ−ＦＤＭＡ信号受信部５０９においてＳＣ−ＦＤＭＡ信号が受信され、ＳＣ−ＦＤＭＡ復調処理が施される。上りリンクサブフレーム処理部５１０では、制御部５０２の指示により、ＰＵＣＣＨがマッピングされたＲＢを抽出し、上りリンク制御情報抽出部５１１においてＰＵＣＣＨに含まれるＣＳＩを抽出する。抽出されたＣＳＩは制御部５０２に送られる。ＣＳＩは、制御部５０２による下りリンク送信パラメータ（ＭＣＳ、下りリンクリソース割り当て、ＨＡＲＱなど）の制御に用いられる。なお、ＳＣ−ＦＤＭＡ信号受信部は、ＯＦＤＭ信号受信部であってもよい。また、ＳＣ−ＦＤＭＡ信号受信部は、ＯＦＤＭ信号受信部を含んでもよい。
【０３４７】
基地局装置は、パワーヘッドルームレポートから、端末装置が設定した最大出力電力ＰＣＭＡＸを想定し、端末装置から受信した物理上りリンクチャネルに基づいて、各物理上りリンクチャネルに対する電力の上限値を想定する。基地局装置は、それらの想定に基づいて、物理上りリンクチャネルに対する送信電力制御コマンドの値を決定し、下りリンク制御情報フォーマットを伴うＰＤＣＣＨを用いて、端末装置に送信する。そうすることによって、端末装置から送信される物理上りリンクチャネル／信号（または上りリンク物理チャネル／物理信号）の送信電力の電力調整が行なわれる。
【０３４８】
基地局装置は、端末装置に対してＰＤＣＣＨ（ＥＰＤＣＣＨ）／ＰＤＳＣＨ（またはこれらに相当するＬＲセルの共用チャネル／制御チャネル）を送信する場合、ＰＢＣＨ（またはＰＢＣＨに相当する報知チャネル）のリソースに割り当てないようにＰＤＣＣＨ／ＰＤＳＣＨのリソース割り当てを行なう。
【０３４９】
ＰＤＳＣＨは、端末装置に対するＳＩＢ／ＲＡＲ／ページング／ユニキャストのそれぞれに関するメッセージ／情報を伝送するために用いられてもよい。
【０３５０】
ＰＵＳＣＨに対する周波数ホッピングは、グラントの種類に応じて個別に設定されてもよい。例えば、ダイナミックスケジュールグラント、セミパーシステントグラント、ＲＡＲグラントのそれぞれに対応するＰＵＳＣＨの周波数ホッピングに用いられるパラメータの値は個別に設定されてもよい。それらのパラメータは、上りリンクグラントで示されなくてもよい。また、それらのパラメータは、システムインフォメーションを含む上位層シグナリングを介して設定されてもよい。
【０３５１】
上述した種々のパラメータは物理チャネル毎に設定されてもよい。また、上述した種々のパラメータは端末装置毎に設定されてもよい。また、上述したパラメータは端末装置間で共通に設定されてもよい。ここで、上述した種々のパラメータはシステムインフォメーションを用いて設定されてもよい。また、上述した種々のパラメータは上位層シグナリング（ＲＲＣシグナリング、ＭＡＣ  ＣＥ）を用いて設定されてもよい。また、上述した種々のパラメータはＰＤＣＣＨ／ＥＰＤＣＣＨを用いて設定されてもよい。上述した種々のパラメータはブロードキャストインフォメーションとして設定されてもよい。また、上述
した種々のパラメータはユニキャストインフォメーションとして設定されてもよい。
【０３５２】
なお、上述した実施形態では、各ＰＵＳＣＨ送信に要求される電力値は、上位層により設定されるパラメータ、リソースアサインメントによってそのＰＵＳＣＨ送信に割り当てられたＰＲＢ数によって決まる調整値、下りリンクパスロスおよびそれに乗算される係数、ＵＣＩに適用されるＭＣＳのオフセットを示すパラメータによって決まる調整値、ＴＰＣコマンドによって得られる補正値などに基づいて算出されるものとして説明した。また、各ＰＵＣＣＨ送信に要求される電力値は、上位層により設定されるパラメータ、下りリンクパスロス、そのＰＵＣＣＨで送信されるＵＣＩによって決まる調整値、ＰＵＣＣＨフォーマットによって決まる調整値、そのＰＵＣＣＨの送信に用いられるアンテナポート数によって決まる調整値、ＴＰＣコマンドに基づく値などに基づいて算出されるものとして説明した。しかしながら、これに限るものではない。要求される電力値に対して上限値を設け、上記パラメータに基づく値と上限値（例えば、サービングセルｃにおける最大出力電力値であるＰＣＭＡＸ，ｃ）との間の最小値を、要求される電力値として用いることもできる。
【０３５３】
本発明に関わる基地局装置および端末装置で動作するプログラムは、本発明に関わる上記実施形態の機能を実現するように、ＣＰＵ（Central Processing Unit）等を制御する
プログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが
行なわれる。
【０３５４】
なお、上述した実施形態における端末装置および／または基地局装置の一部をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０３５５】
なお、「コンピュータシステム」とは、端末装置または基地局装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３５６】
さらに、「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０３５７】
また、上述した実施形態における基地局装置は、複数の装置から構成される集合体（装置グループ）として実現することもできる。装置グループを構成する装置の各々は、上述した実施形態に関わる基地局装置の各機能または各機能ブロックの一部、または、全部を備えてもよい。装置グループとして、基地局装置の一通りの各機能または各機能ブロックを有していればよい。また、上述した実施形態に関わる端末装置は、集合体としての基地局装置と通信することも可能である。
【０３５８】
また、上述した実施形態における基地局装置は、ＥＵＴＲＡＮ（Evolved Universal Terrestrial Radio Access Network）であってもよい。また、上述した実施形態における基地局装置２は、ｅＮｏｄｅＢに対する上位ノードの機能の一部または全部を有してもよい。
【０３５９】
また、上述した実施形態における端末装置、基地局装置の一部、または、全部を典型的には集積回路であるＬＳＩとして実現してもよいし、チップセットとして実現してもよい。端末装置、基地局装置の各機能ブロックは個別にチップ化してもよいし、一部、又は全部を集積してチップ化してもよい。また、集積回路化の手法はＬＳＩに限らず専用回路、または、汎用プロセッサで実現してもよい。また、半導体技術の進歩によりＬＳＩに代替する集積回路化の技術が出現した場合、当該技術による集積回路を用いることも可能である。
【０３６０】
また、上述した実施形態では、端末装置もしくは通信装置の一例としてセルラー移動局装置（携帯電話、携帯端末）を記載したが、本願発明は、これに限定されるものではなく、屋内外に設置される据え置き型、または非可動型の電子機器、たとえば、ＡＶ機器、キッチン機器（例えば、冷蔵庫や電子レンジなど）、掃除・洗濯機器、空調機器、オフィス機器、自動販売機、カーナビゲーションなどの車載搭載機、その他生活機器などの端末装置もしくは通信装置にも適用できる。
【０３６１】
以上のことから、本発明は、以下の特徴を有する。
【０３６２】
（１）本発明の一態様による端末装置は、基地局装置と通信する端末装置であって、ハンドオーバコマンドおよび上りリンクグラントを受信する受信部と、サウンディング参照信号（ＳＲＳ）および物理上りリンク共用チャネル（ＰＵＳＣＨ）を送信する送信部と、を備え、前記送信部は、前記上りリンクグラントに含まれる送信電力制御コマンドに基づいて、前記ＳＲＳの送信電力に用いられる第１の電力制御調整値を算出し、前記送信部は、前記ハンドオーバコマンドにタイミングアドバンスコマンドが含まれる場合には、前記ハンドオーバコマンドに対するＲＲＣコネクション再設定コンプリートメッセージを含むＰＵＳＣＨの送信電力に用いられる第２の電力制御調整値の初期値を、前記ＳＲＳの前記第１の電力制御調整値にセットし、前記第１の電力制御調整値に基づいて、前記ＰＵＳＣＨの送信電力をセットする。
【０３６３】
（２）本発明の一態様による端末装置は、上記の端末装置であって、前記送信部は、前記ハンドオーバコマンドに前記ＰＵＳＣＨに関する第１のパラメータが含まれ、且つ、前記第１のパラメータの値が変更されている場合には、前記ＰＵＳＣＨの送信電力に用いられる前記第２の電力制御調整値の初期値を、所定の値にセットする。
【０３６４】
（３）本発明の一態様による端末装置は、上記の端末装置であって、前記送信部は、前記ハンドオーバコマンドに前記タイミングアドバンスコマンドが含まれていない場合には、前記第２の電力制御調整値を、所定の値にセットする。
【０３６５】
（４）本発明の一態様による端末装置は、上記の端末装置であって、前記送信部は、前記ハンドオーバコマンドに上りリンクグラントが含まれる場合には、前記第２の電力制御調整値の初期値を、前記上りリンクグラントに含まれる送信電力制御コマンドに基づいてセットする。
【０３６６】
（５）本発明の一態様による端末装置は、上記の端末装置であって、前記送信部は、前記ハンドオーバコマンドに上りリンクグラントが含まれていない場合には、前記第２の電力制御調整値の初期値を、所定の値にセットする。
【０３６７】
（６）本発明の一態様による端末装置は、上記の端末装置であって、前記送信部は、前記ハンドオーバコマンドに基づいてランダムアクセスプリアンブルを用いたハンドオーバが示された場合には、前記第２の電力制御調整値を、ランダムアクセスプリアンブルの送信電力に用いられた前記ランダムアクセスプリアンブルの送信回数とランプアップに関する第２のパラメータに基づいてセットする。
【０３６８】
（７）本発明の一態様による端末装置は、上記の端末装置であって、前記受信部において前記ＰＵＳＣＨの送信電力のランプアップに関する第３のパラメータを、前記ハンドオーバコマンドを介して、受信した場合、且つ、前記ＰＵＳＣＨを送信してから所定の期間、前記ＰＵＳＣＨに対するＡＣＫまたはＮＡＣＫがなかった場合、前記送信部は、前記第３のパラメータと前記ＰＵＳＣＨの送信回数に基づいて、前記ＰＵＳＣＨの送信電力を再セットし、前記ＰＵＳＣＨの再送信を行なう。
【０３６９】
（８）本発明の一態様による端末装置は、上記の端末装置であって、前記送信部は、前記受信部において前記ＰＵＳＣＨに対するＮＡＣＫを検出した場合、前記第３のパラメータおよび前記送信回数に基づくランプアップを行なわずに、前記ＰＵＳＣＨの再送信を行なう。
【０３７０】
（９）本発明の一態様による方法は、基地局装置と通信する端末装置における方法であって、ハンドオーバコマンドおよび上りリンクグラントを受信するステップと、サウンディング参照信号（ＳＲＳ）を送信するステップと、物理上りリンク共用チャネル（ＰＵＳＣＨ）を送信するステップと、前記上りリンクグラントに含まれる送信電力制御コマンドに基づいて、前記ＳＲＳの送信電力に用いられる第１の電力制御調整値を算出するステップと、前記ハンドオーバコマンドにタイミングアドバンスコマンドが含まれる場合には、前記ハンドオーバコマンドに対するＲＲＣコネクション再設定コンプリートメッセージを含むＰＵＳＣＨの送信電力に用いられる第２の電力制御調整値の初期値を、前記ＳＲＳの前記第１の電力制御調整値にセットするステップと、前記第１の電力制御調整値に基づいて、前記ＰＵＳＣＨの送信電力をセットするステップと、を含む。
【０３７１】
（１０）本発明の一態様による方法は、上記の方法であって、前記ハンドオーバコマンドに前記ＰＵＳＣＨに関する第１のパラメータが含まれ、且つ、前記第１のパラメータの値が変更されている場合には、前記ＰＵＳＣＨの送信電力に用いられる前記第２の電力制御調整値の初期値を、所定の値にセットするステップを含む。
【０３７２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３７３】
５０１  上位層
５０２  制御部
５０３  コードワード生成部
５０４  下りリンクサブフレーム生成部
５０５  下りリンク参照信号生成部
５０６  ＯＦＤＭ信号送信部
５０７  送信アンテナ
５０８  受信アンテナ
５０９  ＳＣ−ＦＤＭＡ信号受信部
５１０  上りリンクサブフレーム処理部
５１１  上りリンク制御情報抽出部
６０１  受信アンテナ
６０２  ＯＦＤＭ信号受信部
６０３  下りリンクサブフレーム処理部
６０４  下りリンク参照信号抽出部
６０５  トランスポートブロック抽出部
６０６  制御部
６０７  上位層
６０８  チャネル状態測定部
６０９  上りリンクサブフレーム生成部
６１０  上りリンク制御情報生成部
６１１、６１２  ＳＣ−ＦＤＭＡ信号送信部
６１３、６１４  送信アンテナ
【図１】
2019091960.tif 000003
【図２】
2019091960.tif 000004
【図３】
2019091960.tif 000005
【図４】
2019091960.tif 000006
【図５】
2019091960.tif 000007
【図６】
2019091960.tif 000008